(57)【要約】【課題】音声着信またはメール受信時に、着信報知用のＬＥＤ、スピーカ、バイブレーター、表示部、キー操作規制および着信報知用ＬＥＤの通信中のＯＮ、ＯＦＦ制御機能をユーザが任意に設定可能な携帯電話装置とその着信表示方法を提供する。【解決手段】発光手段、鳴動手段、および振動手段を備える携帯電話装置において、中央制御部１２は、着信時にイルミネーションＬＥＤ８の起動または停止を制御する発光制御手段と、スピーカ１０の起動または停止を制御する鳴動制御手段と、バイブレーター２２の起動または停止を制御する振動制御手段と、表示部３の起動または停止を制御する表示部制御手段と、キー操作部の着信中のキー操作の有効または無効を制御するキー操作規制制御手段と、イルミネーションＬＥＤ８の通信中の起動または停止を制御する通信中発光制御手段を有する。【選択図】      図２
2005269255.tif 000002
【特許請求の範囲】
【請求項１】
発光手段、鳴動手段、および振動手段を備え着信報知する携帯電話装置において、着信時に前記発光手段の起動または停止を制御する発光制御手段を有することを特徴とする携帯電話装置。
【請求項２】
発光手段、鳴動手段、および振動手段を備え着信報知する携帯電話装置において、着信時に前記発光手段の起動または停止を制御する発光制御手段と、前記鳴動手段の起動または停止を制御する鳴動制御手段を有することを特徴とする携帯電話装置。
【請求項３】
発光手段、鳴動手段、および振動手段を備え着信報知する携帯電話装置において、着信時に前記発光手段の起動または停止を制御する発光制御手段と、前振動手段の起動または停止を制御する鳴動制御手段と、前記振動手段の起動または停止を制御する鳴動制御手段を有することを特徴とする携帯電話装置。
【請求項４】
発光手段、鳴動手段、および振動手段を備え着信報知する携帯電話装置において、着信時に前記発光手段の起動または停止を制御する発光制御手段と、前記鳴動手段の起動または停止を制御する鳴動制御手段と、前記振動手段の起動または停止を制御する振動制御手段と、表示部の起動または停止を制御する表示部制御手段を有することを特徴とする携帯電話装置。
【請求項５】
発光手段、鳴動手段、および振動手段を備え着信報知する携帯電話装置において、着信時に前記発光手段の起動または停止を制御する発光制御手段と、前記鳴動手段の起動または停止を制御する鳴動制御手段と、前記振動手段の起動または停止を制御する振動制御手段と、表示部の起動または停止を制御する表示部制御手段と、キー操作部の着信中のキー操作の有効または無効を制御するキー操作規制制御手段を有することを特徴とする携帯電話装置。
【請求項６】
発光手段、鳴動手段、および振動手段を備え着信報知する携帯電話装置において、着信時に前記発光手段の起動または停止を制御する発光制御手段と、前記鳴動手段の起動または停止を制御する鳴動制御手段と、前記振動手段の起動または停止を制御する振動制御手段と、表示部の起動または停止を制御する表示部制御手段と、キー操作部の着信中のキー操作の有効または無効を制御するキー操作規制制御手段と、前記発光手段の通信中の起動または停止を制御する通信中発光制御手段を有することを特徴とする携帯電話装置。
【請求項７】
発信者番号通知サービスによる着信時に検出した発信者番号と予め登録した電話番号を照合する手段を備え、照合結果が一致のとき、前記発光制御手段は、検出した前記発信者番号対応に予め設定した前記発光手段の制御情報が「ＯＮ」であるとき、前記発信者番号対応に予め設定した発光色と発光パターンにより前記発光手段を「点灯」し、前記発光手段の制御情報が「ＯＦＦ」であるとき、前記発光手段を「消灯」することを特徴とする請求項１乃至６記載の携帯電話装置。
【請求項８】
発信者番号通知サービスによる着信時に検出した発信者番号と予め登録した電話番号を照合する手段を備え、照合結果が一致のとき、前記鳴動制御手段は、前記発信者番号対応に予め設定した前記鳴動手段の制御情報が「ＯＮ」であるとき、前記発信者番号対応に予め設定した音量と音色により前記鳴動手段を「鳴動」し、鳴動手段の制御情報が「ＯＦＦ」であるとき、鳴動を「停止」することを特徴とする請求項２乃至６記載の携帯電話装置。
【請求項９】
発信者番号通知サービスによる着信時に検出した発信者番号と予め登録した電話番号を照合する手段を備え、照合結果が一致のとき、前記振動制御手段は、前記発信者番号対応に予め設定した前記振動手段の制御情報が「ＯＮ」であるとき、前記発信者番号対応に予め設定した振動強度と振動パターンにより前記振動手段を「振動」し、前記振動手段の制御情報が「ＯＦＦ」であるとき、振動を「停止」することを特徴とする請求項３乃至６記載の携帯電話装置。
【請求項１０】
発信者番号通知サービスによる着信時に検出した発信者番号と予め登録した電話番号を照合する手段を備え、照合結果が一致のとき、前記表示部制御手段は、前記発信者番号対応に予め設定した前記表示部の制御情報に基づき前記表示部を「起動」または「停止」することを特徴とする請求項４乃至６記載の携帯電話装置。
【請求項１１】
発信者番号通知サービスによる着信時に検出した発信者番号と予め登録した電話番号を照合する手段を備え、照合結果が一致のとき、前記キー操作規制制御手段は、前記発信者番号対応に予め設定した前記キー操作部の制御情報に基づき前記キー操作の「有効」または「無効」を制御することを特徴とする請求項５乃至６記載の携帯電話装置。
【請求項１２】
発信者番号通知サービスによる着信時に検出した発信者番号と予め登録した電話番号を照合する手段を備え、照合結果が一致のとき、前記通信中発光制御手段は、前記発信者番号対応に予め設定した前記発光手段の通信中制御情報が「ＯＮ」であるとき、前記発信者番号対応に予め設定した発光色と発光パターンにより前記発光手段を通信中「点灯」し、前記発光手段の通信中制御情報が「ＯＦＦ」であるとき、前記発光手段を「消灯」することを特徴とする請求項６記載の携帯電話装置。
【請求項１３】
発信者番号通知サービスによる着信時に検出した発信者番号と予め登録した電話番号を照合する手段を備え、照合結果が不一致のとき、前記発光制御手段は、検出した前記発信者番号以外の特定番号対応に予め設定した前記発光手段の制御情報が「ＯＮ」であるとき、前記特定番号対応に予め設定した発光色と発光パターンにより前記発光手段を「点灯」し、前記発光手段の制御情報が「ＯＦＦ」であるとき、前記発光手段を「消灯」することを特徴とする請求項１乃至６記載の携帯電話装置。
【請求項１４】
発信者番号通知サービスによる着信時に検出した発信者番号と予め登録した電話番号を照合する手段を備え、照合結果が不一致のとき、前記鳴動制御手段は、前記発信者番号以外の特定番号対応に予め設定した前記鳴動手段の制御情報が「ＯＮ」であるとき、前記特定番号対応に予め設定した音量と音色により前記鳴動手段を「鳴動」し、前記鳴動手段の制御情報が「ＯＦＦ」であるとき、鳴動を「停止」することを特徴とする請求項２乃至６記載の携帯電話装置。
【請求項１５】
発信者番号通知サービスによる着信時に検出した発信者番号と予め登録した電話番号を照合する手段を備え、照合結果が不一致のとき、前記振動制御手段は、前記発信者番号以外の特定番号対応に予め設定した前記振動手段の制御情報が「ＯＮ」であるとき、前記特定番号対応に予め設定した振動強度と振動パターンにより前記振動手段を「振動」し、前記振動手段の制御情報が「ＯＦＦ」であるとき、振動を「停止」することを特徴とする請求項３乃至６記載の携帯電話装置。
【請求項１６】
発信者番号通知サービスによる着信時に検出した発信者番号と予め登録した電話番号を照合する手段を備え、照合結果が不一致のとき、前記表示部制御手段は、前記発信者番号以外の特定番号対応に予め設定した前記表示部の制御情報に基づき前記表示部を「起動」または「停止」することを特徴とする請求項４乃至６記載の携帯電話装置。
【請求項１７】
発信者番号通知サービスによる着信時に検出した発信者番号と予め登録した電話番号を照合する手段を備え、照合結果が不一致のとき、前記キー操作規制制御手段は、前記発信者番号以外の特定番号対応に予め設定した前記キー操作部の制御情報に基づき前記キー操作の「有効」または「無効」を制御することを特徴とする請求項５乃至６記載の携帯電話装置。
【請求項１８】
発信者番号通知サービスによる着信時に検出した発信者番号と予め登録した電話番号を照合する手段を備え、照合結果が不一致のとき、前記通信中発光制御手段は、前記発信者番号以外の特定番号対応に予め設定した前記発光手段の通信中制御情報が「ＯＮ」であるとき、前記特定番号対応に予め設定した発光色と発光パターンにより前記発光手段を通信中「点灯」し、前記発光手段の通信中制御情報が「ＯＦＦ」であるとき、前記発光手段を「消灯」することを特徴とする請求項６記載の携帯電話装置。
【請求項１９】
発信者番号通知サービス以外による着信時に前記発光制御手段は、発信者番号以外の特定番号対応に予め設定した前記発光手段の制御情報が「ＯＮ」であるとき、前記特定番号対応に予め設定した発光色と発光パターンにより前記発光手段を「点灯」し、前記発光手段の制御情報が「ＯＦＦ」であるとき、前記発光手段を「消灯」することを特徴とする請求項１乃至６記載の携帯電話装置。
【請求項２０】
発信者番号通知サービス以外による着信時に前記鳴動制御手段は、発信者番号以外の特定番号対応に予め設定した前記鳴動手段の制御情報が「ＯＮ」であるとき、前記特定番号対応に予め設定した音量と音色により前記鳴動手段を「鳴動」し、前記鳴動手段の制御情報が「ＯＦＦ」であるとき、鳴動を「停止」することを特徴とする請求項２乃至６記載の携帯電話装置。
【請求項２１】
発信者番号通知サービス以外による着信時に前記振動制御手段は、発信者番号以外の特定番号対応に予め設定した前記振動手段の制御情報が「ＯＮ」であるとき、前記特定番号対応に予め設定した振動強度と振動パターンにより前記振動手段を「振動」し、前記振動手段の制御情報が「ＯＦＦ」であるとき、振動を「停止」することを特徴とする請求項３乃至６記載の携帯電話装置。
【請求項２２】
発信者番号通知サービス以外による着信時に前記表示部制御手段は、発信者番号以外の特定番号対応に予め設定した前記表示部の制御情報に基づき前記表示部を「起動」または「停止」することを特徴とする請求項４乃至６記載の携帯電話装置。
【請求項２３】
発信者番号通知サービス以外による着信時に前記キー操作規制制御手段は、発信者番号以外の特定番号対応に予め設定した前記キー操作部の制御情報に基づき前記キー操作の「有効」または「無効」を制御することを特徴とする請求項５乃至６記載の携帯電話装置。
【請求項２４】
発信者番号通知サービス以外による着信時に前記通信中発光制御手段は、前記発信者番号以外の特定番号対応に予め設定した前記発光手段の通信中制御情報が「ＯＮ」であるとき、前記特定番号対応に予め設定した発光色と発光パターンにより前記発光手段を通信中「点灯」し、前記発光手段の通信中制御情報が「ＯＦＦ」であるとき、前記発光手段を「消灯」することを特徴とする請求項６記載の携帯電話装置。
【請求項２５】
前記発光手段の「起動」または起動の「停止」の制御情報、および前記発光手段起動時の前記「発光色」と「発光パターン」は、ユーザが任意に設定することを特徴とする請求項７、１３、１９のいずれかに記載の携帯電話装置。
【請求項２６】
前記鳴動手段の「起動」または起動の「停止」の制御情報、および前記鳴動手段起動時の前記「音量」と「音色」は、ユーザが任意に設定することを特徴とする請求項８、１４、２０のいずれかに記載の携帯電話装置。
【請求項２７】
前記振動手段の「起動」または起動の「停止」の制御情報、および前記「振動強度」と「振動パターン」は、ユーザが任意に設定することを特徴とする請求項９、１５、２１のいずれかに記載の携帯電話装置。
【請求項２８】
着信報知における前記発光手段、鳴動手段、および振動手段の「起動」または起動の「停止」および「発光色」と「発光パターン」または「音量」と「音色」または「振動強度」と「振動パターン」はユーザが任意に組み合わせ可能であることを特徴とする請求項７乃至２０記載の携帯電話装置。
【請求項２９】
メール着信時に検出した発信者メールアドレスと予め登録したメールアドレスを照合する手段を備え、照合結果が一致のとき、前記発光制御手段は、検出した前記発信者メールアドレス対応に予め設定した前記発光手段の制御情報が「ＯＮ」であるとき、前記発信者メールアドレス対応に予め設定した発光色と発光パターンにより前記発光手段を「点灯」し、前記発光手段の制御情報が「ＯＦＦ」であるとき、前記発光手段を「消灯」することを特徴とする請求項１乃至６記載の携帯電話装置。
【請求項３０】
メール着信時に検出した発信者メールアドレスと予め登録したメールアドレスを照合する手段を備え、照合結果が一致のとき、前記鳴動制御手段は、前記発信者メールアドレス対応に予め設定した前記鳴動手段の制御情報が「ＯＮ」であるとき、前記発信者メールアドレス対応に予め設定した音量と音色により前記鳴動手段を「鳴動」し、前記鳴動手段の制御情報が「ＯＦＦ」であるとき、鳴動を「停止」することを特徴とする請求項２乃至６記載の携帯電話装置。
【請求項３１】
メール着信時に検出した発信者メールアドレスと予め登録したメールアドレスを照合する手段を備え、照合結果が一致のとき、前記振動制御手段は、前記発信者メールアドレス対応に予め設定した前記振動手段の制御情報が「ＯＮ」であるとき、前記発信者メールアドレス対応に予め設定した振動強度と振動パターンにより前記振動手段を「振動」し、前記振動手段の制御情報が「ＯＦＦ」であるとき、振動を「停止」することを特徴とする請求項３乃至６記載の携帯電話装置。
【請求項３２】
メール着信時に検出した発信者メールアドレスと予め登録したメールアドレスを照合する手段を備え、照合結果が一致のとき、前記表示部制御手段は、前記発信者メールアドレス対応に予め設定した前記表示部の制御情報に基づき前記表示部を「起動」または「停止」することを特徴とする請求項４乃至６記載の携帯電話装置。
【請求項３３】
メール着信時に検出した発信者メールアドレスと予め登録したメールアドレスを照合する手段を備え、照合結果が一致のとき、前記キー操作規制制御手段は、前記発信者メールアドレス対応に予め設定した前記キー操作部の制御情報に基づき前記キー操作の「有効」または「無効」を制御することを特徴とする請求項５乃至６記載の携帯電話装置。
【請求項３４】
メール着信時に検出した発信者メールアドレスと予め登録したメールアドレスを照合する手段を備え、照合結果が一致のとき、前記通信中発光制御手段は、前記発信者メールアドレス対応に予め設定した前記発光手段の通信中制御情報が「ＯＮ」であるとき、前記発信者メールアドレス対応に予め設定した発光色と発光パターンにより前記発光手段を通信中「点灯」し、前記発光手段の制御情報が「ＯＦＦ」であるとき、前記発光手段を「消灯」することを特徴とする請求項６記載の携帯電話装置。
【請求項３５】
メール着信時に検出した発信者メールアドレスと予め登録したメールアドレスを照合する手段を備え、照合結果が不一致のとき、前記発光制御手段は、検出した前記発信者メールアドレス以外の特定メールアドレス対応に予め設定した前記発光手段の制御情報が「ＯＮ」であるとき、前記特定メールアドレス対応に予め設定した発光色と発光パターンにより前記発光手段を「点灯」し、前記発光手段の制御情報が「ＯＦＦ」であるとき、前記発光手段を「消灯」することを特徴とする請求項１乃至６記載の携帯電話装置。
【請求項３６】
メール着信時に検出した発信者メールアドレスと予め登録したメールアドレスを照合する手段を備え、照合結果が不一致のとき、前記鳴動制御手段は、前記発信者メールアドレス以外の特定メールアドレス対応に予め設定した前記鳴動手段の制御情報が「ＯＮ」であるとき、前記特定メールアドレス対応に予め設定した音量と音色により前記鳴動手段を鳴動」し、前記鳴動手段の制御情報が「ＯＦＦ」であるとき、鳴動を「停止」することを特徴とする請求項２乃至６記載の携帯電話装置。
【請求項３７】
メール着信時に検出した発信者メールアドレスと予め登録したメールアドレスを照合する手段を備え、照合結果が不一致のとき、前記振動制御手段は、前記発信者メールアドレス以外の特定メールアドレス対応に予め設定した前記振動手段の制御情報が「ＯＮ」であるとき、前記特定メールアドレス対応に予め設定した振動強度と振動パターンにより前記振動手段を「振動」し、前記振動手段の制御情報が「ＯＦＦ」であるとき、振動を「停止」することを特徴とする請求項３乃至６記載の携帯電話装置。
【請求項３８】
メール着信時に検出した発信者メールアドレスと予め登録したメールアドレスを照合する手段を備え、照合結果が不一致のとき、前記表示部制御手段は、前記発信者メールアドレス以外の特定メールアドレス対応に予め設定した前記表示部の制御情報に基づき前記表示部を「起動」または「停止」することを特徴とする請求項４乃至６記載の携帯電話装置。
【請求項３９】
メール着信時に検出した発信者メールアドレスと予め登録したメールアドレスを照合する手段を備え、照合結果が不一致のとき、前記キー操作規制制御手段は、前記発信者メールアドレス以外の特定メールアドレス対応に予め設定した前記キー操作部の制御情報に基づき前記キー操作の「有効」または「無効」を制御することを特徴とする請求項５乃至６記載の携帯電話装置。
【請求項４０】
メール着信時に検出した発信者メールアドレスと予め登録したメールアドレスを照合する手段を備え、照合結果が不一致のとき、前記通信中発光制御手段は、前記発信者メールアドレス以外の特定メールアドレス対応に予め設定した前記発光手段の通信中制御情報が「ＯＮ」であるとき、前記特定メールアドレス対応に予め設定した発光色と発光パターンにより前記発光手段を通信中「点灯」し、前記発光手段の制御情報が「ＯＦＦ」であるとき、前記発光手段を「消灯」することを特徴とする請求項６記載の携帯電話装置。
【請求項４１】
前記発光手段の「起動」または起動の「停止」の制御情報、および前記発光手段起動時の前記「発光色」と「発光パターン」は、ユーザが任意に設定することを特徴とする請求項２９または３５記載の携帯電話装置。
【請求項４２】
前記鳴動手段の「起動」または起動の「停止」の制御情報、および前記鳴動手段起動時の前記「音量」と「音色」は、ユーザが任意に設定することを特徴とする請求項３０または３６記載の携帯電話装置。
【請求項４３】
前記振動手段の「起動」または起動の「停止」の制御情報、および前記「振動強度」と「振動パターン」は、ユーザが任意に設定することを特徴とする請求項３１または３７記載の携帯電話装置。
【請求項４４】
着信報知における前記発光手段、鳴動手段、および振動手段の「起動」または起動の「停止」および「発光色」と「発光パターン」または「音量」と「音色」または「振動強度」と「振動パターン」はユーザが任意に組み合わせ可能であることを特徴とする請求項２９、３０、３１、３５、３６、３７のいずれかに記載の携帯電話装置。
【請求項４５】
発光手段、鳴動手段、および振動手段を備える携帯電話装置の着信表示方法において、音声着信が発信者番号通知サービスを利用した着信か否かを判定する第１のステップと、音声着信が発信者番号通知サービスを利用した着信であるとき発信者番号を検出し予め備える電話帳を検索し、前記検出した発信者番号が登録されているか否かを判定する第２のステップと、前記発信者番号が前記電話帳に登録されていたとき、予め備える音声着信表示管理テーブルを検索し、検出した前記発信者番号に対応して格納されている前記発光手段であるＬＥＤの点灯駆動情報が「ＯＮ」であるとき、前記発信者番号に対応して格納されている発光色と発光パターンで前記ＬＥＤを点灯し、ＬＥＤの点灯駆動情報が「ＯＦＦ」であるとき消灯する第３のステップと、検出した前記発信者番号に対応して格納されている前記鳴動手段であるスピーカの鳴動駆動情報が「ＯＮ」であるとき、前記発信者番号に対応して格納されている音量と音色で前記スピーカを鳴動し、スピーカの鳴動駆動情報が「ＯＦＦ」であるとき停止する第４のステップと、検出した前記発信者番号に対応して格納されている前記振動手段であるバイブレーターの駆動制御情報が「ＯＮ」であるとき、前記発信者番号に対応して格納されている振動強度と振動パターンで前記バイブレーターを振動し、バイブレーターの駆動制御情報が「ＯＦＦ」であるとき、停止する第５のステップと、検出した前記発信者番号に対応して格納されている表示部の起動制御情報に基づき前記表示部を起動または起動を停止する第６のステップと、検出した前記発信者番号に対応して格納されている着信中のキー操作規制情報に基づきキー操作部の着信中のキー操作の有効または無効を制御する第７のステップと、第１のステップで音声着信が発信者番号通知サービスを利用した着信でなかったとき、または前記第２のステップで電話帳に検出した発信者番号が登録されていなかったとき、前記音声着信表示管理テーブルを検索し、前記発信者番号以外の特定番号に対応して格納されている前記発光手段であるＬＥＤの点灯駆動情報が「ＯＮ」であるとき、前記特定番号に対応して格納されている発光色と発光パターンで前記ＬＥＤを点灯し、前記ＬＥＤの点灯駆動情報が「ＯＦＦ」であるとき消灯する第８のステップと、前記特定番号に対応して格納されている前記鳴動手段であるスピーカの鳴動駆動情報が「ＯＮ」であるとき、前記特定番号に対応して格納されている音量と音色で前記スピーカを鳴動し、前記スピーカの鳴動駆動情報が「ＯＦＦ」であるとき鳴動を停止する第９のステップと、前記特定番号に対応して格納されている前記振動手段であるバイブレーターの振動駆動情報が「ＯＮ」であるとき、前記特定番号に対応して格納されている振動強度と振動パターンで前記バイブレーターを振動し、前記バイブレーターの振動駆動情報が「ＯＦＦ」であるとき、振動を停止する第１０のステップと、前記特定番号に対応して格納されている表示部の起動制御情報に基づき前記表示部を起動または起動を停止する第１１のステップと、前記特定番号に対応して格納されている着信中のキー操作規制情報に基づきキー操作部の着信中のキー操作の有効または無効を制御する第１２のステップと、第６のステップで発信者番号に対応して表示部の停止が設定されていたとき、第７のステップで発信者番号に対応してキー操作の有効が設定されていたとき、第３のステップ、第４のステップ、第５のステップ、第６のステップ、第７のステップ、それぞれの報知方法で、また、第１１のステップで特定番号に対応して表示部の停止が設定されていたとき、第１２のステップで特定番号に対応してキー操作の無効が設定されていたとき、第８のステップ、第９のステップ、第１０のステップ、第１２のステップ、それぞれにおける報知方法で呼出を開始し、タイマを起動して応答を監視する第１３のステップと、タイマのタイムアウト前にユーザの応答を検出したとき、スピーカの鳴動、バイブレーターの振動を停止し、通話を開始する第１４のステップと、ＬＥＤの通信中制御情報にＬＥＤの消灯が設定されているときＬＥＤを消灯して通話を監視し、終話を検出したとき待ち受け状態へ移行し、ＬＥＤの通信中制御情報にＬＥＤの点灯が設定されているときＬＥＤを点灯して通話を監視し、終話を検出したときＬＥＤを消灯して待ち受け状態へ移行する第１５のステップと、第１４のステップでタイマのタイムアウト前にユーザの応答を検出できなかったとき、ＬＥＤを消灯、スピーカの鳴動、バイブレーターの振動を停止して表示部に「着信あり」を表示して待ち受け状態へ移行する第１６のステップを有することを特徴とする携帯電話装置の着信表示方法。
【請求項４６】
発光手段、鳴動手段、および振動手段を備える携帯電話装置の着信表示方法において、受信メールから発信者メールアドレスを検出し予め備える電話帳を検索し、検出した前記発信者メールアドレスが登録されているか否かを判定する第２１のステップと、前記発信者メールアドレスが前記電話帳に登録されていたとき、予め備えるメール受信表示管理テーブルを検索し、検出した前記発信者メールアドレスに対応して格納されている前記発光手段であるＬＥＤの点灯駆動情報が「ＯＮ」であるとき、前記発信者メールアドレスに対応して格納されている発光色と発光パターンで前記ＬＥＤを点灯し、ＬＥＤの点灯駆動情報が「ＯＦＦ」であるとき消灯する第２２のステップと、検出した前記発信者メールアドレスに対応して格納されている前記鳴動手段であるスピーカの鳴動駆動情報が「ＯＮ」であるとき、前記発信者メールアドレスに対応して格納されている音量と音色で前記スピーカを鳴動し、前記スピーカの鳴動駆動情報が「ＯＦＦ」であるとき振動を停止する第２３のステップと、検出した前記発信者メールアドレスに対応して格納されている前記振動手段であるバイブレーターの駆動制御情報が「ＯＮ」であるとき、前記発信者メールアドレスに対応して格納されている振動強度と振動パターンで前記バイブレーターを振動し、前記バイブレーターの駆動制御情報が「ＯＦＦ」であるとき振動を停止する第２４のステップと、検出した前記発信者メールアドレスに対応して格納されている表示部の起動制御情報に基づき前記表示部を起動または停止する第２５のステップと、検出した前記発信者メールアドレスに対応して格納されている着信中のキー操作規制情報に基づきキー操作部の着信中のキー操作の有効または無効を制御する第２６のステップと、第２１のステップで電話帳に検出した発信者番号が登録されていなかったとき、前記メール受信表示管理テーブルを検索し、前記発信者メールアドレス以外の特定アドレスに対応して格納されている前記発光手段であるＬＥＤの点灯駆動情報が「ＯＮ」であるとき、特定アドレスに対応して格納されている発光色と発光パターンで前記ＬＥＤを点灯し、前記ＬＥＤの点灯駆動情報が「ＯＦＦ」であるとき消灯する第２７のステップと、前記特定アドレスに対応して格納されている前記鳴動手段であるスピーカの鳴動駆動情報が「ＯＮ」であるとき、前記特定アドレスに対応して格納されている音量と音色で前記スピーカを鳴動し、前記スピーカの鳴動駆動情報が「ＯＦＦ」であるとき鳴動を停止する第２８のステップと、前記特定アドレスに対応して格納されている前記振動手段であるバイブレーターの駆動制御情報が「ＯＮ」であるとき、前記特定アドレスに対応して格納されている振動強度と振動パターンで前記バイブレーターを振動し、前記バイブレーターの駆動制御情報が「ＯＦＦ」であるとき振動を停止する第２９のステップと、前記特定アドレスに対応して格納されている表示部の起動制御情報に基づき前記表示部を起動または起動を停止する第３０のステップと、前記特定アドレスに対応して格納されている着信中のキー操作規制情報に基づきキー操作部の着信中のキー操作の有効または無効を制御する第３１のステップと、第２５のステップで発信者メールアドレスに対応して表示部の停止が設定されていたとき、第２６のステップで発信者メールアドレスに対応してキー操作の有効が設定されていたとき、第２２のステップ、第２３のステップ、第２４のステップ、第２５のステップ、第２６のステップ、それぞれの報知方法で、また、第３０のステップで特定アドレスに対応して表示部の停止が設定されていたとき、第３１のステップで特定アドレスに対応してキー操作の有効が設定されていたとき、第２７のステップ、第２８のステップ、第２９のステップ、第３０のステップ、第３１のステップ、それぞれにおける報知方法で、呼出を開始し、タイマを起動して応答を監視する第３２のステップと、タイマのタイムアウト前にユーザのキー操作を検出したとき、ＬＥＤの消灯、スピーカの鳴動、バイブレーターの振動を停止し、ユーザのキー操作の終了を検出したとき待ち受け状態へ移行する第３３のステップと、第３２のステップでタイマのタイムアウト前にユーザのキー操作を検出できなかったとき、ＬＥＤを消灯、スピーカの鳴動、バイブレーターの振動を停止して表示部に「着信あり」を表示して待ち受け状態へ移行する第３４のステップを有することを特徴とする携帯電話装置の着信表示方法。
【請求項４７】
発光手段、鳴動手段、および振動手段を備える携帯電話装置の着信表示方法において、音声着信が発信者番号通知サービスを利用した着信か否かを判定する第４１のステップと、音声着信が発信者番号通知サービスを利用した着信であるとき発信者番号を検出し予め備える音声着信表示管理テーブルを検索し、検出した前記発信者番号が登録されているか否かを判定する第４２のステップと、前記音声着信表示管理テーブルを検索し、検出した前記発信者番号に対応して格納されている前記発光手段であるＬＥＤの点灯駆動情報が「ＯＮ」であるとき、検出した前記発信者番号に対応して格納されている発光色と発光パターンで前記ＬＥＤを点灯し、前記ＬＥＤの点灯駆動情報が「ＯＦＦ」であるとき消灯する第４３のステップと、検出した前記発信者番号に対応して格納されている表示部の起動制御情報に基づき前記表示部を起動または起動を停止する第４４のステップと、検出した前記発信者番号に対応して格納されている着信中のキー操作規制情報に基づきキー操作部のキー操作の有効または無効を制御する第４５のステップと、第４１のステップで音声着信が発信者番号通知サービスを利用した着信でなかったとき、または第４２のステップで検出した前記発信者番号が登録されていなかったとき、または第４３のステップでＬＥＤの点灯駆動情報がＬＥＤの消灯であったとき、前記音声着信表示管理テーブルを検索し、前記発信者番号以外の特定番号に対応して格納されている前記鳴動手段であるスピーカの鳴動駆動情報に基づき前記スピーカを鳴動する第４６のステップと、前記特定番号に対応して格納されている前記振動手段であるバイブレーターの駆動制御情報に基づき前記バイブレーターを振動する第４７のステップと、前記特定番号に対応して格納されている表示部の起動制御情報に基づき前記表示部を起動または起動を停止する第４８のステップと、前記特定番号に対応して格納されている着信中のキー操作規制情報に基づきキー操作部の着信中のキー操作の有効または無効を制御する第４９のステップと、第４４のステップで発信者番号に対応して表示部の停止が設定されていたとき、第４５のステップで発信者番号に対応してキー操作の有効が設定されていたとき、第４３のステップ、第４４のステップ、第４５のステップ、それぞれの報知方法で、また、第４８のステップで特定番号に対応して表示部の停止が設定されていたとき、第４９のステップで特定番号に対応してキー操作部のキー操作の有効が設定されていたとき、第４６のステップ、第４７のステップ、第４８のステップ、第４９のステップ、それぞれの報知方法で呼出を開始し、タイマを起動して応答を監視する第５０のステップと、タイマのタイムアウト前にユーザの応答を検出したとき、スピーカの鳴動、バイブレーターの振動を停止し、通話を開始する第５１のステップと、ＬＥＤの通信中制御情報にＬＥＤの消灯が設定されているときＬＥＤを消灯して通話を監視し、終話を検出したとき待ち受け状態へ移行し、ＬＥＤの通信中制御情報にＬＥＤの点灯が設定されているときＬＥＤを点灯して通話を監視し、終話を検出したときＬＥＤを消灯して待ち受け状態へ移行する第５２のステップと、第５２のステップでタイマのタイムアウト前にユーザの応答を検出できなかったとき、第４５のステップでキー操作の無効が設定されていたとき、第４９のステップでキー操作の無効が設定されていたとき、ＬＥＤを消灯、スピーカの鳴動、バイブレーターの振動を停止して表示部に「着信あり」を表示して待ち受け状態へ移行する第５３のステップと、発光手段、鳴動手段、および振動手段を備える携帯電話装置の着信表示方法において、受信メールから発信者メールアドレスを検出し、予め備えるメール受信表示管理テーブルを検索し、検出した前記発信者メールアドレスに対応して格納されている前記発光手段であるＬＥＤの点灯駆動情報が「ＯＮ」であるとき、前記発信者メールアドレスに対応して格納されている発光色と発光パターンで前記ＬＥＤを点灯し、前記ＬＥＤの点灯駆動情報が「ＯＦＦ」であるとき、消灯する第６１のステップと、検出した前記発信者メールアドレスに対応して格納されている表示部の起動制御情報に基づき前記表示部を起動または起動を停止する第６２のステップと、検出した前記発信者メールアドレスに対応して格納されている着信中のキー操作規制情報に基づきキー操作部のキー操作の有効または無効を制御する第６３のステップと、ステップＳ６１でメール受信表示管理テーブルに検出した発信者メールアドレスが登録されていなかったとき、または前記ＬＥＤの点灯駆動情報に前記ＬＥＤの消灯が設定されていたとき、前記音声着信表示管理テーブルを検索し、前記発信者メールアドレス以外の特定アドレスに対応して格納されている前記鳴動手段であるスピーカの鳴動駆動情報に基づき前記スピーカを鳴動する第６４のステップと、前記特定アドレスに対応して格納されている前記振動手段であるバイブレーターの駆動制御情報に基づき前記バイブレーターを振動する第６５のステップと、前記特定アドレスに対応して格納されている表示部の起動制御情報に基づき前記表示部を起動または起動を停止する第６６のステップと、前記特定アドレスに対応して格納されている着信中のキー操作規制情報に基づきキー操作部のキー操作の有効または無効を制御する第６７のステップと、第６２のステップで発信者メールアドレスに対応して表示部の停止が設定されていたとき、第６３のステップで発信者メールアドレスに対応してキー操作の有効が設定されていたとき、第６１のステップ、第６２のステップ、第６３のステップ、それぞれの報知方法で、また、第６６のステップで特定アドレスに対応して表示部の停止が設定されていたとき、第６７のステップで特定番号に対応してキー操作部のキー操作の有効が設定されていたとき、第６４のステップ、第６５のステップ、第６６のステップ、第６７のステップ、それぞれの報知方法で呼出を開始し、タイマを起動してキー操作を監視する第６８のステップと、タイマのタイムアウト前にユーザのキー操作を検出したとき、ＬＥＤの消灯、スピーカの鳴動、バイブレーターの振動を停止し、通話を開始し終話を監視する第６９のステップと、終話を検出したとき待ち受け状態へ移行する第７０のステップと、第６８のステップでタイマのタイムアウト前にユーザの応答を検出できなかったとき、第６３のステップでキー操作の無効が設定されていたとき、第６７のステップでキー操作の無効が設定されていたとき、ＬＥＤを消灯、スピーカの鳴動、バイブレーターの振動を停止して表示部に「着信あり」を表示して待ち受け状態へ移行する第７０のステップを有することを特徴とする携帯電話装置の着信表示方法。
【発明の詳細な説明】
【技術分野】
【０００１】
本発明は携帯電話装置とその着信表示方法に関し、特にイルミネーションＬＥＤの制御に関する。
【背景技術】
【０００２】
従来の携帯電話装置は、着信表示方法として、着信音・バイブレーション・ＬＥＤによるイルミネーションの機能を備えている。
【０００３】
そして音声着信時や電子メール受信時には、スピーカから着信音の放音、バイブレーターの振動およびＬＥＤの点滅により着信報知する。
【０００４】
着信報知用のＬＥＤ以外に、専用のＬＥＤを備え、音声通話中や電子メール送受信中も点滅を繰り返すファション感覚なアクセサリー機能であるイルミネーション機能を備えた携帯電話装置も実在する。
【０００５】
ユーザは着信音や振動報知については、所望のメロディーや振動強度を設定することができ、イルミネーション機能においても、ユーザがＬＥＤの発光色を選択することはできる。
【０００６】
従って、ユーザは予め発信者番号対応に異なる発光色を設定しておくことにより、着信時のＬＥＤの点灯色で誰からの電話あるいはメールであるかを応答前に知ることができる。
【０００７】
しかしながら、このような着信報知用のＬＥＤは、音声着信時や電子メール受信時には常に点灯し、一方、応答あるいは不応答が所定時間継続した場合に消灯する。
【０００８】
また、イルミネーションＬＥＤを備えた携帯電話装置もイルミネーションＬＥＤの点灯、消灯をユーザが任意に設定することはできない。
【０００９】
すなわち、着信報知用ＬＥＤの点灯、消灯をユーザが任意に設定することができない。
【００１０】
このような着信機能を備えた携帯無線電話装置が例えば、特開平１１―１０３３３４号公報に開示されている（第１の従来技術）。
【００１１】
この第１の従来技術の無線電話装置は、着信時に点滅または点灯する発光色の異なる第１および第２のＬＥＤと、電話番号を記憶している電話帳メモリを備えている。
【００１２】
そして着信信号中に含まれている発信者番号が電話帳メモリに記憶されている場合は、第１のＬＥＤを点滅または点灯する。
【００１３】
また、着信信号中に含まれている発信者番号が電話帳メモリに記憶されていない場合は、第２のＬＥＤを点滅または点灯する。
【００１４】
また、上記無線電話装置は、バッテリ残量状態に応じて第１および第２のＬＥＤの点灯、点滅、消灯パターンを記憶する記憶部を備えている。
【００１５】
そしてバッテリ残量に対応するパターンに従って第１および第２のＬＥＤを点灯または点滅または消灯する。
【００１６】
【特許文献１】特開平−１１―１０３３３４号公報（段落００１３、段落００１４、図４、図５）。
【００１７】
また、電池残量が少ないとき付加機能の動作を制限することができる技術が例えば、特開２０００―２５３１４２号公報に開示されている（第２の従来技術）。
【００１８】
この第２の従来技術の通信端末装置は、電池残量検出手段が出力する電池残量が所定値以下のとき付加機能である着信ＬＥＤ、着信音、表示部等の機能を停止して消費電力を削減し通話時間の延長を図る。
【００１９】
【特許文献２】特開２０００―２５３１４２号公報（段落００２８、段落００２９、段落００５４、段落０１６２）。
【００２０】
また、バッテリ電圧が所定値以下に低下したとき複数の着信報知機能のうち特定の着信報知機能を停止する技術が例えば、特開平１１―２７５１８２号公報に開示されている（第３の従来技術）。
【００２１】
この第３の従来技術の携帯電話装置は、着信報知機能として着信ＬＥＤ、サウンダ、バイブレーター、ディスプレイ用バックライト、キー用バックライトを備えている。
【００２２】
そしてバッテリ電圧が所定の電圧以下になったとき、着信ＬＥＤを除き、サウンダ、バイブレーター、ディスプレイ用バックライト、キー用バックライトの機能を停止する。
【００２３】
【特許文献３】特開平１１―２７５１８２号公報（段落０００７、段落０００９、段落００１０、段落００１１）。
【発明の開示】
【発明が解決しようとする課題】
【００２４】
上述した従来の第１の従来技術は、着信信号から検出した発信者番号が電話帳メモリに記憶されている場合と、記憶されている場合とで、異なるＬＥＤを点滅または点灯する。
【００２５】
従って、発光色の異なる２種類のＬＥＤが必要になる。
【００２６】
また、予め記憶してあるバッテリ残量対応のパターンに従って発光色の異なる２種類ＬＥＤを点灯または点滅または消灯する。
【００２７】
従って、ユーザが任意にＬＥＤの点灯、消灯を設定することができない。
【００２８】
第２の従来技術は、電池残量が所定値以下のとき付加機能である着信ＬＥＤ、着信音、表示部等の機能を停止して消費電力を削減し通話時間の延長を図る。
【００２９】
従って、ユーザが任意に着信ＬＥＤ、着信音、表示部の点灯、消灯を設定することができない。
【００３０】
第３の従来技術は、バッテリ電圧が所定値以下に低下したとき、着信ＬＥＤを除き、サウンダ、バイブレーター、ディスプレイ用バックライト、キー用バックライトの機能を停止する。
【００３１】
従って、ユーザが任意に着信ＬＥＤの点灯、消灯を設定できない。
【００３２】
また、ユーザが任意にサウンダ、バイブレーター、ディスプレイの起動、停止を設定できない。
【００３３】
上記各従来技術には、次のような共通した問題点がある。
【００３４】
第一の問題点は、度重なる執拗な電話や迷惑メールに対しても着信報知用のＬＥＤが点灯するため、無駄な電力を消費する。
【００３５】
また、度重なる執拗な電話や迷惑メールに対してもＬＥＤが点灯するため、ユーザが着信(受信)に気付き、表示部の表示内容の確認や、電話に応答するなど、無駄な行動を強いられることが予想される。
【００３６】
また、折り畳み携帯電話装置の場合には、度重なる執拗な電話や迷惑メールに対して表示部の表示内容の確認などのために、無駄な開閉操作が多くなりヒンジ部（折り畳みの接続部）が磨耗することにもなる。
【００３７】
また、折り畳み携帯電話装置の場合には、無駄な開閉が多く、ヒンジ部（折り畳みの接続部）の磨耗を促進することにもなる。
【００３８】
また、むやみなＬＥＤの点灯により、ＬＥＤの消耗が早く寿命が短くなる。
【００３９】
第二の問題点は、人が密集するような環境で携帯電話装置を使用する場合、周囲の人はＬＥＤの点灯（イルミネーション）が気になり、着信（受信）の度に使用者の携帯電話装置に目を奪われることが予想され、第三者に迷惑をかける恐れがある。
【００４０】
また、使用者のプライバシーが失われる恐れがある。
【００４１】
第３の問題点は、メール作成等のキー操作時に話したくない相手からの着信があったとき、ユーザが誤ってキーを操作して応答し通話状態となり、電話に出ざるを得なくなることも予想される。
【００４２】
本発明の目的は、各種着信報知機能の起動、停止をユーザが任意に設定することができる携帯電話装置とその着信表示方法を提供することにある。
【００４３】
具体的には、携帯電話装置において音声着信またはメール受信時に、着信報知用のＬＥＤ、スピーカ、バイブレーター、表示部、キー操作規制および着信報知用ＬＥＤの通信中の制御をユーザが任意に設定可能な携帯電話装置とその着信表示方法を提供することにある。
【課題を解決するための手段】
【００４４】
本発明の携帯電話装置は、発光手段、鳴動手段、および振動手段を備え着信報知する携帯電話装置において、着信時に前記発光手段の起動または停止を制御する発光制御手段を有することを特徴とする。
【００４５】
また、発光手段、鳴動手段、および振動手段を備え着信報知する携帯電話装置において、着信時に前記発光手段の起動または停止を制御する発光制御手段と、前記鳴動手段の起動または停止を制御する鳴動制御手段を有することを特徴とする。
【００４６】
また、発光手段、鳴動手段、および振動手段を備え着信報知する携帯電話装置において、着信時に前記発光手段の起動または停止を制御する発光制御手段と、前振動手段の起動または停止を制御する鳴動制御手段と、前記振動手段の起動または停止を制御する鳴動制御手段を有することを特徴とする。
【００４７】
また、発光手段、鳴動手段、および振動手段を備え着信報知する携帯電話装置において、着信時に前記発光手段の起動または停止を制御する発光制御手段と、前記鳴動手段の起動または停止を制御する鳴動制御手段と、前記振動手段の起動または停止を制御する振動制御手段と、表示部の起動または停止を制御する表示部制御手段を有することを特徴とする。
【００４８】
また、発光手段、鳴動手段、および振動手段を備え着信報知する携帯電話装置において、着信時に前記発光手段の起動または停止を制御する発光制御手段と、前記鳴動手段の起動または停止を制御する鳴動制御手段と、前記振動手段の起動または停止を制御する振動制御手段と、表示部の起動または停止を制御する表示部制御手段と、キー操作部の着信中のキー操作の有効または無効を制御するキー操作規制制御手段を有することを特徴とする。
【００４９】
また、発光手段、鳴動手段、および振動手段を備え着信報知する携帯電話装置において、着信時に前記発光手段の起動または停止を制御する発光制御手段と、前記鳴動手段の起動または停止を制御する鳴動制御手段と、前記振動手段の起動または停止を制御する振動制御手段と、表示部の起動または停止を制御する表示部制御手段と、キー操作部の着信中のキー操作の有効または無効を制御するキー操作規制制御手段と、前記発光手段の通信中の起動または停止を制御する通信中発光制御手段を有することを特徴とする。
【００５０】
また、発信者番号通知サービスによる着信時に検出した発信者番号と予め登録した電話番号を照合する手段を備え、照合結果が一致のとき、前記発光制御手段は、検出した前記発信者番号対応に予め設定した前記発光手段の制御情報が「ＯＮ」であるとき、前記発信者番号対応に予め設定した発光色と発光パターンにより前記発光手段を「点灯」し、前記発光手段の制御情報が「ＯＦＦ」であるとき、前記発光手段を「消灯」することを特徴とする。
【００５１】
また、発信者番号通知サービスによる着信時に検出した発信者番号と予め登録した電話番号を照合する手段を備え、照合結果が一致のとき、前記鳴動制御手段は、前記発信者番号対応に予め設定した前記鳴動手段の制御情報が「ＯＮ」であるとき、前記発信者番号対応に予め設定した音量と音色により前記鳴動手段を「鳴動」し、鳴動手段の制御情報が「ＯＦＦ」であるとき、鳴動を「停止」することを特徴とする。
【００５２】
また、発信者番号通知サービスによる着信時に検出した発信者番号と予め登録した電話番号を照合する手段を備え、照合結果が一致のとき、前記振動制御手段は、前記発信者番号対応に予め設定した前記振動手段の制御情報が「ＯＮ」であるとき、前記発信者番号対応に予め設定した振動強度と振動パターンにより前記振動手段を「振動」し、前記振動手段の制御情報が「ＯＦＦ」であるとき、振動を「停止」することを特徴とする。
【００５３】
また、発信者番号通知サービスによる着信時に検出した発信者番号と予め登録した電話番号を照合する手段を備え、照合結果が一致のとき、前記表示部制御手段は、前記発信者番号対応に予め設定した前記表示部の制御情報に基づき前記表示部を「起動」または「停止」することを特徴とする。
【００５４】
また、発信者番号通知サービスによる着信時に検出した発信者番号と予め登録した電話番号を照合する手段を備え、照合結果が一致のとき、前記キー操作規制制御手段は、前記発信者番号対応に予め設定した前記キー操作部の制御情報に基づき前記キー操作の「有効」または「無効」を制御することを特徴とする。
【００５５】
また、発信者番号通知サービスによる着信時に検出した発信者番号と予め登録した電話番号を照合する手段を備え、照合結果が一致のとき、前記通信中発光制御手段は、前記発信者番号対応に予め設定した前記発光手段の通信中制御情報が「ＯＮ」であるとき、前記発信者番号対応に予め設定した発光色と発光パターンにより前記発光手段を通信中「点灯」し、前記発光手段の通信中制御情報が「ＯＦＦ」であるとき、前記発光手段を「消灯」することを特徴とする。
【００５６】
また、発信者番号通知サービスによる着信時に検出した発信者番号と予め登録した電話番号を照合する手段を備え、照合結果が不一致のとき、前記発光制御手段は、検出した前記発信者番号以外の特定番号対応に予め設定した前記発光手段の制御情報が「ＯＮ」であるとき、前記特定番号対応に予め設定した発光色と発光パターンにより前記発光手段を「点灯」し、前記発光手段の制御情報が「ＯＦＦ」であるとき、前記発光手段を「消灯」することを特徴とする。
【００５７】
また、発信者番号通知サービスによる着信時に検出した発信者番号と予め登録した電話番号を照合する手段を備え、照合結果が不一致のとき、前記鳴動制御手段は、前記発信者番号以外の特定番号対応に予め設定した前記鳴動手段の制御情報が「ＯＮ」であるとき、前記特定番号対応に予め設定した音量と音色により前記鳴動手段を「鳴動」し、前記鳴動手段の制御情報が「ＯＦＦ」であるとき、鳴動を「停止」することを特徴とする。
【００５８】
また、発信者番号通知サービスによる着信時に検出した発信者番号と予め登録した電話番号を照合する手段を備え、照合結果が不一致のとき、前記振動制御手段は、前記発信者番号以外の特定番号対応に予め設定した前記振動手段の制御情報が「ＯＮ」であるとき、前記特定番号対応に予め設定した振動強度と振動パターンにより前記振動手段を「振動」し、前記振動手段の制御情報が「ＯＦＦ」であるとき、振動を「停止」することを特徴とする。
【００５９】
また、発信者番号通知サービスによる着信時に検出した発信者番号と予め登録した電話番号を照合する手段を備え、照合結果が不一致のとき、前記表示部制御手段は、前記発信者番号以外の特定番号対応に予め設定した前記表示部の制御情報に基づき前記表示部を「起動」または「停止」することを特徴とする。
【００６０】
また、発信者番号通知サービスによる着信時に検出した発信者番号と予め登録した電話番号を照合する手段を備え、照合結果が不一致のとき、前記キー操作規制制御手段は、前記発信者番号以外の特定番号対応に予め設定した前記キー操作部の制御情報に基づき前記キー操作の「有効」または「無効」を制御することを特徴とする。
【００６１】
また、発信者番号通知サービスによる着信時に検出した発信者番号と予め登録した電話番号を照合する手段を備え、照合結果が不一致のとき、前記通信中発光制御手段は、前記発信者番号以外の特定番号対応に予め設定した前記発光手段の通信中制御情報が「ＯＮ」であるとき、前記特定番号対応に予め設定した発光色と発光パターンにより前記発光手段を通信中「点灯」し、前記発光手段の通信中制御情報が「ＯＦＦ」であるとき、前記発光手段を「消灯」することを特徴とする。
【００６２】
また、発信者番号通知サービス以外による着信時に前記発光制御手段は、発信者番号以外の特定番号対応に予め設定した前記発光手段の制御情報が「ＯＮ」であるとき、前記特定番号対応に予め設定した発光色と発光パターンにより前記発光手段を「点灯」し、前記発光手段の制御情報が「ＯＦＦ」であるとき、前記発光手段を「消灯」することを特徴とする。
【００６３】
また、発信者番号通知サービス以外による着信時に前記鳴動制御手段は、発信者番号以外の特定番号対応に予め設定した前記鳴動手段の制御情報が「ＯＮ」であるとき、前記特定番号対応に予め設定した音量と音色により前記鳴動手段を「鳴動」し、前記鳴動手段の制御情報が「ＯＦＦ」であるとき、鳴動を「停止」することを特徴とする。
【００６４】
また、発信者番号通知サービス以外による着信時に前記振動制御手段は、発信者番号以外の特定番号対応に予め設定した前記振動手段の制御情報が「ＯＮ」であるとき、前記特定番号対応に予め設定した振動強度と振動パターンにより前記振動手段を「振動」し、前記振動手段の制御情報が「ＯＦＦ」であるとき、振動を「停止」することを特徴とする。
【００６５】
また、発信者番号通知サービス以外による着信時に前記表示部制御手段は、発信者番号以外の特定番号対応に予め設定した前記表示部の制御情報に基づき前記表示部を「起動」または「停止」することを特徴とする。
【００６６】
また、発信者番号通知サービス以外による着信時に前記キー操作規制制御手段は、発信者番号以外の特定番号対応に予め設定した前記キー操作部の制御情報に基づき前記キー操作の「有効」または「無効」を制御することを特徴とする。
【００６７】
また、発信者番号通知サービス以外による着信時に前記通信中発光制御手段は、前記発信者番号以外の特定番号対応に予め設定した前記発光手段の通信中制御情報が「ＯＮ」であるとき、前記特定番号対応に予め設定した発光色と発光パターンにより前記発光手段を通信中「点灯」し、前記発光手段の通信中制御情報が「ＯＦＦ」であるとき、前記発光手段を「消灯」することを特徴とする。
【００６８】
また、前記発光手段の「起動」または起動の「停止」の制御情報、および前記発光手段起動時の前記「発光色」と「発光パターン」は、ユーザが任意に設定することを特徴とする。
【００６９】
また、前記鳴動手段の「起動」または起動の「停止」の制御情報、および前記鳴動手段起動時の前記「音量」と「音色」は、ユーザが任意に設定することを特徴とする。
【００７０】
また、前記振動手段の「起動」または起動の「停止」の制御情報、および前記「振動強度」と「振動パターン」は、ユーザが任意に設定することを特徴とする。
【００７１】
また、着信報知における前記発光手段、鳴動手段、および振動手段の「起動」または起動の「停止」および「発光色」と「発光パターン」または「音量」と「音色」または「振動強度」と「振動パターン」はユーザが任意に組み合わせ可能であることを特徴とする。
【００７２】
また、メール着信時に検出した発信者メールアドレスと予め登録したメールアドレスを照合する手段を備え、照合結果が一致のとき、前記発光制御手段は、検出した前記発信者メールアドレス対応に予め設定した前記発光手段の制御情報が「ＯＮ」であるとき、前記発信者メールアドレス対応に予め設定した発光色と発光パターンにより前記発光手段を「点灯」し、前記発光手段の制御情報が「ＯＦＦ」であるとき、前記発光手段を「消灯」することを特徴とする。
【００７３】
また、メール着信時に検出した発信者メールアドレスと予め登録したメールアドレスを照合する手段を備え、照合結果が一致のとき、前記鳴動制御手段は、前記発信者メールアドレス対応に予め設定した前記鳴動手段の制御情報が「ＯＮ」であるとき、前記発信者メールアドレス対応に予め設定した音量と音色により前記鳴動手段を「鳴動」し、前記鳴動手段の制御情報が「ＯＦＦ」であるとき、鳴動を「停止」することを特徴とする。
【００７４】
また、メール着信時に検出した発信者メールアドレスと予め登録したメールアドレスを照合する手段を備え、照合結果が一致のとき、前記振動制御手段は、前記発信者メールアドレス対応に予め設定した前記振動手段の制御情報が「ＯＮ」であるとき、前記発信者メールアドレス対応に予め設定した振動強度と振動パターンにより前記振動手段を「振動」し、前記振動手段の制御情報が「ＯＦＦ」であるとき、振動を「停止」することを特徴とする。
【００７５】
また、メール着信時に検出した発信者メールアドレスと予め登録したメールアドレスを照合する手段を備え、照合結果が一致のとき、前記表示部制御手段は、前記発信者メールアドレス対応に予め設定した前記表示部の制御情報に基づき前記表示部を「起動」または「停止」することを特徴とする。
【００７６】
また、メール着信時に検出した発信者メールアドレスと予め登録したメールアドレスを照合する手段を備え、照合結果が一致のとき、前記キー操作規制制御手段は、前記発信者メールアドレス対応に予め設定した前記キー操作部の制御情報に基づき前記キー操作の「有効」または「無効」を制御することを特徴とする。
【００７７】
また、メール着信時に検出した発信者メールアドレスと予め登録したメールアドレスを照合する手段を備え、照合結果が一致のとき、前記通信中発光制御手段は、前記発信者メールアドレス対応に予め設定した前記発光手段の通信中制御情報が「ＯＮ」であるとき、前記発信者メールアドレス対応に予め設定した発光色と発光パターンにより前記発光手段を通信中「点灯」し、前記発光手段の制御情報が「ＯＦＦ」であるとき、前記発光手段を「消灯」することを特徴とする。
【００７８】
また、メール着信時に検出した発信者メールアドレスと予め登録したメールアドレスを照合する手段を備え、照合結果が不一致のとき、前記発光制御手段は、検出した前記発信者メールアドレス以外の特定メールアドレス対応に予め設定した前記発光手段の制御情報が「ＯＮ」であるとき、前記特定メールアドレス対応に予め設定した発光色と発光パターンにより前記発光手段を「点灯」し、前記発光手段の制御情報が「ＯＦＦ」であるとき、前記発光手段を「消灯」することを特徴とする。
【００７９】
また、メール着信時に検出した発信者メールアドレスと予め登録したメールアドレスを照合する手段を備え、照合結果が不一致のとき、前記鳴動制御手段は、前記発信者メールアドレス以外の特定メールアドレス対応に予め設定した前記鳴動手段の制御情報が「ＯＮ」であるとき、前記特定メールアドレス対応に予め設定した音量と音色により前記鳴動手段を鳴動」し、前記鳴動手段の制御情報が「ＯＦＦ」であるとき、鳴動を「停止」することを特徴とする。
【００８０】
また、メール着信時に検出した発信者メールアドレスと予め登録したメールアドレスを照合する手段を備え、照合結果が不一致のとき、前記振動制御手段は、前記発信者メールアドレス以外の特定メールアドレス対応に予め設定した前記振動手段の制御情報が「ＯＮ」であるとき、前記特定メールアドレス対応に予め設定した振動強度と振動パターンにより前記振動手段を「振動」し、前記振動手段の制御情報が「ＯＦＦ」であるとき、振動を「停止」することを特徴とする。
【００８１】
また、メール着信時に検出した発信者メールアドレスと予め登録したメールアドレスを照合する手段を備え、照合結果が不一致のとき、前記表示部制御手段は、前記発信者メールアドレス以外の特定メールアドレス対応に予め設定した前記表示部の制御情報に基づき前記表示部を「起動」または「停止」することを特徴とする。
【００８２】
また、メール着信時に検出した発信者メールアドレスと予め登録したメールアドレスを照合する手段を備え、照合結果が不一致のとき、前記キー操作規制制御手段は、前記発信者メールアドレス以外の特定メールアドレス対応に予め設定した前記キー操作部の制御情報に基づき前記キー操作の「有効」または「無効」を制御することを特徴とする。
【００８３】
また、メール着信時に検出した発信者メールアドレスと予め登録したメールアドレスを照合する手段を備え、照合結果が不一致のとき、前記通信中発光制御手段は、前記発信者メールアドレス以外の特定メールアドレス対応に予め設定した前記発光手段の通信中制御情報が「ＯＮ」であるとき、前記特定メールアドレス対応に予め設定した発光色と発光パターンにより前記発光手段を通信中「点灯」し、前記発光手段の制御情報が「ＯＦＦ」であるとき、前記発光手段を「消灯」することを特徴とする。
【００８４】
また、前記発光手段の「起動」または起動の「停止」の制御情報、および前記発光手段起動時の前記「発光色」と「発光パターン」は、ユーザが任意に設定することを特徴とする。
【００８５】
また、前記鳴動手段の「起動」または起動の「停止」の制御情報、および前記鳴動手段起動時の前記「音量」と「音色」は、ユーザが任意に設定することを特徴とする。
【００８６】
また、前記振動手段の「起動」または起動の「停止」の制御情報、および前記「振動強度」と「振動パターン」は、ユーザが任意に設定することを特徴とする。
【００８７】
また、着信報知における前記発光手段、鳴動手段、および振動手段の「起動」または起動の「停止」および「発光色」と「発光パターン」または「音量」と「音色」または「振動強度」と「振動パターン」はユーザが任意に組み合わせ可能であることを特徴とする。
【００８８】
本発明の発光手段、鳴動手段、および振動手段を備える携帯電話装置の着信表示方法は、音声着信が発信者番号通知サービスを利用した着信か否かを判定する第１のステップと、音声着信が発信者番号通知サービスを利用した着信であるとき発信者番号を検出し予め備える電話帳を検索し、前記検出した発信者番号が登録されているか否かを判定する第２のステップと、前記発信者番号が前記電話帳に登録されていたとき、予め備える音声着信表示管理テーブルを検索し、検出した前記発信者番号に対応して格納されている前記発光手段であるＬＥＤの点灯駆動情報が「ＯＮ」であるとき、前記発信者番号に対応して格納されている発光色と発光パターンで前記ＬＥＤを点灯し、ＬＥＤの点灯駆動情報が「ＯＦＦ」であるとき消灯する第３のステップと、検出した前記発信者番号に対応して格納されている前記鳴動手段であるスピーカの鳴動駆動情報が「ＯＮ」であるとき、前記発信者番号に対応して格納されている音量と音色で前記スピーカを鳴動し、スピーカの鳴動駆動情報が「ＯＦＦ」であるとき停止する第４のステップと、検出した前記発信者番号に対応して格納されている前記振動手段であるバイブレーターの駆動制御情報が「ＯＮ」であるとき、前記発信者番号に対応して格納されている振動強度と振動パターンで前記バイブレーターを振動し、バイブレーターの駆動制御情報が「ＯＦＦ」であるとき、停止する第５のステップと、検出した前記発信者番号に対応して格納されている表示部の起動制御情報に基づき前記表示部を起動または起動を停止する第６のステップと、検出した前記発信者番号に対応して格納されている着信中のキー操作規制情報に基づきキー操作部の着信中のキー操作の有効または無効を制御する第７のステップと、第１のステップで音声着信が発信者番号通知サービスを利用した着信でなかったとき、または前記第２のステップで電話帳に検出した発信者番号が登録されていなかったとき、前記音声着信表示管理テーブルを検索し、前記発信者番号以外の特定番号に対応して格納されている前記発光手段であるＬＥＤの点灯駆動情報が「ＯＮ」であるとき、前記特定番号に対応して格納されている発光色と発光パターンで前記ＬＥＤを点灯し、前記ＬＥＤの点灯駆動情報が「ＯＦＦ」であるとき消灯する第８のステップと、前記特定番号に対応して格納されている前記鳴動手段であるスピーカの鳴動駆動情報が「ＯＮ」であるとき、前記特定番号に対応して格納されている音量と音色で前記スピーカを鳴動し、前記スピーカの鳴動駆動情報が「ＯＦＦ」であるとき鳴動を停止する第９のステップと、前記特定番号に対応して格納されている前記振動手段であるバイブレーターの振動駆動情報が「ＯＮ」であるとき、前記特定番号に対応して格納されている振動強度と振動パターンで前記バイブレーターを振動し、前記バイブレーターの振動駆動情報が「ＯＦＦ」であるとき、振動を停止する第１０のステップと、前記特定番号に対応して格納されている表示部の起動制御情報に基づき前記表示部を起動または起動を停止する第１１のステップと、前記特定番号に対応して格納されている着信中のキー操作規制情報に基づきキー操作部の着信中のキー操作の有効または無効を制御する第１２のステップと、第６のステップで発信者番号に対応して表示部の停止が設定されていたとき、第７のステップで発信者番号に対応してキー操作の有効が設定されていたとき、第３のステップ、第４のステップ、第５のステップ、第６のステップ、第７のステップ、それぞれの報知方法で、また、第１１のステップで特定番号に対応して表示部の停止が設定されていたとき、第１２のステップで特定番号に対応してキー操作の無効が設定されていたとき、第８のステップ、第９のステップ、第１０のステップ、第１２のステップ、それぞれにおける報知方法で呼出を開始し、タイマを起動して応答を監視する第１３のステップと、タイマのタイムアウト前にユーザの応答を検出したとき、スピーカの鳴動、バイブレーターの振動を停止し、通話を開始する第１４のステップと、ＬＥＤの通信中制御情報にＬＥＤの消灯が設定されているときＬＥＤを消灯して通話を監視し、終話を検出したとき待ち受け状態へ移行し、ＬＥＤの通信中制御情報にＬＥＤの点灯が設定されているときＬＥＤを点灯して通話を監視し、終話を検出したときＬＥＤを消灯して待ち受け状態へ移行する第１５のステップと、第１４のステップでタイマのタイムアウト前にユーザの応答を検出できなかったとき、ＬＥＤを消灯、スピーカの鳴動、バイブレーターの振動を停止して表示部に「着信あり」を表示して待ち受け状態へ移行する第１６のステップを有することを特徴とする。
【００８９】
また、発光手段、鳴動手段、および振動手段を備える携帯電話装置の着信表示方法は、受信メールから発信者メールアドレスを検出し予め備える電話帳を検索し、検出した前記発信者メールアドレスが登録されているか否かを判定する第２１のステップと、前記発信者メールアドレスが前記電話帳に登録されていたとき、予め備えるメール受信表示管理テーブルを検索し、検出した前記発信者メールアドレスに対応して格納されている前記発光手段であるＬＥＤの点灯駆動情報が「ＯＮ」であるとき、前記発信者メールアドレスに対応して格納されている発光色と発光パターンで前記ＬＥＤを点灯し、ＬＥＤの点灯駆動情報が「ＯＦＦ」であるとき消灯する第２２のステップと、検出した前記発信者メールアドレスに対応して格納されている前記鳴動手段であるスピーカの鳴動駆動情報が「ＯＮ」であるとき、前記発信者メールアドレスに対応して格納されている音量と音色で前記スピーカを鳴動し、前記スピーカの鳴動駆動情報が「ＯＦＦ」であるとき振動を停止する第２３のステップと、検出した前記発信者メールアドレスに対応して格納されている前記振動手段であるバイブレーターの駆動制御情報が「ＯＮ」であるとき、前記発信者メールアドレスに対応して格納されている振動強度と振動パターンで前記バイブレーターを振動し、前記バイブレーターの駆動制御情報が「ＯＦＦ」であるとき振動を停止する第２４のステップと、検出した前記発信者メールアドレスに対応して格納されている表示部の起動制御情報に基づき前記表示部を起動または停止する第２５のステップと、検出した前記発信者メールアドレスに対応して格納されている着信中のキー操作規制情報に基づきキー操作部の着信中のキー操作の有効または無効を制御する第２６のステップと、第２１のステップで電話帳に検出した発信者番号が登録されていなかったとき、前記メール受信表示管理テーブルを検索し、前記発信者メールアドレス以外の特定アドレスに対応して格納されている前記発光手段であるＬＥＤの点灯駆動情報が「ＯＮ」であるとき、特定アドレスに対応して格納されている発光色と発光パターンで前記ＬＥＤを点灯し、前記ＬＥＤの点灯駆動情報が「ＯＦＦ」であるとき消灯する第２７のステップと、前記特定アドレスに対応して格納されている前記鳴動手段であるスピーカの鳴動駆動情報が「ＯＮ」であるとき、前記特定アドレスに対応して格納されている音量と音色で前記スピーカを鳴動し、前記スピーカの鳴動駆動情報が「ＯＦＦ」であるとき鳴動を停止する第２８のステップと、前記特定アドレスに対応して格納されている前記振動手段であるバイブレーターの駆動制御情報が「ＯＮ」であるとき、前記特定アドレスに対応して格納されている振動強度と振動パターンで前記バイブレーターを振動し、前記バイブレーターの駆動制御情報が「ＯＦＦ」であるとき振動を停止する第２９のステップと、前記特定アドレスに対応して格納されている表示部の起動制御情報に基づき前記表示部を起動または起動を停止する第３０のステップと、前記特定アドレスに対応して格納されている着信中のキー操作規制情報に基づきキー操作部の着信中のキー操作の有効または無効を制御する第３１のステップと、第２５のステップで発信者メールアドレスに対応して表示部の停止が設定されていたとき、第２６のステップで発信者メールアドレスに対応してキー操作の有効が設定されていたとき、第２２のステップ、第２３のステップ、第２４のステップ、第２５のステップ、第２６のステップ、それぞれの報知方法で、また、第３０のステップで特定アドレスに対応して表示部の停止が設定されていたとき、第３１のステップで特定アドレスに対応してキー操作の有効が設定されていたとき、第２７のステップ、第２８のステップ、第２９のステップ、第３０のステップ、第３１のステップ、それぞれにおける報知方法で、呼出を開始し、タイマを起動して応答を監視する第３２のステップと、タイマのタイムアウト前にユーザのキー操作を検出したとき、ＬＥＤの消灯、スピーカの鳴動、バイブレーターの振動を停止し、ユーザのキー操作の終了を検出したとき待ち受け状態へ移行する第３３のステップと、第３２のステップでタイマのタイムアウト前にユーザのキー操作を検出できなかったとき、ＬＥＤを消灯、スピーカの鳴動、バイブレーターの振動を停止して表示部に「着信あり」を表示して待ち受け状態へ移行する第３４のステップを有することを特徴とする。
【００９０】
また、発光手段、鳴動手段、および振動手段を備える携帯電話装置の着信表示方法において、音声着信が発信者番号通知サービスを利用した着信か否かを判定する第４１のステップと、音声着信が発信者番号通知サービスを利用した着信であるとき発信者番号を検出し予め備える音声着信表示管理テーブルを検索し、検出した前記発信者番号が登録されているか否かを判定する第４２のステップと、前記音声着信表示管理テーブルを検索し、検出した前記発信者番号に対応して格納されている前記発光手段であるＬＥＤの点灯駆動情報が「ＯＮ」であるとき、検出した前記発信者番号に対応して格納されている発光色と発光パターンで前記ＬＥＤを点灯し、前記ＬＥＤの点灯駆動情報が「ＯＦＦ」であるとき消灯する第４３のステップと、検出した前記発信者番号に対応して格納されている表示部の起動制御情報に基づき前記表示部を起動または起動を停止する第４４のステップと、検出した前記発信者番号に対応して格納されている着信中のキー操作規制情報に基づきキー操作部のキー操作の有効または無効を制御する第４５のステップと、第４１のステップで音声着信が発信者番号通知サービスを利用した着信でなかったとき、または第４２のステップで検出した前記発信者番号が登録されていなかったとき、または第４３のステップでＬＥＤの点灯駆動情報がＬＥＤの消灯であったとき、前記音声着信表示管理テーブルを検索し、前記発信者番号以外の特定番号に対応して格納されている前記鳴動手段であるスピーカの鳴動駆動情報に基づき前記スピーカを鳴動する第４６のステップと、前記特定番号に対応して格納されている前記振動手段であるバイブレーターの駆動制御情報に基づき前記バイブレーターを振動する第４７のステップと、前記特定番号に対応して格納されている表示部の起動制御情報に基づき前記表示部を起動または起動を停止する第４８のステップと、前記特定番号に対応して格納されている着信中のキー操作規制情報に基づきキー操作部の着信中のキー操作の有効または無効を制御する第４９のステップと、第４４のステップで発信者番号に対応して表示部の停止が設定されていたとき、第４５のステップで発信者番号に対応してキー操作の有効が設定されていたとき、第４３のステップ、第４４のステップ、第４５のステップ、それぞれの報知方法で、また、第４８のステップで特定番号に対応して表示部の停止が設定されていたとき、第４９のステップで特定番号に対応してキー操作部のキー操作の有効が設定されていたとき、第４６のステップ、第４７のステップ、第４８のステップ、第４９のステップ、それぞれの報知方法で呼出を開始し、タイマを起動して応答を監視する第５０のステップと、タイマのタイムアウト前にユーザの応答を検出したとき、スピーカの鳴動、バイブレーターの振動を停止し、通話を開始する第５１のステップと、ＬＥＤの通信中制御情報にＬＥＤの消灯が設定されているときＬＥＤを消灯して通話を監視し、終話を検出したとき待ち受け状態へ移行し、ＬＥＤの通信中制御情報にＬＥＤの点灯が設定されているときＬＥＤを点灯して通話を監視し、終話を検出したときＬＥＤを消灯して待ち受け状態へ移行する第５２のステップと、第５２のステップでタイマのタイムアウト前にユーザの応答を検出できなかったとき、第４５のステップでキー操作の無効が設定されていたとき、第４９のステップでキー操作の無効が設定されていたとき、ＬＥＤを消灯、スピーカの鳴動、バイブレーターの振動を停止して表示部に「着信あり」を表示して待ち受け状態へ移行する第５３のステップと、発光手段、鳴動手段、および振動手段を備える携帯電話装置の着信表示方法において、受信メールから発信者メールアドレスを検出し、予め備えるメール受信表示管理テーブルを検索し、検出した前記発信者メールアドレスに対応して格納されている前記発光手段であるＬＥＤの点灯駆動情報が「ＯＮ」であるとき、前記発信者メールアドレスに対応して格納されている発光色と発光パターンで前記ＬＥＤを点灯し、前記ＬＥＤの点灯駆動情報が「ＯＦＦ」であるとき、消灯する第６１のステップと、検出した前記発信者メールアドレスに対応して格納されている表示部の起動制御情報に基づき前記表示部を起動または起動を停止する第６２のステップと、検出した前記発信者メールアドレスに対応して格納されている着信中のキー操作規制情報に基づきキー操作部のキー操作の有効または無効を制御する第６３のステップと、ステップＳ６１でメール受信表示管理テーブルに検出した発信者メールアドレスが登録されていなかったとき、または前記ＬＥＤの点灯駆動情報に前記ＬＥＤの消灯が設定されていたとき、前記音声着信表示管理テーブルを検索し、前記発信者メールアドレス以外の特定アドレスに対応して格納されている前記鳴動手段であるスピーカの鳴動駆動情報に基づき前記スピーカを鳴動する第６４のステップと、前記特定アドレスに対応して格納されている前記振動手段であるバイブレーターの駆動制御情報に基づき前記バイブレーターを振動する第６５のステップと、前記特定アドレスに対応して格納されている表示部の起動制御情報に基づき前記表示部を起動または起動を停止する第６６のステップと、前記特定アドレスに対応して格納されている着信中のキー操作規制情報に基づきキー操作部のキー操作の有効または無効を制御する第６７のステップと、第６２のステップで発信者メールアドレスに対応して表示部の停止が設定されていたとき、第６３のステップで発信者メールアドレスに対応してキー操作の有効が設定されていたとき、第６１のステップ、第６２のステップ、第６３のステップ、それぞれの報知方法で、また、第６６のステップで特定アドレスに対応して表示部の停止が設定されていたとき、第６７のステップで特定番号に対応してキー操作部のキー操作の有効が設定されていたとき、第６４のステップ、第６５のステップ、第６６のステップ、第６７のステップ、それぞれの報知方法で呼出を開始し、タイマを起動してキー操作を監視する第６８のステップと、タイマのタイムアウト前にユーザのキー操作を検出したとき、ＬＥＤの消灯、スピーカの鳴動、バイブレーターの振動を停止し、通話を開始し終話を監視する第６９のステップと、終話を検出したとき待ち受け状態へ移行する第７０のステップと、第６８のステップでタイマのタイムアウト前にユーザの応答を検出できなかったとき、第６３のステップでキー操作の無効が設定されていたとき、第６７のステップでキー操作の無効が設定されていたとき、ＬＥＤを消灯、スピーカの鳴動、バイブレーターの振動を停止して表示部に「着信あり」を表示して待ち受け状態へ移行する第７０のステップを有することを特徴とする。
【発明の効果】
【００９１】
以上説明したように本発明によれば、着信時に発光手段であるイルミネーションＬＥＤの点灯または消灯をユーザの意志で任意に設定することができる。
【００９２】
ユーザは、イルミネーションＬＥＤの消灯を設定することにより、周囲に対するイルミネーションＬＥＤ点灯による迷惑を防ぐことができる。
【００９３】
また、ユーザは、イルミネーションＬＥＤの消灯を設定することにより、度重なる執拗な迷惑電話や迷惑メールに対しその都度応答することも無くなる。
【００９４】
また、ユーザは、イルミネーションＬＥＤの消灯を設定することにより、度重なる執拗な迷惑電話や迷惑メールに対し、イルミネーションＬＥＤ点灯による無駄な電力消費を防止できる。
【発明を実施するための最良の形態】
【００９５】
本発明の実施の形態について説明する。
【００９６】
図１は本発明の折り畳み式携帯電話装置の概観図であり、（Ａ）は開いた状態の正面図、（Ｂ）は折り畳んだ状態の背面図である。
【００９７】
図２は本発明の折り畳み式携帯電話装置の主要構成を示す回路ブロック図である。
【００９８】
図３は本発明の折り畳み式携帯電話装置が備える音声着信表示管理テーブルの構成例を示す図である。
【００９９】
図４は本発明の折り畳み式携帯電話装置が備えるメール受信表示管理テーブルの構成例を示す図である。
【０１００】
図５は第１の実施の形態の音声着信時の着信制御処理を説明するためのフローチャートである。
【０１０１】
図６は第１の実施の形態の音声着信時の着信制御処理を説明するためのフローチャートである。
【０１０２】
図７は第２の実施の形態のメール受信時の着信制御処理を説明するためのフローチャートである。
【０１０３】
図８は第２の実施の形態のメール受信時の着信制御処理を説明するためのフローチャートである。
【０１０４】
図９は第３の実施の形態の音声着信時の着信制御処理を説明するためのフローチャートである。
【０１０５】
図１０は第３の実施の形態の音声着信時の着信制御処理を説明するためのフローチャートである。
【０１０６】
図１１は第４の実施の形態のメール受信時の着信制御処理を説明するフローチャートである。
【０１０７】
図１２は第４の実施の形態のメール受信時の着信制御処理を説明するフローチャートである。
【０１０８】
図１３は第５の実施の形態の音声着信時のオリジナルマナーモードの設定処理を説明するためのフローチャートである。
【０１０９】
図１４は第６の実施の形態のメール受信時のオリジナルマナーモードの設定処理を説明するためのフローチャートである。
【０１１０】
図１５はＬＥＤ発光色テーブルの構成例を示す図である。
【０１１１】
図１６はＬＥＤ発光パターンテーブルの構成例を示す図である。
【０１１２】
図１７はスピーカ音量テーブルの構成例を示す図である。
【０１１３】
図１８はスピーカ音色テーブルの構成例を示す図である。
【０１１４】
図１９はバイブレーター振動強度テーブルの構成例を示す図である。
【０１１５】
図２０はバイブレーター振動パターンテーブルの構成例を示す図である。
【０１１６】
最初に図１を参照して本発明の折り畳み式携帯電話装置の構成について説明する。
折り畳み式携帯電話装置１は、下筐体と上筐体とがヒンジ部により結合され、図１（Ａ）に示すように、上筐体には表示部３と、レシーバ部２が所定の位置に配設されている。
【０１１７】
下筐体にはテンキーや各種ファンクションキーからなるキー操作部４とマイク部５が所定の位置に配設されている。
【０１１８】
また上筐体の背面側には図１（Ｂ）に示すように、背面表示部６と、ランプ７と、ＬＥＤ８と、アンテナ９が配設されている。
【０１１９】
ランプ７は、充電中を表示するＬＥＤで、折り畳み式携帯電話装置のバッテリを充電中は例えば赤色で点灯し、充電完了後は消灯する。
【０１２０】
ＬＥＤ８は、着信中および通話中に任意の発光色と発光パターンで点灯、点滅、または消灯する。以下、イルミネーションＬＥＤ８と称す。
【０１２１】
次に図２を参照して本発明の折り畳み式携帯電話装置の主要回路の構成について説明する。
【０１２２】
折り畳み式携帯電話装置１は、図２に示すように、アンテナ９と、無線部１１と、中央制御部１２と、メモリ１３と、マナーモード切替部２３と、タイマ２４と、キー操作部４を備えている。
【０１２３】
また、折り畳み式携帯電話装置１は、表示制御部１４と、表示駆動部１５と、表示部３を備えている。
【０１２４】
また、折り畳み式携帯電話装置１は、ＬＥＤ制御部１６と、ＬＥＤ駆動部１７と、イルミネーションＬＥＤ８を備えている。
【０１２５】
イルミネーションＬＥＤ８は、複数の異なる色で発光可能なＬＥＤ、例えば赤、緑、青色の複合ＬＥＤで、着信中および通話中に任意の発光色で点灯、点滅、または消灯する。
【０１２６】
ＬＥＤ制御部１６は、イルミネーションＬＥＤ８の赤色素子を制御する赤色制御部１６―１を備えている。
【０１２７】
また、ＬＥＤ制御部１６は、イルミネーションＬＥＤ８の緑色素子を制御する緑色制御部１６―２を備えている。
【０１２８】
また、ＬＥＤ制御部１６は、イルミネーションＬＥＤ８の青色素子を制御する青色制御部１６―３を備えている。
【０１２９】
ＬＥＤ駆動部１７は、イルミネーションＬＥＤ８の赤色素子を駆動する赤色駆動部１７―１を備えている。
【０１３０】
また、ＬＥＤ駆動部１７は、イルミネーションＬＥＤ８の緑色素子を駆動する緑色駆動部１７―２を備えている。
【０１３１】
また、ＬＥＤ駆動部１７は、イルミネーションＬＥＤ８の青色素子を駆動する青色駆動部１７―３を備えている。
【０１３２】
また、折り畳み式携帯電話装置１は、着信音量設定部１８と、スピーカ駆動部１９と、スピーカ１０を備えている。
【０１３３】
更に、折り畳み式携帯電話装置１は、バイブレーター制御部２０と、バイブレーター駆動部２１と、バイブレーター２２を備えている。
【０１３４】
なお、折り畳み式携帯電話装置１は、図示していないが、マイクロホン、レシーバも備えている。
【０１３５】
表示部３および背面表示部６（図１）は、電話番号等の使用者に必要な情報を表示するもので、音声着信やメール受信を文字や記号、図形等で通知する機能を有している。
【０１３６】
キー操作部４は、ダイヤルや各種設定情報の入力時に使用する。
【０１３７】
ランプ７は、携帯電話装置１の電池を充電中は赤く点灯し、充電が完了すると消灯する。
【０１３８】
無線部１１は、アンテナ９に接続されており、アンテナ９を通して無線信号の送受信処理を行う。
【０１３９】
タイマ２４は、音声着信時またはメール受信時の各報知手段による報知時間のカウントや通話時間をカウントする。
【０１４０】
マナーモード切替部２３は、キー操作部４の操作によりマナーモードのＯＮ、ＯＦＦを切り替える。
【０１４１】
中央制御部１２は、音声着信またはメール受信時に表示部３、イルミネーションＬＥＤ８、スピーカ１０、バイブレーター２２を制御して着信報知する。
【０１４２】
メモリ１３は、電話帳やスケジュール情報等の外に、各種テーブルやユーザが指定する特定の相手先電話番号を格納する。
【０１４３】
メモリ１３は、図３に示す音声着信表示管理テーブルおよび図４に示すメール受信表示管理テーブルを備えている。
【０１４４】
また、メモリ１３は、図１５に示すＬＥＤ発光色テーブルおよび図１６に示すＬＥＤ発光パターンテーブルを備えている。
【０１４５】
また、メモリ１３は、図１７に示すスピーカ音量テーブルおよび図１８に示すスピーカ音色テーブルを備えている。
【０１４６】
また、メモリ１３は、図１９に示すバイブレーター振動強度テーブルおよび図２０に示すバイブレーター振動パターンテーブルを備えている。
【０１４７】
ユーザは、ＬＥＤ発光色テーブルおよびＬＥＤ発光パターンテーブルから任意の発光色と発光パターンを選択し、音声着信表示管理テーブルまたはメール受信表示管理テーブルへ格納する。
【０１４８】
ユーザは、スピーカ音量テーブルおよびスピーカ音色テーブルから任意の音量と音色を選択し、音声着信表示管理テーブルまたはメール受信表示管理テーブルへ格納する。
【０１４９】
ユーザは、バイブレーター振動強度テーブルおよびバイブレーター振動パターンテーブルから任意の振動強度と振動パターンを選択し、音声着信表示管理テーブルまたはメール受信表示管理テーブルへ格納する。
【０１５０】
図３に示す音声着信表示管理テーブルは、相手先の電話番号（発信者番号）に対応して、イルミネーションＬＥＤ８の着信時の点灯駆動情報、スピーカ鳴動駆動情報、バイブレーター振動駆動情報を格納する。
【０１５１】
また、音声着信表示管理テーブルは、表示部の点灯駆動情報、着信中のキー操作規制情報、通話中のイルミネーションＬＥＤ８の点灯駆動情報を格納する。
【０１５２】
また、音声着信表示管理テーブルは、イルミネーションＬＥＤ８の発光制御情報、スピーカ１０の鳴動制御情報、バイブレーター２２の振動制御情報を格納する。
【０１５３】
イルミネーションＬＥＤ８の発光制御情報は、発光色制御コード情報と発光パターン制御コード情報である。
【０１５４】
スピーカ１０の鳴動制御情報は、音量制御コード情報と音色（メロディー）制御コード情報である。
【０１５５】
バイブレーター２２の振動制御情報は、振動強度制御コード情報と振動パターン制御コード情報である。
【０１５６】
また、音声着信表示管理テーブルは、ユーザが設定する相手先の電話番号（発信者番号）に対応する着信以外の着信に対し共通番号を格納する。
【０１５７】
音声着信表示管理テーブルは、共通番号に対応してイルミネーションＬＥＤ点灯駆動情報、スピーカ鳴動駆動情報、バイブレーター振動駆動情報を格納する。
【０１５８】
また、音声着信表示管理テーブルは、共通番号に対応して表示部の点灯駆動情報、着信中のキー操作規制情報、通話中のイルミネーションＬＥＤ８の点灯駆動情報を格納する。
【０１５９】
また、音声着信表示管理テーブルは、共通番号に対応してイルミネーションＬＥＤ８の発光制御情報、スピーカ１０の鳴動制御情報、バイブレーター２２の振動制御情報を格納する。
【０１６０】
イルミネーションＬＥＤ８の発光制御情報は、発光色制御コード情報と発光パターン制御コード情報である。
【０１６１】
スピーカ１０の鳴動制御情報は、音量制御コード情報と音色（メロディー）制御コード情報である。
【０１６２】
バイブレーター２２の振動制御情報は、振動強度制御コード情報と振動パターン制御コード情報である。
【０１６３】
図４に示すメール受信表示管理テーブルは、相手先のメールアドレス（発信者メールアドレス）に対応して、受信時のイルミネーションＬＥＤ８の点灯駆動情報、スピーカ鳴動駆動情報、バイブレーター振動駆動情報を格納する。
【０１６４】
また、メール受信表示管理テーブルは、表示部の点灯駆動情報、着信中のキー操作規制情報、通話中のイルミネーションＬＥＤ８の点灯駆動情報を格納する。
【０１６５】
また、メール受信表示管理テーブルは、イルミネーションＬＥＤ８の発光制御情報、スピーカ１０の鳴動制御情報、バイブレーター２２の振動制御情報を格納する。
【０１６６】
イルミネーションＬＥＤ８の発光制御情報は、発光色制御コード情報と発光パターン制御コード情報である。
【０１６７】
スピーカ１０の鳴動制御情報は、音量制御コード情報と音色（メロディー）制御コード情報である。
【０１６８】
バイブレーター２２の振動制御情報は、振動強度制御コード情報と振動パターン制御コード情報である。
【０１６９】
また、メール受信表示管理テーブルは、ユーザが設定する相手先のメールアドレス（発信者メールアドレス）に対応する着信以外の着信に対し共通アドレスを格納する。
【０１７０】
メール受信表示管理テーブルは、共通アドレスに対応してイルミネーションＬＥＤ点灯駆動情報、スピーカ鳴動駆動情報、バイブレーター振動駆動情報を格納する。
【０１７１】
また、メール受信表示管理テーブルは、共通アドレスに対応して表示部の点灯駆動情報、着信中のキー操作規制情報、通話中のイルミネーションＬＥＤ８の点灯駆動情報を格納する。
【０１７２】
また、メール受信表示管理テーブルは、共通アドレスに対応してイルミネーションＬＥＤ８の発光制御情報、スピーカ１０の鳴動制御情報、バイブレーター２２の振動制御情報を格納する。
【０１７３】
イルミネーションＬＥＤ８の発光制御情報は、発光色制御コード情報と発光パターン制御コード情報である。
【０１７４】
スピーカ１０の鳴動制御情報は、音量制御コード情報と音色（メロディー）制御コード情報である。
【０１７５】
バイブレーター２２の振動制御情報は、振動強度制御コード情報と振動パターン制御コード情報である。
【０１７６】
図１５に示すＬＥＤ発光色テーブルは、ユーザが所望するイルミネーションＬＥＤの発光色を指定するための符号に対応して、異なる発光色と、発光色の制御コード情報を格納する。
【０１７７】
発光色は赤、青、緑の複合ＬＥＤを使用することにより、任意の発光色を実現できる。
【０１７８】
なお、この発光色テーブルは、製品出荷時にメーカが設定するものとする。
【０１７９】
図１６に示すＬＥＤ発光パターンテーブルは、ユーザが所望するイルミネーションＬＥＤの発光パターンを指定するための符号に対応して、異なる発光パターンと、発光パターンの制御コード情報を格納する。
【０１８０】
発光パターン制御コード情報は、例えばイルミネーションＬＥＤの点滅比により区分する。
【０１８１】
なお、このＬＥＤ発光パターンテーブルは、製品出荷時にメーカが設定するものとする。
【０１８２】
図１７に示すスピーカ音量テーブルは、ユーザが所望するスピーカの音量を指定するための符号に対応して、異なる音量と、音量の制御コード情報を格納する。
【０１８３】
なお、このスピーカ音量テーブルは、製品出荷時にメーカが設定するものとする。
【０１８４】
図１８に示すスピーカ音色テーブルは、ユーザが所望するスピーカの音色を指定するための符号に対応して、異なる音色（メロディー）と、音色の制御コード情報を格納する。
【０１８５】
なお、このスピーカ音色テーブルは、製品出荷時にメーカが設定するものとする。
【０１８６】
図１９に示すバイブレーター振動強度テーブルは、ユーザが所望するバイブレーターの振動を指定するための符号に対応して、異なる振動強度と、振動強度の制御コードを格納する。
【０１８７】
なお、このバイブレーター振動強度テーブルは、製品出荷時にメーカが設定するものとする。
【０１８８】
図２０に示すバイブレーター振動パターンテーブルは、ユーザが所望するバイブレーターの振動パターンを指定するための符号に対応して、異なる振動パターンと、振動パターンの制御コード情報を格納する。
【０１８９】
発光パターン制御コード情報は、例えばバイブレーターの振動対停止比で区分する。
【０１９０】
なお、バイブレーター振動パターンテーブルは、製品出荷時にメーカが設定するものとする。
【０１９１】
表示部３は、表示制御部１４および表示駆動部１５の制御を受け作動する。
【０１９２】
イルミネーションＬＥＤ８は、ＬＥＤ制御部１６およびＬＥＤ駆動部１７の制御を受け作動し、音声着信表示管理テーブル（図３）またはメール受信表示管理テーブル（図４）に格納されている発光色と発光パターンで発光する。
【０１９３】
スピーカ１０は、着信音設定部１８およびスピーカ駆動部１９の制御を受け作動し、音声着信表示管理テーブル（図３）またはメール受信表示管理テーブル（図４）に格納されている音量と音色（メロディー）で報知音を発生する。
【０１９４】
バイブレーター２２は、バイブレーター制御部２０およびバイブレーター駆動部２１の制御を受け作動し、音声着信表示管理テーブル（図３）またはメール受信表示管理テーブル（図４）に格納されている振幅強度と振動パターンで振動する。
【０１９５】
中央制御部１２は、音声着信信号またはメール受信信号を受け取ると、表示部３に着信した旨を表示する。
【０１９６】
中央制御部１２は、表示部３に着信表示すると共に、スピーカ１０を鳴動し着信音を放音させ、バイブレーター２２を振動させ、イルミネーションＬＥＤ８を点滅させる。
【０１９７】
ここで、イルミネーションＬＥＤ８は、音声着信時またはメール受信時において、ユーザが予め音声着信表示管理テーブルまたはメール受信表示管理テーブルに格納したＬＥＤ点灯駆動情報に基づき点灯、または消灯する。
【０１９８】
イルミネーションＬＥＤ８は、ＬＥＤ点灯駆動情報が「ＯＮ」のときはＬＥＤ発光制御情報の発光色制御コードと発光パターン制御コードに基づき点滅してユーザに着信を通知する。
【０１９９】
従って、ユーザは相手先の電話番号個々に対応して、異なる発光色と発光パターンを音声着信表示管理テーブルに設定しておくことにより、イルミネーションＬＥＤ８の発光色と発光パターンを外部から目視するだけで発信者を特定することができる。
【０２００】
また、ユーザは相手先の電話番号個々に対応して、異なる音量と音色（メロディー）を音声着信表示管理テーブルに設定しておくことにより、イルミネーションＬＥＤ８の点滅とスピーカ１０の鳴音により、発信者の特定がより容易になる。
【０２０１】
また、ユーザは相手先の電話番号個々に対応して、異なる振動強度と振動パターンを音声着信表示管理テーブルに設定しておくことにより、イルミネーションＬＥＤ８の点滅とスピーカ１０の鳴音とバイブレーターの振動により、発信者の特定が更に容易になる。
【０２０２】
ユーザは相手先のメールアドレス個々に対応して、異なる発光色と発光パターンをメール受信表示管理テーブルに設定しておくことにより、イルミネーションＬＥＤ８の発光色と発光パターンを外部から目視するだけで発信者を特定することができる。
【０２０３】
また、ユーザは相手先のメールアドレス個々に対応して、異なる音量と音色（メロディー）をメール受信表示管理テーブルに設定しておくことにより、イルミネーションＬＥＤ８の点滅とスピーカ１０の鳴音により、発信者の特定がより容易になる。
【０２０４】
また、ユーザは相手先のメールアドレス個々に対応して、異なる振動強度と振動パターンをメール受信着信表示管理テーブルに設定しておくことにより、イルミネーションＬＥＤ８の点滅とスピーカ１０の鳴音とバイブレーターの振動により、発信者の特定が更に容易になる。
【０２０５】
ここで音声着信表示管理テーブルの構成について説明する。
【０２０６】
図３に示す音声着信表示管理テーブルは、予めユーザが任意に設定するものである。
【０２０７】
ユーザは、音声着信表示管理テーブルに複数の所望する相手先電話番号、例えば「１２３４」、「３４５６」、「５６７８」を設定する。
【０２０８】
ユーザは、音声着信表示管理テーブルに設定した複数の相手先電話番号「１２３４」、「３４５６」、「５６７８」それぞれに対応して、イルミネーションＬＥＤ８のＬＥＤ点灯駆動情報を設定する。
【０２０９】
イルミネーションＬＥＤ８のＬＥＤ点灯駆動情報は、着信時にイルミネーションＬＥＤ８を点灯または消灯するための「ＯＮ」または「ＯＦＦ」情報である。
【０２１０】
ユーザは、音声着信表示管理テーブルに設定した複数の相手先電話番号「１２３４」、「３４５６」、「５６７８」それぞれに対応して、スピーカの鳴動駆動情報と、バイブレーターの振動駆動情報を設定する。
【０２１１】
スピーカ鳴動駆動情報は、着信時にスピーカ１０を鳴動または鳴動を停止するための「ＯＮ」または「ＯＦＦ」情報である。
【０２１２】
バイブレーター振動駆動情報は、着信時にバイブレーター２２を振動または振動を停止するための「ＯＮ」または「ＯＦＦ」情報である。
【０２１３】
ユーザは、音声着信表示管理テーブルに設定した複数の相手先電話番号「１２３４」、「３４５６」、「５６７８」それぞれに対応して、表示部点灯駆動情報を設定する。
【０２１４】
表示部点灯駆動情報は、着信時に表示部３を起動または停止するための「ＯＮ」または「ＯＦＦ」情報である。
【０２１５】
ユーザは、音声着信表示管理テーブルに設定した複数の相手先電話番号「１２３４」、「３４５６」、「５６７８」それぞれに対応して、着信中のキー操作規制情報を設定する。
【０２１６】
着信中キー操作規制情報は、着信中におけるキー操作部４のキー操作を有効または無効とするための「ＯＮ」または「ＯＦＦ」情報である。
【０２１７】
ユーザは、音声着信表示管理テーブルに設定した複数の相手先電話番号「１２３４」、「３４５６」、「５６７８」それぞれに対応して、イルミネーションＬＥＤ８の通話中ＬＥＤ点灯駆動情報を設定する。
【０２１８】
通話中ＬＥＤ点灯駆動情報は、通話中におけるイルミネーションＬＥＤ８を点灯または消灯すれための「ＯＮ」または「ＯＦＦ」情報である。
【０２１９】
ユーザは、音声着信表示管理テーブルに設定した複数の相手先電話番号「１２３４」、「３４５６」、「５６７８」それぞれに対応して、ＬＥＤ発光制御情報を設定する。
【０２２０】
ＬＥＤ発光制御情報は、イルミネーションＬＥＤ８の「発光色」と「発光パターン（点滅）」情報である。
【０２２１】
「発光色」は、ユーザが図１５に示すＬＥＤ発光色テーブルから任意の発光色の符号を選択して設定する。
【０２２２】
「発光パターン」は、ユーザが図１６に示すＬＥＤ発光パターンテーブルから任意の発光パターンの符号を選択して設定する。
【０２２３】
ユーザは、音声着信表示管理テーブルに設定した複数の相手先電話番号「１２３４」、「３４５６」、「５６７８」それぞれに対応して、スピーカ鳴動制御情報を設定する。
【０２２４】
スピーカ鳴動制御情報は、スピーカ１０の「音量」と「音色（メロディー）」情報である。
【０２２５】
「音量」は、ユーザが図１７に示すスピーカ音量テーブルから任意の音量の符号を選択して設定する。
【０２２６】
「音色（メロディー）」は、ユーザが図１８に示すスピーカ音色テーブルから任意のメロディーの符号を選択して設定する。
【０２２７】
ユーザは、音声着信表示管理テーブルに設定した複数の相手先電話番号「１２３４」、「３４５６」、「５６７８」それぞれに対応して、バイブレーター振動制御情報を設定する。
【０２２８】
バイブレーター振動制御情報は、バイブレーター２２の「振動強度」と「振動パターン」である。
【０２２９】
「振動強度」は、ユーザが図１９に示すバイブレーター振動強度テーブルから任意の振動強度の符号を選択して設定する。
【０２３０】
「振動パターン」は、ユーザが図２０に示すバイブレーター振動パターンテーブルから任意の振動パターンの符号を選択して設定する。
【０２３１】
更にユーザは、音声着信表示管理テーブルに相手先電話番号「１２３４」、「３４５６」、「５６７８」以外に、共通番号として例えば「００００」を設定する。
【０２３２】
この共通番号「００００」は、音声着信時に発信者番号通知サービスによる着信以外の着信のときの共通着信表示情報を登録するためのものである。
【０２３３】
この共通番号「００００」は、発信者番号通知サービスによる発信者番号が、電話帳またはメモリに予め登録されていないときの共通着信表示情報を登録するためのものである。
【０２３４】
ユーザは、音声着信表示管理テーブルに設定した共通番号「００００」に対応して、イルミネーションＬＥＤ８のＬＥＤ点灯駆動情報（ＯＮまたはＯＦＦ）を設定する。
【０２３５】
ユーザは、音声着信表示管理テーブルに設定した共通番号「００００」に対応して、スピーカの鳴動駆動情報（ＯＮまたはＯＦＦ）を設定する。
【０２３６】
ユーザは、音声着信表示管理テーブルに設定した共通番号「００００」に対応して、バイブレーターの振動駆動情報（ＯＮまたはＯＦＦ）を設定する。
【０２３７】
ユーザは、音声着信表示管理テーブルに設定した共通番号「００００」に対応して、表示部点灯駆動情報（ＯＮまたはＯＦＦ）を設定する。
【０２３８】
ユーザは、音声着信表示管理テーブルに設定した共通番号「００００」に対応して、通話中のキー操作規制情報（ＯＮまたはＯＦＦ）を設定する。
【０２３９】
ユーザは、音声着信表示管理テーブルに設定した共通番号「００００」に対応して、イルミネーションＬＥＤ８の通話中ＬＥＤ点灯駆動情報（ＯＮまたはＯＦＦ）を設定する。
【０２４０】
ユーザは、音声着信表示管理テーブルに設定した共通番号「００００」に対応して、ＬＥＤ発光制御情報（発光色と発光パターン）を設定する。
【０２４１】
ユーザは、音声着信表示管理テーブルに設定した共通番号「００００」に対応して、スピーカ鳴動制御情報（音量と音色）を設定する。
【０２４２】
ユーザは、音声着信表示管理テーブルに設定した共通番号「００００」に対応して、バイブレーター振動制御情報（振動強度と振動パターン）を設定する。
【０２４３】
次にメール受信表示管理テーブルの構成について説明する。
【０２４４】
図４に示すメール受信表示管理テーブルは、予めユーザが任意に設定するものである。
【０２４５】
ユーザは、メール受信表示管理テーブルに複数の所望する相手先メールアドレス、例えば「ａｂｃｄ」、「ｅｆｇｈ」、「ｍｎｏｐ」を設定する。
【０２４６】
ユーザは、メール受信表示管理テーブルに設定した複数の相手先メールアドレス「ａｂｃｄ」、「ｅｆｇｈ」、「ｍｎｏｐ」それぞれに対応して、イルミネーションＬＥＤ８のＬＥＤ点灯駆動情報を設定する。
【０２４７】
ＬＥＤ点灯駆動情報は、メール受信時にイルミネーションＬＥＤ８を点灯または消灯するための「ＯＮ」または「ＯＦＦ」情報である。
【０２４８】
ユーザは、メール受信表示管理テーブルに設定した複数の相手先メールアドレス「ａｂｃｄ」、「ｅｆｇｈ」、「ｍｎｏｐ」それぞれに対応して、スピーカの鳴動駆動情報を設定する。
【０２４９】
スピーカ鳴動駆動情報は、メール受信時にスピーカ１０を鳴動または鳴動を停止するための「ＯＮ」または「ＯＦＦ」情報である。
【０２５０】
ユーザは、メール受信表示管理テーブルに設定した複数の相手先メールアドレス「ａｂｃｄ」、「ｅｆｇｈ」、「ｍｎｏｐ」それぞれに対応して、バイブレーターの振動駆動情報を設定する。
【０２５１】
バイブレーター振動駆動情報は、メール受信時にバイブレーター２２を振動または振動を停止するための「ＯＮ」または「ＯＦＦ」情報である。
【０２５２】
ユーザは、メール受信表示管理テーブルに設定した複数の相手先メールアドレス「ａｂｃｄ」、「ｅｆｇｈ」、「ｍｎｏｐ」それぞれに対応して、表示部点灯駆動情報を設定する。
【０２５３】
表示部点灯駆動情報は、メール受信時に表示部３を起動または停止するための「ＯＮ」または「ＯＦＦ」情報である。
【０２５４】
ユーザは、メール受信表示管理テーブルに設定した複数の相手先メールアドレス「ａｂｃｄ」、「ｅｆｇｈ」、「ｍｎｏｐ」それぞれに対応して、メール受信中のキー操作規制情報を設定する。
【０２５５】
着信中キー操作規制情報は、キー操作部４のメール受信中のキー操作を有効または無効とするための「ＯＮ」、「ＯＦＦ」情報である。
【０２５６】
ユーザは、メール受信表示管理テーブルに設定した複数の相手先メールアドレス「ａｂｃｄ」、「ｅｆｇｈ」、「ｍｎｏｐ」それぞれに対応して、イルミネーションＬＥＤ８の通話中ＬＥＤ点灯駆動情報を設定する。
【０２５７】
表示部点灯駆動情報は、メール受信時に表示部３を起動または起動を停止するための「ＯＮ」または「ＯＦＦ」情報である。
【０２５８】
通話中ＬＥＤ点灯駆動情報は、メール送受信中にイルミネーションＬＥＤ８を点灯または消灯するための「ＯＮ」または「ＯＦＦ」情報である。
【０２５９】
ユーザは、メール受信表示管理テーブルに設定した複数の相手先メールアドレス「ａｂｃｄ」、「ｅｆｇｈ」、「ｍｎｏｐ」それぞれに対応して、ＬＥＤ発光制御情報を設定する。
【０２６０】
ＬＥＤ発光制御情報は、イルミネーションＬＥＤ８の「発光色」と「発光パターン（点滅）」情報である。
【０２６１】
「発光色」は、ユーザが図１５に示すＬＥＤ発光色テーブルから任意の発光色の符号を選択して設定する。
「発光パターン」は、ユーザが図１６に示すＬＥＤ発光パターンテーブルから任意の発光パターンの符号を選択して設定する。
【０２６２】
ユーザは、メール受信表示管理テーブルに設定した複数の相手先メールアドレス「ａｂｃｄ」、「ｅｆｇｈ」、「ｍｎｏｐ」それぞれに対応して、スピーカ鳴動制御情報を設定する。
【０２６３】
スピーカ鳴動制御情報は、スピーカ１０の「音量」と「音色（メロディー）」情報である。
【０２６４】
「音量」は、ユーザが図１７に示すスピーカ音量テーブルから任意の音量の符号を選択して設定する。
【０２６５】
「音色（メロディー）」は、ユーザが図１８に示すスピーカ音色テーブルから任意のメロディーの符号を選択して設定する。
【０２６６】
ユーザは、メール受信表示管理テーブルに設定した複数の相手先メールアドレス「ａｂｃｄ」、「ｅｆｇｈ」、「ｍｎｏｐ」それぞれに対応して、バイブレーター振動制御情報を設定する。
【０２６７】
バイブレーター振動制御情報は、バイブレーター２２の「振動強度」と「振動パターン」である。
【０２６８】
「振動強度」は、ユーザが図１９示すバイブレーター振動強度テーブルから任意の振動強度の符号を選択して設定する。
【０２６９】
「振動パターン」は、ユーザが図２０に示すバイブレーター振動パターンテーブルから任意の振動パターンの符号を選択して設定する。
【０２７０】
更にユーザは、メール受信表示管理テーブルに設定した複数の相手先メールアドレス「ａｂｃｄ」、「ｅｆｇｈ」、「ｍｎｏｐ」以外に、共通アドレスとして「ｗｘｙｚ」を設定する。
【０２７１】
この共通アドレス「ｗｘｙｚ」は、受信したメールのメールアドレスが、電話帳またはメモリに予め登録されていないときの共通着信表示情報を設定するためのものである。
【０２７２】
ユーザは、メール受信表示管理テーブルに設定した共通アドレス「ｗｘｙｚ」に対応して、イルミネーションＬＥＤ８のＬＥＤ点灯駆動情報（ＯＮまたはＯＦＦ）を設定する。
【０２７３】
ユーザは、メール受信表示管理テーブルに設定した共通アドレス「ｗｘｙｚ」に対応して、スピーカの鳴動駆動情報（ＯＮまたはＯＦＦ）を設定する。
【０２７４】
ユーザは、メール受信表示管理テーブルに設定した共通アドレス「ｗｘｙｚ」に対応して、バイブレーターの振動駆動情報（ＯＮまたはＯＦＦ）を設定する。
【０２７５】
ユーザは、メール受信表示管理テーブルに設定した共通アドレス「ｗｘｙｚ」に対応して、表示部点灯駆動情報（ＯＮまたはＯＦＦ）を設定する。
【０２７６】
ユーザは、メール受信表示管理テーブルに設定した共通アドレス「ｗｘｙｚ」に対応して、通話中のキー操作規制情報（ＯＮまたはＯＦＦ）を設定する。
【０２７７】
ユーザは、メール受信表示管理テーブルに設定した共通アドレス「ｗｘｙｚ」に対応して、メール送受信中のイルミネーションＬＥＤ８のＬＥＤ点灯駆動情報（ＯＮまたはＯＦＦ）を設定する。
【０２７８】
ユーザは、音声着信表示管理テーブルに設定した共通アドレス「ｗｘｙｚ」に対応して、ＬＥＤ発光制御情報（発光色と発光パターン）を設定する。
【０２７９】
ユーザは、音声着信表示管理テーブルに設定した共通アドレス「ｗｘｙｚ」に対応して、スピーカ鳴動制御情報（音量と音色）を登録する。
【０２８０】
ユーザは、音声着信表示管理テーブルに設定した共通アドレス「ｗｘｙｚ」に対応して、バイブレーター振動制御情報（振動強度と振動パターン）を登録する。
【０２８１】
次に図５、図６に図２、図３を併せて参照し第１の実施の形態の音声着信時の着信報知制御について説明する。
【０２８２】
中央制御部１２は、音声着信信号を受信すると（図５のステップＳ１０１）、発信者番号通知サースによる着信か否かを判定する（Ｓ１０２）。
【０２８３】
中央制御部１２は、ステップＳ１０２における判定結果が発信者番号通知サービスによる着信であるとき、その発信者番号、例えば「１２３４」を検出する（Ｓ１０３）。
【０２８４】
中央制御部１２は、メモリ１３に格納されている電話帳（図示せず）を検索し、ステップＳ１０３で検出した発信者番号を検出する（Ｓ１０４）。
【０２８５】
中央制御部１２は、ステップＳ１０３で検出した発信者番号「１２３４」と電話帳から検出した電話番号を照合する（Ｓ１０５）。
【０２８６】
中央制御部１２は、ステップＳ１０５における照合結果が一致であるとき、メモリ１３に格納されている音声着信表示管理テーブル（図３）を検索し、発信者番号「１２３４」が設定されていることを認識する。
【０２８７】
中央制御部１２は、音声着信表示管理テーブルの相手先電話番号「１２３４」に対応して設定されているイルミネーションＬＥＤ８のＬＥＤ点灯駆動情報が「ＯＮ」であるか否かを判定する（Ｓ１０６）。
【０２８８】
中央制御部１２は、ステップＳ１０６における判定結果が「ＯＦＦ」であるときはイルミネーションＬＥＤ８を点灯させずにステップＳ１０８へ移行する。
【０２８９】
中央制御部１２は、ステップＳ１０６における判定結果が「ＯＮ」であるときは、音声着信表示管理テーブから相手先電話番号「１２３４」に対応するイルミネーションＬＥＤ８の発光色（橙色の制御コード情報）と発光パターン（パターン１の制御コード情報）を読み出す（Ｓ１０７）。
【０２９０】
中央制御部１２は、音声着信表示管理テーブルから読み出した「橙色の制御コード情報」と「パターン１の制御コード情報」をＬＥＤ制御部１６へ送出する。
【０２９１】
ＬＥＤ制御部１６は、受け取った「橙色の制御コード情報」と「パターン１の制御コード情報」を一時記憶する。
【０２９２】
また、中央制御部１２は、音声着信表示管理テーブルから相手先電話番号「１２３４」に対応して設定されているスピーカの鳴動駆動情報が「ＯＮ」であるか否かを判定する（Ｓ１０８）。
【０２９３】
中央制御部１２は、ステップＳ１０８における判定結果が「ＯＦＦ」であるとき、スピーカ１０を鳴動させることなくステップＳ１１０へ移行する。
【０２９４】
中央制御部１２は、ステップＳ１０８における判定結果が「ＯＮ」であるとき、音声着信表示管理テーブルから音量（音量１の制御コード情報）と音色（メロディー１の制御コード情報）を読み出し（Ｓ１０９）、着信音設定部１８へ送出する。
【０２９５】
着信音設定部１８は、受け取った「音量１の制御コード情報」と「メロディー１の制御コード情報」を一時記憶する。
【０２９６】
中央制御部１２は、音声着信表示管理テーブルから相手先電話番号「１２３４」に対応して設定されているバイブレーターの振動制御情報が「ＯＮ」であるか否かを判定する（Ｓ１１０）。
【０２９７】
中央制御部１２は、ステップＳ１１０における判定結果が「ＯＦＦ」であるとき、バイブレーターを振動させることなくステップＳ１１２へ移行する。
【０２９８】
中央制御部１２は、ステップＳ１１０における判定結果が「ＯＮ」であるとき、音声着信表示管理テーブルから振動強度（振動強度１の制御コード情報）と振動パターン（振動パターン１の制御コード情報）を読み出し（Ｓ１１１）、バイブレーター制御部２０へ送出する。
【０２９９】
バイブレーター制御部２０は、受け取った「振動強度１の制御コード情報」と「振動パターン１の制御コード情報」を一時記憶する。
【０３００】
中央制御部１２は、音声着信表示管理テーブルから相手先電話番号「１２３４」に対応して設定されている表示部の点灯駆動情報が「ＯＮ」であるか否かを判定する（Ｓ１１２）。
【０３０１】
中央制御部１２は、ステップＳ１１２における判定結果が「ＯＦＦ」であるとき、表示部を起動させることなくステップＳ１２４へ移行する。
【０３０２】
中央制御部１２は、ステップＳ１１２における判定結果が「ＯＮ」であるとき、着信を通知するための所定の表示文字や表示記号をメモリ１３から検出し（Ｓ１１３）、表示制御部１４へ送出する。
【０３０３】
表示制御部１４は、受け取った表示文字や表示記号を一時記憶する。
【０３０４】
中央制御部１２は、音声着信表示管理テーブルから相手先電話番号「１２３４」に対応して設定されているキー操作規制情報が「有効（ＯＮ）」であるか否かを判定する（Ｓ１１４）。
【０３０５】
中央制御部１２は、ステップＳ１１４における判定結果が「無効（ＯＦＦ）」であるとき、図６のステップＳ１３６へ移行する。
【０３０６】
中央制御部１２は、ステップＳ１１２における判定結果が「ＯＦＦ」およびステップＳ１１４における判定結果が「ＯＮ」であるとき、ＬＥＤ制御部１６、着信音設定部１８、バイブレーター制御部２０および表示制御部１４に対し着信報知を指示する。
【０３０７】
着信報知の指示を受けたＬＥＤ制御部１６は、イルミネーションＬＥＤ８の発光色（橙色の制御コード情報）と発光パターン（パターン１の制御コード情報）に基づくＬＥＤ駆動制御情報を生成する。
【０３０８】
ＬＥＤ制御部１６は、生成したＬＥＤ駆動制御情報をＬＥＤ駆動部１７へ出力し、イルミネーションＬＥＤ８を点灯させる（Ｓ１２４）。
【０３０９】
また、着信報知の指示を受けた着信音設定部１８は、スピーカの音量（音量１の制御コード情報）と音色（メロディー１の制御コード情報）に基づくスピーカ駆動制御情報を生成する。
【０３１０】
着信音設定部１８は、生成したスピーカ駆動情報をスピーカ駆動部２１へ出力し、スピーカ１０を鳴動させる（Ｓ１２４）。
【０３１１】
また、着信報知の指示を受けたバイブレーター制御部２０は、バイブレーターの振動強度（振動１の制御コード情報）と振動パターン（パターン１の制御コード情報）に基づくバイブレーター駆動制御情報を生成する。
【０３１２】
バイブレーター制御部２０は、生成したバイブレーター駆動制御情報をバイブレーター駆動部２１へ出力し、バイブレーター２２を振動させる（Ｓ１２４）。
【０３１３】
また、着信報知の指示を受けた表示制御部１４は、着信した旨を示す文字情報、記号情報に基づく表示部駆動情報を生成する。
【０３１４】
表示制御部１４は、生成した表示部駆動情報を表示駆動部１５へ出力し、表示部３を起動させる（Ｓ１２４）。
【０３１５】
中央制御部１２は、ステップＳ１０２において発信者番号ザービス利用による着信でなかったとき、音声着信表示管理テーブルの共通番号「００００」に対応して格納されている共通着信表示情報を検出する。
【０３１６】
また、中央制御部１２は、ステップＳ１０５において発信者番号サービスによる発信者番号と電話帳メモリに予めユーザが登録した相手先電話番号が一致しなかったときにも、共通番号「００００」に対応して格納されている共通着信表示情報を検出する。
【０３１７】
中央制御部１２は、共通番号「００００」に対応するイルミネーションＬＥＤ８のＬＥＤ点灯駆動情報が「ＯＮ」であるか否かを判定する（Ｓ１１５）。
【０３１８】
中央制御部１２は、ステップＳ１１５における判定結果が「ＯＦＦ」であるときはイルミネーションＬＥＤ８を点灯させずにステップＳ１１７へ移行する。
【０３１９】
中央制御部１２は、ステップＳ１１５における判定結果が「ＯＮ」であるときは、音声着信表示管理テーブルの共通番号「００００」に対応するイルミネーションＬＥＤ８の発光色（赤色の制御コード情報）と発光パターン（パターン４の制御コード情報）を読み出す（Ｓ１１６）。
【０３２０】
中央制御部１２は、音声着信表示管理テーブから読み出した「赤色の制御コード情報」と「パターン４の制御コード情報」をＬＥＤ制御部１６へ送出する。
【０３２１】
ＬＥＤ制御部１６は、受け取った「赤色の制御コード情報」と「パターン４の制御コード情報」を一時記憶する。
【０３２２】
中央制御部１２は、音声着信表示管理テーブルの共通番号「００００」に対応するスピーカ１０の鳴動駆動情報が「０Ｎ」であるか否かを判定する（Ｓ１１７）。
【０３２３】
中央制御部１２は、ステップＳ１１７における判定結果が「ＯＦＦ」であるときはスピーカ１０を鳴動させずにステップＳ１１９へ移行する。
【０３２４】
中央制御部１２は、ステップＳ１１７における判定結果が「ＯＮ」であるときは、音声着信表示管理テーブルの共通番号「００００」に対応するスピーカ１０の音量（音量４の制御コード情報）と音色（メロディー４の制御コード情報）を読み出し（Ｓ１１８）、着信音設定部１８へ送出する。
【０３２５】
着信音設定部１８は、受け取った「音量４の制御コード情報」と「メロディー４の制御コード情報」を一時記憶する。
【０３２６】
中央制御部１２は、音声着信表示管理テーブルの共通番号「００００」に対応するバイブレーター２２の振動駆動情報が「ＯＮ」であるか否かを判定する（Ｓ１１９）。
【０３２７】
中央制御部１２は、ステップＳ１１９における判定結果が「ＯＦＦ」であるときはバイブレーター２２を振動させずにステップＳ１２１へ移行する。
【０３２８】
中央制御部１２は、ステップＳ１１９における判定結果が「ＯＮ」であるときは、音声着信表示管理テーブルの共通番号「００００」に対応するバイブレーター２２の振動強度（振動強度４の制御コード情報）と振動パターン（パターン４の制御コード情報）を読み出し（Ｓ１２０）、バイブレーター制御部２０へ送出する（Ｓ１２０）。
【０３２９】
バイブレーター制御部２０は、受け取った「振動強度４の制御コード情報」と「パターン４」の制御コード情報を一時記憶する。
【０３３０】
中央制御部１２は、音声着信表示管理テーブルの共通番号「００００」に対応する表示部１４の点灯駆動情報が「０Ｎ」であるか否かを判定する（Ｓ１２１）。
【０３３１】
中央制御部１２は、ステップＳ１２１における判定結果が「ＯＦＦ」であるときは表示部を点灯させずにステップＳ１２４へ移行する。
【０３３２】
中央制御部１２は、ステップＳ１２１における判定結果が「ＯＮ」であるときは、着信した旨を通知するための所定の表示文字や表示記号をメモリ１３から検出し（Ｓ１２２）、表示制御部１４へ送出する。
【０３３３】
中央制御部１２は、音声着信表示管理テーブルから共通番号「００００」に対応して設定されているキー操作規制情報が「有効（ＯＮ）」であるか否かを判定する（Ｓ１２３）。
【０３３４】
中央制御部１２は、ステップＳ１２３における判定結果が「無効（ＯＦＦ）」であるとき、図６のステップＳ１３６へ移行する。
【０３３５】
中央制御部１２は、ステップＳ１２１における判定結果が「ＯＦＦ」およびステップＳ１２３における判定結果が「ＯＮ」であるとき、ＬＥＤ制御部１６、着信音設定部１８、バイブレーター制御部２０および表示制御部１４に対し着信報知を指示する。
【０３３６】
着信報知の指示を受けたＬＥＤ制御部１６は、イルミネーションＬＥＤ８の「赤色の制御コード」と「発光パターン４の制御コード情報」に基づくＬＥＤ駆動情報を生成してＬＥＤ駆動部１７へ出力し、イルミネーションＬＥＤ８を点灯させる（Ｓ１２４）。
【０３３７】
また、着信報知の指示を受けた着信音設定部１８は、スピーカ１０の「音量４の制御コード情報」と「メロディー４の制御コード」に基づきスピーカ駆動情報を生成してスピーカ駆動部２１へ出力し、スピーカ１０を鳴動させる（Ｓ１２４）。
【０３３８】
また、着信報知の指示を受けたバイブレーター制御部２０は、バイブレーターの「振動４の制御コード情報」と「パターン４の制御コード情報」に基づきバイブレーター駆動情報を生成してバイブレーター駆動部２１へ出力し、バイブレーター２２を振動させる（Ｓ１２４。
【０３３９】
また、着信報知の指示を受けた表示制御部１４は、着信した旨を示す文字情報、記号情報に基づき表示駆動制御情報を生成して、表示駆動部１８へ出力し、表示部３を起動する（Ｓ１２２）。
【０３４０】
中央制御部１２は、呼出開始(Ｓ１２４)と同時に、タイマ２４を起動し（図６のステップＳ１２５）ユーザの応答を監視する（Ｓ１２６）。
【０３４１】
中央制御部１２は、タイマ２４がタイムアウトする前にユーザの応答を検出すると、スピーカ１０の鳴音およびバイブレーター２２の振動、表示部１４を起動を停止し（Ｓ１２７）、通話モードに移行する（Ｓ１２８）。
【０３４２】
中央制御部１２は、通話モードに移行すると音声着信表示管理テーブルの相手先電話番号「１２３４」または共通番号「００００」に対応して設定されているイルミネーションＬＥＤ８の通話中ＬＥＤ点灯駆動情報が「ＯＦＦ」であるか否かを判定する（Ｓ１２９）。
【０３４３】
中央制御部１２は、ステップＳ１２９において通話中ＬＥＤ点灯駆動情報が「ＯＦＦ」であることを判定したとき、イルミネーションＬＥＤ８を消灯して通話を継続し（Ｓ１３０）、終話を検出すると（Ｓ１３１）、待ち受け状態へ移行する（Ｓ１３８）。
【０３４４】
中央制御部１２は、ステップＳ１２９において通話中のＬＥＤ点灯駆動情報が「ＯＮ」であることを判定したとき、イルミネーションＬＥＤ８を点灯し（Ｓ１３２）、通話を継続する。
【０３４５】
中央制御部１２は、終話を検出すると（Ｓ１３３）、イルミネーションＬＥＤ８を消灯し（Ｓ１３４）、待ち受け状態へ移行する（Ｓ１３８）。
【０３４６】
中央制御部１２は、タイマ２４を監視し、タイマ２４のタイムアウト前に応答を検出できなかったとき(Ｓ１３５)、イルミネーションＬＥＤ８を消灯、スピーカ１０の鳴音およびバイブレーター２２の振動を停止する(Ｓ１３６)。
【０３４７】
なお、ステップＳ１１４およびステップＳ１２３においてキー操作規制情報が「ＯＦＦ」であることを判定した場合もステップＳ１３６の処理を行う。
【０３４８】
中央制御部１２は、イルミネーションＬＥＤ８を消灯、スピーカ１０の鳴音およびバイブレーター２２の振動を停止した後、表示部３に「着信有り」を表示し(Ｓ１３７)、待ち受け状態へ移行する（Ｓ１３８)。
【０３４９】
ステップＳ１２４における呼出状態（着信報知状態）では、様々形態により着信報知を行うことができる。
【０３５０】
イルミネーションＬＥＤの点灯制御情報とスピーカ鳴動制御情報とバイブレーター振動制御情報と表示部点灯情報を任意に設定しておくことにより、組み合わせによる複数種の音声着信報知が可能になる。
【０３５１】
例えば、イルミネーションＬＥＤ８による点滅報知と、スピーカによる鳴音報知と、バイブレーターによる振動報知と、表示部による表示報知を同時に行うことが可能である。
【０３５２】
また、イルミネーションＬＥＤ８による点滅報知と、スピーカによる鳴音報知と、バイブレーターによる振動報知と、表示部による表示報知とを任意に組み合わせることも可能である。
【０３５３】
特に、着信時においてイルミネーションＬＥＤ８を消灯することにより、次のような様々な効果を得ることができる。
【０３５４】
例えば、イルミネーションＬＥＤを消灯して、スピーカの鳴音やバイブレーターの振動による着信報知を設定することにより、望まない相手からの執拗な迷惑電話に対してＬＥＤの点灯による無駄な電力消費を回避することができる。
【０３５５】
例えば、イルミネーションＬＥＤを消灯して、バイブレーターの振動による着信報知を設定することにより、イルミネーションＬＥＤの点灯による周囲の人々に対する迷惑を回避することができ、使用者のプライバシーが損なわれることも無くなる。
【０３５６】
例えば、イルミネーションＬＥＤを消灯して、スピーカの鳴音やバイブレーターの振動による着信報知を設定することにより、スピーカの音量、音色、バイブレーターの振動強度、振動パターンにより発信者を特定できるため、無駄な開閉によるヒンジ部の磨耗を回避することもできる。
【０３５７】
また、イルミネーションＬＥＤを消灯して、スピーカの鳴音やバイブレーターの振動による着信報知を設定することにより、イルミネーションＬＥＤの延命を図ることができる。
【０３５８】
例えば、イルミネーションＬＥＤ８による点滅報知と、スピーカによる鳴音報知と、バイブレーターによる振動報知と、表示部による表示報知を一切停止することも可能である。
【０３５９】
従って、イルミネーションＬＥＤ８による点滅報知と、スピーカによる鳴音報知と、バイブレーターによる振動報知を一切停止し、且つ着信中のキー操作無効を設定しておくことにより、着信報知せずに着信を切断し、表示部に「着信有り」を表示することも可能である。
【０３６０】
イルミネーションＬＥＤは消灯のままであるため、着信に気付くことも無く、表示部の表示内容の確認や、着信に応答するなど、無駄な動作を回避することができる。
【０３６１】
また、ユーザは、イルミネーションＬＥＤは消灯のままであるため、発信者が誰かなど余計な気配りも不要である。
【０３６２】
また、発信者番号が音声着信表示管理テーブルに登録されている場合は、発信者番号毎に異なる、発光色と発光パターンによるイルミネーション表示により、発信者を特定することができる。
【０３６３】
また、発信者番号が音声着信表示管理テーブルに登録されている場合は、発信者番号毎に異なる、音量と音色による鳴動表示により、発信者を特定することができる。
【０３６４】
また、発信者番号が音声着信表示管理テーブルに登録されている場合は、発信者番号毎に異なる、振動強度と振動パターンによる振動表示により発信者を特定することができる。
【０３６５】
また、発信者番号が音声着信表示管理テーブルに登録されていない場合は、共通の発光色と発光パターンによるイルミネーション表示により、音声着信表示管理テーブルに登録した発信者以外の発信者からの着信であることがわかる。
【０３６６】
また、発信者番号が音声着信表示管理テーブルに登録されていない場合は、共通の音量と音色による鳴動表示により、音声着信表示管理テーブルに登録した発信者以外の発信者からの着信であることがわかる。
【０３６７】
また、発信者番号が音声着信表示管理テーブルに登録されていない場合は、共通の強度と振動パターンによる振動表示により、音声着信表示管理テーブルに登録した発信者以外からの着信であることがわかる。
【０３６８】
次に図７、図８に図２、図４を併せて参照し第２の実施の形態のメール受信時の着信報知制御について説明する。
【０３６９】
なお、携帯電話装置１のハードウェア構成は、第１の実施の形態と同様であるため説明を省略する。
【０３７０】
中央制御部１２は、メールを受信すると（図７のステップＳ２０１）、受信したメールから発信者アドレス、例えば「ａｂｃｄ」を検出する（Ｓ２０２）。
【０３７１】
中央制御部１２は、メモリ１３に格納されている電話帳（図示せず）を検索し、ステップＳ２０２で検出した相手先メールアドレス「ａｂｃｄ」を検出する（Ｓ２０３）。
【０３７２】
中央制御部１２は、ステップＳ２０２で検出した発信者アドレス「ａｂｃｄ」とステップＳ２０３で電話帳から検出した発信者メールアドレスを照合する（Ｓ２０４）。
【０３７３】
中央制御部１２は、ステップＳ２０４における照合結果が一致であるとき、メモリ１３に格納されているメール受信表示管理テーブル（図４）を検索し、発信者メールアドレス「ａｂｃｄ」が設定されていることを認識する。
【０３７４】
中央制御部１２は、メール受信表示管理テーブルの相手先メールアドレス「ａｂｃｄ」に対応して登録されているイルミネーションＬＥＤ８のＬＥＤ点灯駆動情報が「ＯＮ」であるか否かを判定する（Ｓ２０５）。
【０３７５】
中央制御部１２は、ステップＳ２０５における判定結果が「ＯＦＦ」であるときはイルミネーションＬＥＤ８を点灯させずにステップＳ２０７へ移行する。
【０３７６】
中央制御部１２は、ステップＳ２０５における判定結果が「ＯＮ」であるときは、メール受信表示管理テーブルの相手先メールアドレス「ａｂｃｄ」に対応するイルミネーションＬＥＤ８の発光色（紫色の制御コード情報）と発光パターン（パターン６の制御コード情報）を読み出す（Ｓ２０６）。
【０３７７】
中央制御部１２は、メール受信表示管理テーブルから読み出した「紫色の制御コード情報」と「パターン６の制御コード情報」をＬＥＤ制御部１６へ送出する。
【０３７８】
ＬＥＤ制御部１６は、受け取った「紫色の制御コード情報」と「パターン６の制御コード情報」を一時記憶する。
【０３７９】
中央制御部１２は、メール受信表示管理テーブルから相手先メールアドレス「ａｂｃｄ」に対応して設定されているスピーカの鳴動駆動情報が「ＯＮ」であるか否かを判定する（Ｓ２０７）。
【０３８０】
中央制御部１２は、ステップＳ２０７における判定結果が「ＯＦＦ」であるとき、スピーカ１０を鳴動させることなくステップＳ２０９へ移行する。
【０３８１】
中央制御部１２は、ステップＳ２０７における判定結果が「ＯＮ」であるとき、メール受信表示管理テーブルの相手先メールアドレス「ａｂｃｄ」に対応するスピーカ１０の音量（音量６の制御コード情報）と音色（メロディー６の制御コード情報）を読み出す（Ｓ２０８）。
【０３８２】
中央制御部１２は、メール受信表示管理テーブルから読み出した「音量６の制御コード情報」と「メロディー６の制御コード情報」を着信音設定部１８へ送出する。
【０３８３】
着信音設定部１８は、受け取った「音量６の制御コード情報」と「メロディー６の制御コード情報」を一時記憶する。
【０３８４】
中央制御部１２は、メール受信表示管理テーブルから相手先メールアドレス「ａｂｃｄ」に対応して設定されているバイブレーターの振動駆動情報が「ＯＮ」であるか否かを判定する（Ｓ２０９）。
【０３８５】
中央制御部１２は、ステップＳ２０９における判定結果が「ＯＦＦ」であるとき、バイブレーターを振動させることなくステップＳ２１１へ移行する。
【０３８６】
中央制御部１２は、ステップＳ２０９における判定結果が「ＯＮ」であるとき、メール受信表示管理テーブルの相手先メールアドレス「ａｂｃｄ」に対応するバイブレーターの振動強度（振動強度６の制御コード情報）と振動パターン（振動パターン６の制御コード情報）読み出す（Ｓ２１０）。
【０３８７】
中央制御部１２は、メール受信表示管理テーブルから読み出した、「振動強度６の制御コード情報」と「振動パターン６の制御コード情報」をバイブレーター制御部２０へ送出する。
【０３８８】
バイブレーター制御部２０は、受け取った「振動強度６の制御コード情報」と「振動パターン６の制御コード情報」を一時記憶する。
【０３８９】
中央制御部１２は、メール受信表示管理テーブルの相手先メールアドレス「ａｂｃｄ」に対応して設定されている表示部の点灯駆動情報が「ＯＮ」であるか否かを判定する（Ｓ２１１）。
【０３９０】
中央制御部１２は、ステップＳ２１１における判定結果が「ＯＦＦ」であるとき、表示部を起動させることなくステップＳ２２３へ移行する。
【０３９１】
中央制御部１２は、ステップＳ２１１における判定結果が「ＯＮ」であるとき、メール受信を通知するための所定の表示文字や表示記号をメモリ１３から検出し（Ｓ２１２）、表示制御部１４へ送出する。
【０３９２】
表示制御部１４は、受け取った表示文字や表示記号を一時記憶する。
【０３９３】
中央制御部１２は、メール受信表示管理テーブルの相手先メールアドレス「ａｂｃｄ」に対応して設定されているキー操作規制情報が「有効（ＯＮ）」であるか否かを判定する（Ｓ２１３）。
【０３９４】
中央制御部１２は、ステップＳ２１３における判定結果が「無効（ＯＦＦ）」であるとき、図８のステップＳ２２９へ移行する。
【０３９５】
中央制御部１２は、ステップＳ２１１における判定結果が「ＯＦＦ」およびステップＳ２１３における判定結果が「ＯＮ」であるとき、ＬＥＤ制御部１６に対し着信報知を指示する。
【０３９６】
同時に、中央制御部１２は、ステップＳ２１１における判定結果が「ＯＦＦ」およびステップＳ２１３における判定結果が「ＯＮ」であるとき、着信音設定部１８に対し着信報知を指示する。
【０３９７】
同時に、中央制御部１２は、ステップＳ２１１における判定結果が「ＯＦＦ」およびステップＳ２１３における判定結果が「ＯＮ」であるとき、バイブレーター制御部２０に対し着信報知を指示する。
【０３９８】
同時に、中央制御部１２は、ステップＳ２１１における判定結果が「ＯＦＦ」およびステップＳ２１３における判定結果が「ＯＮ」であるとき、表示制御部１４に対し着信報知を指示する。
【０３９９】
着信報知の指示を受けたＬＥＤ制御部１６は、イルミネーションＬＥＤ８の「紫色の制御コード情報」と「発光パターン６の制御コード情報」に基づくＬＥＤ駆動制御情報を生成する。
【０４００】
ＬＥＤ制御部１６は、生成したＬＥＤ駆動制御情報をＬＥＤ駆動部１７へ出力し、イルミネーションＬＥＤ８を点灯させる（Ｓ２２３）。
【０４０１】
また、着信報知の指示を受けた着信音設定部１８は、スピーカの「音量６の制御コード情報」と「メロディー６の制御コード情報」に基づくスピーカ駆動制御情報を生成する。
【０４０２】
着信音設定部１８は、生成したスピーカ駆動制御情報をスピーカ駆動部２１へ出力し、スピーカ１０を鳴動させる（Ｓ２２３）。
【０４０３】
また、着信報知の指示を受けたバイブレーター制御部２０は、バイブレーターの「振動強度６の制御コード情報」と「振動パターン６の制御コード情報」に基づくバイブレーター駆動情報を生成する。
【０４０４】
バイブレーター制御部２０は、生成したバイブレーター駆動情報をバイブレーター駆動部２１へ出力し、バイブレーター２２を振動させる（Ｓ２２３）。
【０４０５】
中央制御部１２は、ステップＳ２０４において受信メールから検出した発信者メールアドレスと電話帳の相手先メールアドレスが一致しなかったとき、メール受信表示管理テーブルの共通アドレス「ｗｘｙｚ」の共通着信表示情報を検出する。
【０４０６】
中央制御部１２は、メール受信表示管理テーブルの共通アドレス「ｗｘｙｚ」対応のイルミネーションＬＥＤ８のＬＥＤ点灯駆動情報が「ＯＮ」であるか否かを判定する（Ｓ２１４）。
【０４０７】
中央制御部１２は、ステップＳ２１４における判定結果が「ＯＦＦ」であるときは、イルミネーションＬＥＤ８を点灯させずにステップＳ２１６へ移行する。
【０４０８】
中央制御部１２は、ステップＳ２１４における判定結果が「ＯＮ」であるときは、メール受信表示管理テーブルから共通アドレス「ｗｘｙｚ」に対応するイルミネーションＬＥＤ８のＬＥＤ発光制御情報の発光色（緑色の制御コード情報）と発光パターン（パターン９の制御コード情報）を読み出す（Ｓ２１５）。
【０４０９】
中央制御部１２は、メール受信表示管理テーブルから読み出した「緑色の制御コード情報」と「パターン９の制御コード情報」をＬＥＤ制御部１６へ送出する。
【０４１０】
ＬＥＤ制御部１６は、受け取った「緑色の制御コード情報」と「パターン９の制御コード情報」を一時記憶する。
【０４１１】
中央制御部１２は、メール受信表示管理テーブルの共通アドレス「ｗｘｙｚ」に対応するスピーカ１０の鳴動駆動情報が「ＯＮ」であるか否かを判定する（Ｓ２１６）。
【０４１２】
中央制御部１２は、ステップＳ２１６における判定結果が「ＯＦＦ」であるときは、スピーカ１０を鳴動させることなくステップＳ２１８へ移行する。
【０４１３】
中央制御部１２は、ステップＳ２１６における判定結果が「ＯＮ」であるときは、メール受信表示管理テーブルから共通アドレス「ｗｘｙｚ」に対応するスピーカ１０の音量（音量９の制御コード情報）と音色（メロディー９の制御コード情報）を読み出す（Ｓ２１７）。
【０４１４】
中央制御部１２は、メール受信表示管理テーブルから読み出した「音量９の制御コード情報」と音色「メロディー９の制御コード情報」を着信音設定部１８へ送出する。
【０４１５】
着信音設定部１８は、受け取った「音量９の制御コード情報」と音色「メロディー９の制御コード情報」を一時記憶する。
【０４１６】
中央制御部１２は、メール受信表示管理テーブルの共通アドレス「ｗｘｙｚ」に対応するバイブレーター２２の振動駆動情報が「ＯＮ」であるか否かを判定する（Ｓ２１８）。
【０４１７】
中央制御部１２は、ステップＳ２１８における判定結果が「ＯＦＦ」であるとき、バイブレーターを振動させることなくステップＳ２２０へ移行する。
【０４１８】
中央制御部１２は、ステップＳ２１８における判定結果が「ＯＮ」であるとき、メール受信表示管理テーブルの共通アドレス「ｗｘｙｚ」対応するバイブレーター２２の振動強度（振動強度９の制御コード情報）と音色（メロディー９の制御コード情報）を読み出す（Ｓ２１９）。
【０４１９】
中央制御部１２は、メール受信表示管理テーブルから読み出した「振動強度９の制御コード情報」と「メロディー９の制御コード情報」を着信音設定部１８へ送出する。
【０４２０】
着信音設定部１８は、受け取った「振動強度９の制御コード情報」と「メロディー９の制御コード情報」を一時記憶する。
【０４２１】
中央制御部１２は、メール受信表示管理テーブルの共通アドレス「ｗｘｙｚ」に対応する表示部１４の点灯駆動情報が「ＯＮ」であるか否かを判定する（Ｓ２２０）。
【０４２２】
中央制御部１２は、ステップＳ２２０における判定結果が「ＯＦＦ」であるとき、表示部１４を点灯することなくステップＳ２２３へ移行する。
【０４２３】
中央制御部１２は、ステップＳ２２０における判定結果が「ＯＮ」であるとき着信報知するための所定の表示文字や表示記号をメモリ１３から検出し（Ｓ２２）、表示制御部１４へ送出する。
【０４２４】
表示制御部１４は、受け取った表示文字や表示記号を一時記憶する。
【０４２５】
中央制御部１２は、メール受信表示管理テーブルから共通アドレス「ｗｘｙｚ」に対応して設定されているキー操作規制情報が「有効（ＯＮ）」であるか否かを判定する（Ｓ２２２）。
【０４２６】
中央制御部１２は、ステップＳ２２２における判定結果が「無効（ＯＦＦ）」であるとき、図８のステップＳ２２９へ移行する。
【０４２７】
中央制御部１２は、ステップＳ２２０における判定結果が「ＯＦＦ」およびステップＳ２２２における判定結果が「ＯＮ」であるとき、ＬＥＤ制御部１６に対し着信報知を指示する。
【０４２８】
同時に、中央制御部１２は、ステップＳ２２０における判定結果が「ＯＦＦ」およびステップＳ２２２における判定結果が「ＯＮ」であるとき、着信音設定部１８に対し着信報知を指示する。
【０４２９】
同時に、中央制御部１２は、ステップＳ２２０における判定結果が「ＯＦＦ」およびステップＳ２２２における判定結果が「ＯＮ」であるとき、バイブレーター制御部２０に対し着信報知を指示する。
【０４３０】
同時に、中央制御部１２は、ステップＳ２２０における判定結果が「ＯＦＦ」およびステップＳ２２２における判定結果が「ＯＮ」であるとき、バイブレーター制御部２０に対し着信報知を指示する。
【０４３１】
同時に、中央制御部１２は、ステップＳ２２０における判定結果が「ＯＦＦ」およびステップＳ２２２における判定結果が「ＯＮ」であるとき、表示制御部１４に対し着信報知を指示する。
【０４３２】
着信報知の指示を受けたＬＥＤ制御部１６は、イルミネーションＬＥＤ８の発光色（緑色の制御コード情報）と発光パターン（パターン９の制御コード情報）に基づくＬＥＤ駆動情報を生成する。
【０４３３】
ＬＥＤ制御部１６は、生成したＬＥＤ駆動制御情報をＬＥＤ駆動部１７へ出力し、イルミネーションＬＥＤ８を点灯させる（Ｓ２２３）。
【０４３４】
着信報知の指示を受けた着信音設定部１９は、スピーカ１０の音量（音量９の制御コード情報）と音色（メロディー９の制御コード情報）に基づきスピーカ駆動制御情報を生成する。
【０４３５】
着信音設定部１９は、生成しスピーカ駆動情報をスピーカ駆動部１９へ出力し、スピーカ１０を鳴動させる（Ｓ２２３）。
【０４３６】
着信報知の指示を受けたバイブレーター制御部２０は、バイブレーターの振動強度（振動強度９の制御コード情報）と振動パターン（パターン９の制御コード情報）に基づきバイブレーター駆動制御情報を生成する。
【０４３７】
バイブレーター制御部２０は、生成したバイブレーター駆動制御情報をバイブレーター駆動部２１へ出力し、バイブレーター２２を鳴動させる（Ｓ２２３）。
【０４３８】
中央制御部１２は、呼出開始（Ｓ２２３）と同時にタイマ２４を起動し（図８のステップＳ２２４）、ユーザのキー操作を監視する（Ｓ２２５）。
【０４３９】
中央制御部１２は、タイマ２４がタイムアウトする前にユーザのキー操作を検出すると、イルミネーションＬＥＤ８を消灯する（Ｓ２２６）。
【０４４０】
中央制御部１２は、タイマ２４がタイムアウトする前にユーザのキー操作を検出すると、スピーカ１０の鳴音およびバイブレーター２２の振動を停止する（Ｓ２２６）。
【０４４１】
中央制御部１２は、タイマ２４がタイムアウトする前にユーザのキー操作を検出すると、表示部３の起動を停止する（Ｓ２２６）。
【０４４２】
中央制御部１２は、キー操作の終了を検出すると（Ｓ２２７）、待ち受け状態へ移行する（Ｓ２３１）。
【０４４３】
中央制御部１２は、タイマ２４を監視し、タイマ２４のタイムアウト前にキー操作を検出できなかったとき（Ｓ２２８）、イルミネーションＬＥＤ８を消灯する（Ｓ２２９）。
【０４４４】
中央制御部１２は、タイマ２４のタイムアウト前にキー操作を検出できなかったとき、スピーカ１０の鳴音およびバイブレーター２２の振動を停止する（Ｓ２２９）。
【０４４５】
なお、ステップＳ２１３またはステップＳ２２２における判定結果が「無効（ＯＦＦ）」である時も、ステップＳ２２９の処理を行う。
【０４４６】
中央制御部１２は、イルミネーションＬＥＤ８の消灯、スピーカ１０の鳴音およびバイブレーター２２の振動を停止した後、表示部３に「新着メール有り」を表示し（Ｓ２３０）待ち受け状態に移行する（Ｓ２３１）。
【０４４７】
ステップＳ２２３における呼出状態（着信報知状態）では、様々形態により着信報知を行うことができる。
【０４４８】
イルミネーションＬＥＤの点灯制御情報とスピーカ鳴動制御情報とバイブレーター振動制御情報と表示部点灯情報を任意に設定しておくことにより、組み合わせによる複数種のメール受信報知が可能になる。
【０４４９】
例えば、イルミネーションＬＥＤ８による点滅報知と、スピーカによる鳴音報知と、バイブレーターによる振動報知と、表示部による表示報知を同時に行うことが可能である。
【０４５０】
また、イルミネーションＬＥＤ８による点滅報知と、スピーカによる鳴音報知と、バイブレーターによる振動報知と、表示部による表示報知とを任意に組み合わせることも可能である。
【０４５１】
特に、着信時においてイルミネーションＬＥＤ８を消灯することにより、次のような様々な効果を得ることができる。
【０４５２】
例えば、イルミネーションＬＥＤを消灯して、スピーカの鳴音やバイブレーターの振動による着信報知を設定することにより、望まない相手からの執拗な迷惑メールに対してＬＥＤの点灯による無駄な電力消費を回避することができる。
【０４５３】
例えば、イルミネーションＬＥＤを消灯して、バイブレーターの振動による着信報知を設定することにより、イルミネーションＬＥＤの点灯による周囲の人々に対する迷惑を回避することができ、使用者のプライバシーが損なわれることも無くなる。
【０４５４】
例えば、イルミネーションＬＥＤを消灯して、スピーカの鳴音やバイブレーターの振動による着信報知を設定することにより、スピーカの音量、音色、バイブレーターの振動強度、振動パターンにより発信者を特定できるため、無駄な開閉によるヒンジ部の磨耗を回避することもできる。
【０４５５】
また、イルミネーションＬＥＤを消灯して、スピーカの鳴音やバイブレーターの振動による着信報知を設定することにより、イルミネーションＬＥＤの延命を図ることができる。
【０４５６】
例えば、イルミネーションＬＥＤ８による点滅報知と、スピーカによる鳴音報知と、バイブレーターによる振動報知と、表示部による表示報知を一切停止することも可能である。
【０４５７】
従って、イルミネーションＬＥＤ８による点滅報知と、スピーカによる鳴音報知と、バイブレーターによる振動報知を一切停止し、且つ着信中のキー操作無効を設定しておくことにより、メール受信報知せずに着信を切断し、表示部に「メール着信有り」を表示することも可能である。
【０４５８】
イルミネーションＬＥＤは消灯のままであるため、着信に気付くことも無く、表示部の表示内容の確認や、着信に応答するなど、無駄な動作を回避することができる。
【０４５９】
また、ユーザは、イルミネーションＬＥＤは消灯のままであるため、発信者が誰かなど余計な気配りも不要である。
【０４６０】
また、発信者メールアドレスがメール受信表示管理テーブルに登録されている場合は、発信者メールアドレス毎に異なる、発光色と発光パターンによるイルミネーション表示により、発信者を特定することができる。
【０４６１】
また、発信者メールアドレスがメール受信表示管理テーブルに登録されている場合は、発信者メールアドレス毎に異なる、音量と音色による鳴動表示により、発信者を特定することができる。
【０４６２】
また、発信者メールアドレスがメール受信表示管理テーブルに登録されている場合は、発信者メールアドレス毎に異なる、振動強度と振動パターンによる振動表示により発信者を特定することができる。
【０４６３】
また、発信者メールアドレスがメール受信表示管理テーブルに登録されていない場合は、共通の発光色と発光パターンによるイルミネーション表示により、メール受信表示管理テーブルに登録した発信者以外の発信者からのめる受信であることがわかる。
【０４６４】
また、発信者メールアドレスがメール受信表示管理テーブルに登録されていない場合は、共通の音量と音色による鳴動表示により、メール受信表示管理テーブルに登録した発信者以外の発信者からのメール受信であることがわかる。
【０４６５】
また、発信者メールアドレスがメール受信表示管理テーブルに登録されていない場合は、共通の強度と振動パターンによる振動表示により、メール受信表示管理テーブルに登録した発信者以外からのメール受信であることがわかる。
【０４６６】
次に図９、図１０に図２、図３を併せて参照し第３の実施の形態の音声着信時の着信報知制御について説明する。
【０４６７】
なお、携帯電話装置１のハードウェア構成は、第１の実施の形態と同様であるため、説明を省略する。
【０４６８】
中央制御部１２は、音声着信信号を受信すると（図９のステップＳ３０１）、発信者番号通知サースによる着信か否かを判定する（Ｓ３０２）。
【０４６９】
中央制御部１２は、ステップＳ３０２における判定結果が発信者番号通知サービスによる着信でなかったとき、ステップＳ３１１へ移行する。
【０４７０】
中央制御部１２は、ステップＳ３０２における判定結果が発信者番号通知サービスによる着信であるとき、その発信者番号、例えば「１２３４」を検出する（Ｓ３０３）。
【０４７１】
中央制御部１２は、メモリ１３に格納されている音声着信表示管理テーブル（図３）を検索し、ステップＳ３０３で検出した発信者番号「１２３４」を検出する（Ｓ３０４）。
【０４７２】
中央制御部１２は、ステップＳ３０３で検出した発信者番号「１２３４」とステップＳ３０４で音声着信表示管理テーブルから検出した電話番号を照合する（Ｓ３０５）。
【０４７３】
中央制御部１２は、ステップＳ３０５における照合結果が不一致であるとき、ステップＳ３１１へ移行する。
【０４７４】
中央制御部１２は、ステップＳ３０５における照合結果が一致であるとき、メモリ１３に格納されている音声着信表示管理テーブル（図３）を検索する。
【０４７５】
中央制御部１２は、音声着信表示管理テーブルの相手先電話番号「１２３４」に対応して設定されているイルミネーションＬＥＤ８のＬＥＤ点灯駆動情報が「ＯＮ」であるか否かを判定する（Ｓ３０６）。
【０４７６】
中央制御部１２は、ステップＳ３０６における判定結果が「ＯＦＦ」であるときステップＳ３１１へ移行する。
【０４７７】
中央制御部１２は、ステップＳ３０６における判定結果が「ＯＮ」であるときは、音声着信表示管理テーブから相手先電話番号「１２３４」に対応するイルミネーションＬＥＤ８の発光色（橙色の制御コード情報）と発光パターン（パターン１の制御コード情報）を読み出す（Ｓ３０７）。
【０４７８】
中央制御部１２は、音声着信表示管理テーブから読み出した「橙色の制御コード情報」と「パターン１の制御コード情報」をＬＥＤ制御部１６へ送出する。
【０４７９】
ＬＥＤ制御部１６は、受け取った「橙色の制御コード情報」と「パターン１の制御コード情報」を一時記憶する。
【０４８０】
中央制御部１２は、音声着信表示管理テーブルから相手先電話番号「１２３４」に対応して設定されている表示部の点灯駆動情報が「ＯＮ」であるか否かを判定する（Ｓ３０８）。
【０４８１】
中央制御部１２は、ステップＳ３０８における判定結果が「ＯＦＦ」であるとき、表示部を起動させることなくステップＳ３１６へ移行する。
【０４８２】
中央制御部１２は、ステップＳ３０８における判定結果が「ＯＮ」であるとき、着信を通知するための所定の表示文字や表示記号をメモリ１３から検出し（Ｓ３０９）、表示制御部１４へ送出する。
【０４８３】
表示制御部１４は、受け取った表示文字や表示記号を一時記憶する。
【０４８４】
中央制御部１２は、音声着信表示管理テーブルから相手先電話番号「１２３４」に対応して設定されているキー操作規制情報が「有効（ＯＮ）」であるか否かを判定する（Ｓ３１０）。
【０４８５】
中央制御部１２は、ステップＳ３１０における判定結果が「無効（ＯＦＦ）」であるとき、図１０のステップＳ３２８へ移行する。
【０４８６】
中央制御部１２は、ステップＳ３０８の判定結果が「ＯＦＦ」、ステップＳ３１０の判定結果が「ＯＮ」のとき、ＬＥＤ制御部１６、表示制御部１４に対し着信報知を指示する。
【０４８７】
着信報知の指示を受けたＬＥＤ制御部１６は、イルミネーションＬＥＤ８の発光色（橙色の制御コード情報）と発光パターン（パターン１の制御コード情報）に基づくＬＥＤ駆動制御情報を生成する。
【０４８８】
ＬＥＤ制御部１６は、生成したＬＥＤ駆動制御情報をＬＥＤ駆動部１７へ出力し、イルミネーションＬＥＤ８を点灯させる（Ｓ３１６）
着信報知に指示を受けた表示制御部１４は、着信した旨を示す文字情報、記号情報に基づく表示部駆動情報を生成して表示駆動部１５へ出力し、表示部３を起動する（Ｓ３１６）。
【０４８９】
中央制御部１２は、ステップＳ３０２における判定結果が発信者番号通知サービスによる着信でなかったとき、音声着信表示管理テーブルの共通番号「００００」に対応するスピーカ１０の音量（音量４の制御コード情報）と音色（メロディー４の制御コード情報）を読み出す（Ｓ３１１）。
【０４９０】
中央制御部１２は、音声着信表示管理テーブルから読み出した「音量４の制御コード情報」と「メロディー４の制御コード情報」を着信音設定部１８へ送出する。
【０４９１】
着信音設定部１８は、受け取った「音量４の制御コード情報」と「メロディー４の制御コード情報」を一時記憶する。
【０４９２】
中制御部１２は、ステップＳ３０５における照合結果が一致であるとき、またはステップＳ３０６における判定結果が「ＯＦＦ」であるときも、ステップＳ３１１の処理を行う。
【０４９３】
中央制御部１２は、音声着信表示管理テーブルの共通番号「００００」に対応するバイブレーター２２の振動強度（振動強度４の制御コード情報）と振動パターン（振動パターン４の制御コード情報）を読み出す（Ｓ３１２）。
【０４９４】
中央制御部１２は、読み出した「振動強度４の制御コード情報」と「振動パターン４の制御コード情報」をバイブレーター制御部２０へ送出する。
【０４９５】
バイブレーター制御部２０は、受け取った「振動強度４の制御コード情報」と「振動パターン４の制御コード情報」を一時記憶する。
【０４９６】
中央制御部１２は、音声着信表示管理テーブルから共通番号「００００」に対応して設定されている表示部の点灯駆動情報が「ＯＮ」であるか否かを判定する（Ｓ３１３）。
【０４９７】
中央制御部１２は、ステップＳ３１３における判定結果が「ＯＦＦ」であるとき、表示部を起動させることなくステップＳ３１６へ移行する。
【０４９８】
中央制御部１２は、ステップＳ３１３における判定結果が「ＯＮ」であるとき、着信を通知するための所定の表示文字や表示記号をメモリ１３から検出し（Ｓ３１４）、表示制御部１４へ送出する。
【０４９９】
表示制御部１４は、受け取った表示文字や表示記号を一時記憶する。
【０５００】
中央制御部１２は、音声着信表示管理テーブルから共通番号「００００」に対応して設定されているキー操作規制情報が「有効（ＯＮ）」であるか否かを判定する（Ｓ３１５）。
【０５０１】
中央制御部１２は、ステップＳ３１５における判定結果が「無効（ＯＦＦ）」であるとき、図１０のステップＳ３２８へ移行する。
【０５０２】
中央制御部１２は、ステップＳ３１３における判定結果が「ＯＦＦ」、およびステップＳ３１５における判定結果が「ＯＮ」であるとき、着信音設定部１８に対し着信報知を指示する。
【０５０３】
同時に、中央制御部１２は、ステップＳ３１３における判定結果が「ＯＦＦ」、およびステップＳ３１５における判定結果が「ＯＮ」であるとき、バイブレーター制御部２０に対し着信報知を指示する。
【０５０４】
同時に、中央制御部１２は、ステップＳ３１３における判定結果が「ＯＦＦ」、およびステップＳ３１５における判定結果が「ＯＮ」であるとき、表示制御部１４に対し着信報知を指示する。
【０５０５】
着信報知の指示を受けた着信音設定部１８は、スピーカの（音量４の制御コード情報）と（メロディー４の制御コード情報）に基づくスピーカ駆動制御情報を生成する。
【０５０６】
着信音設定部１８は、生成したスピーカ駆動制御情報をスピーカ駆動部２１へ出力し、スピーカ１０を鳴動させる（Ｓ３１６）。
【０５０７】
着信通知を受けたバイブレーター制御部２０は、バイブレーターの（振動４の制御コード情報）と（パターン４の制御コード情報）に基づくバイブレーター駆動制御情報を生成する。
【０５０８】
バイブレーター制御部２０は、生成したバイブレーター駆動制御情報をバイブレーター駆動部２１へ出力し、バイブレーター２２を振動させる（Ｓ３１６）。
【０５０９】
着信報知に指示を受けた表示制御部１４は、着信した旨の文字情報、記号情報に基づく表示部制御情報を生成する。
【０５１０】
表示制御部１４は、生成した表示部制御情報を表示駆動部１５へ出力し、表示部３を起動する（Ｓ３１６）。
【０５１１】
中央制御部１２は、呼出開始(Ｓ３１６)と同時に、タイマ２４を起動し（図１０のステップＳ３１７）ユーザの応答を監視する。
【０５１２】
中央制御部１２は、タイマ２４がタイムアウトする前にユーザの応答を検出すると（Ｓ３１８）、スピーカ１０の鳴音およびバイブレーター２２の振動、表示部１４の起動を停止し（Ｓ３１９）、通話モード（通話開始）に移行する（Ｓ３２０）。
【０５１３】
中央制御部１２は、通話モードに移行すると音声着信表示管理テーブルの相手先電話番号「１２３４」、または共通番号「００００」に対応して設定されているイルミネーションＬＥＤ８の通話中ＬＥＤ点灯駆動情報が「ＯＦＦ」であるか否かを判定する（Ｓ３２１）。
【０５１４】
中央制御部１２は、ステップＳ３２１において通話中ＬＥＤ点灯駆動情報が「ＯＦＦ」であることを判定したとき、イルミネーションＬＥＤ８を消灯し（Ｓ３２２）、通話を継続し、終話を検出すると（Ｓ３２３）、待ち受け状態へ移行する（Ｓ３３０）。
【０５１５】
中央制御部１２は、ステップＳ３２１において通話中のＬＥＤ点灯駆動情報が「ＯＮ」であることを判定したとき、イルミネーションＬＥＤ８を点灯し（Ｓ３２４）、通話を継続する。
【０５１６】
中央制御部１２は、終話を検出すると（Ｓ３２５）、イルミネーションＬＥＤ８を消灯し（Ｓ３２６）、待ち受け状態へ移行する（Ｓ３３０）。
【０５１７】
中央制御部１２は、タイマ２４を監視し、タイマ２４のタイムアウト前に応答を検出できなかったとき（Ｓ３２７）、イルミネーションＬＥＤ８を消灯、スピーカ１０の鳴音およびバイブレーター２２の振動を停止する（Ｓ３２８)。
【０５１８】
なお、図９のステップＳ３１０またはステップＳ３１５においてキー操作有効設定が「無効（ＯＦＦ）」であることを判定した場合もステップＳ３２８処理を行う。
【０５１９】
中央制御部１２は、イルミネーションＬＥＤ８を消灯、スピーカ１０の鳴音およびバイブレーター２２の振動を停止した後、表示部３に「着信有り」を表示し（Ｓ３２９）、待ち受け状態へ移行する（Ｓ３３０)。
【０５２０】
ステップＳ３１６における呼出状態（着信報知状態）では、様々な形態により着信報知を行うことができる。
【０５２１】
音声着信が発信者番号通知サービスによる着信か否かで着信報知が異なる。
【０５２２】
また、着信音声の発信者番号が音声着信表示管理テーブルに格納されているか否かで着信報知が異なる。
【０５２３】
更に、イルミネーションＬＥＤの設定がＯＮかＯＦＦかでも着信報知が異なる。
【０５２４】
発信者番号通知サービスによる発信者番号が音声着信表示管理テーブルに格納され且つ、イルミネーションＬＥＤの設定がＯＮのときは、イルミネーションＬＥＤの点滅と表示部の表示による着信報知が可能である。
【０５２５】
このとき、イルミネーションＬＥＤは、発信者番号毎に異なる発光色と発光パターンでイルミネーション表示する。
【０５２６】
従って、発光色と発光パターンにより発信者を特定することができる。
【０５２７】
発信者番号通知サービスによる着信以外の着信のとき、スピーカの鳴音、バイブレーターの振動、表示部の表示による着信報知が可能である。
【０５２８】
このときスピーカは共通の音量と音色により鳴音報知し、バイブレーターは共通の振動強度と振動パターンにより振動報知する。
【０５２９】
また、発信者番号通知サービスによる発信者番号がメール受信表示管理テーブルに格納されていないとき、スピーカの鳴音、バイブレーターの振動、表示部の表示による着信報知が可能である。
【０５３０】
このときスピーカは共通の音量と音色により鳴音報知し、バイブレーターは共通の振動強度と振動パターンにより振動報知する。
【０５３１】
更に、発信者番号通知サービスによる発信者番号がメール受信表示管理テーブルに格納され且つイルミネーションＬＥＤの設定がＯＦＦのときは、スピーカの鳴音、バイブレーターの振動、表示部の表示による着信報知が可能である。
【０５３２】
このときスピーカは共通の音量と音色により鳴音報知し、バイブレーターは共通の振動強度と振動パターンにより振動報知する。
【０５３３】
従って、共通の音量と音色による鳴音および共通の振動強度と振動パターンによる振動で特定の発信者以外からの着信であることがわかる。
【０５３４】
例えば、イルミネーションＬＥＤを消灯して、スピーカの鳴音およびバイブレーターの振動により着信表示することにより、望まない相手からの執拗な迷惑電話に対してＬＥＤの点灯による無駄な電力消費を回避することができる。
【０５３５】
また、イルミネーションＬＥＤの点灯による周囲の人々に対する迷惑を回避することができ、使用者のプライバシーが損なわれることも無くなる。
【０５３６】
例えば、イルミネーションＬＥＤを消灯して、表示部（この場合背面表示部６）の表示による着信報知により、発信者を特定できるため、無駄な開閉によるヒンジ部の磨耗を回避することもできる。
【０５３７】
また、イルミネーションＬＥＤを消灯して、スピーカの鳴音やバイブレーターの振動による着信報知を設定することにより、イルミネーションＬＥＤの延命を図ることができる。
【０５３８】
次に図１１、図１２に図２、図４を併せて参照し、第４の実施の形態のメール受信時の着信報知制御について説明する。
【０５３９】
なお、携帯電話装置１のハードウェア構成は、第１の実施の形態と同様であるため、説明を省略する。
【０５４０】
中央制御部１２は、メールを受信すると（図１１のステップＳ４０１）、受信したメールから発信者メールアドレス、例えば「ａｂｃｄ」を検出する（Ｓ４０２）。
【０５４１】
中央制御部１２は、メール受信表示管理テーブルを検索し、相手先メールアドレス「ａｂｃｄ」を検出する（Ｓ４０３）。
【０５４２】
中央制御部１２は、ステップＳ４０２で検出した発信者メールアドレス「ａｂｃｄ」と、ステップＳ４０３で検出した相手先メールアドレスとを照合する（Ｓ４０４）。
【０５４３】
中央制御部１２は、ステップＳ４０４における照合結果が不一致であるときは、イルミネーションＬＥＤ８を点灯することなくステップＳ４１０へ移行する。
中央制御部１２は、ステップＳ４０４における照合結果が一致であるとき、メモリ１３に格納されているメール受信表示管理テーブル（図４）を検索する。
【０５４４】
中央制御部１２は、メール受信表示管理テーブルの相手先メールアドレス「ａｂｃｄ」に対応して登録されているイルミネーションＬＥＤ８のＬＥＤ点灯駆動情報が「ＯＮ」であるか否かを判定する（Ｓ４０５）。
【０５４５】
中央制御部１２は、ステップＳ４０５における判定結果が「ＯＦＦ」であるときはイルミネーションＬＥＤ８を点灯させずにステップＳ４１０へ移行する。
【０５４６】
中央制御部１２は、ステップＳ４０５における判定結果が「ＯＮ」であるときは、メール受信表示管理テーブルの相手先メールアドレス「ａｂｃｄ」に対応するイルミネーションＬＥＤ８の発光色（紫色の制御コード情報）と発光パターン（パターン６の制御コード情報）を読み出し（Ｓ４０６）、ＬＥＤ制御部１６へ送出する。
【０５４７】
ＬＥＤ制御部１６は受け取った「紫色の制御コード情報」と「パターン６の制御コード情報」を一時記憶する。
【０５４８】
中央制御部１２は、メール受信表示管理テーブルから相手先メールアドレス「ａｂｃｄ」に対応して設定されている表示部の点灯駆動情報が「ＯＮ」であるか否かを判定する（Ｓ４０７）。
【０５４９】
中央制御部１２は、ステップＳ４０７における判定結果が「ＯＦＦ」であるとき、表示部を点灯させることなくステップＳ４１５へ移行する。
【０５５０】
中央制御部１２は、ステップＳ４０７における判定結果が「ＯＮ」であるとき、着信を通知するための所定の表示文字や表示記号をメモリ１３から検出し（Ｓ４０８）、表示制御部１４へ送出する。
【０５５１】
中央制御部１２は、メール受信表示管理テーブルから相手先メールアドレス「ａｂｃｄ」に対応して設定されているキー操作規制情報が「有効（ＯＮ）」であるか否かを判定する（Ｓ４０９）。
【０５５２】
中央制御部１２は、ステップＳ４０９における判定結果が「有効（ＯＮ）」であるときステップＳ４１５へ移行し、「無効（ＯＦＦ）」であるとき図１２のステップＳ４２１へ移行する。
【０５５３】
中央制御部１２は、ステップＳ４０７における判定結果が「ＯＦＦ」であるとき、また、ステップＳ４０９における判定結果が「ＯＮ」であるとき、ＬＥＤ制御部１６、表示制御部１４へ着信報知を指示する。
【０５５４】
着信報知の指示を受けたＬＥＤ制御部１６は、イルミネーションＬＥＤ８の発光色（紫色の制御コード情報）と発光パターン（パターン６の制御コード情報）に基づくＬＥＤ駆動制御情報を生成する。
【０５５５】
ＥＤ制御部１６は、生成したＬＥＤ駆動制御情報をＬＥＤ駆動部１７へ出力し、ＬＥＤ８を点灯させる（Ｓ４１５）。
【０５５６】
着信報知の指示を受けた表示制御部１４は、着信した旨を示す文字情報、記号情報に基づく表示部駆動情報を生成して表示駆動部１５へ出力し、表示部３を起動させる（Ｓ４１５）。
【０５５７】
中央制御部１２は、ステップＳ４０４における照合結果が不一致であるとき、メール受信表示管理テーブルの共通アドレス「ｗｘｙｚ」に対応するスピーカ１０の音量（音量９の制御コード情報）と音色（メロディー９の制御コード情報）を読み出す（Ｓ４１０）。
【０５５８】
中央制御部１２は、読み出した「音量９の制御コード情報」と「メロディー９の制御コード情報」を着信音設定部１８へ送出する。
【０５５９】
着信音設定部１８は、受け取った「音量９の制御コード情報」と「メロディー９の制御コード情報」を一時記憶する。
【０５６０】
中制御部１２は、ステップＳ４０５における判定結果が「ＯＦＦ」であるときも、ステップＳ４１０の処理を行う。
【０５６１】
中央制御部１２は、メール受信表示管理テーブルの共通アドレス「ｗｘｙｚ」に対応するバイブレーター２２の振動強度（振動強度９の制御コード情報）と振動パターン（振動パターン９の制御コード情報）を読み出す（Ｓ４１１）。
【０５６２】
中央制御部１２は、読み出した「振動強度９の制御コード情報」と「振動パターン９の制御コード情報」をバイブレーター制御部２０へ送出する。
【０５６３】
バイブレーター制御部２０は、受け取った「振動強度９の制御コード情報」と「振動パターン９の制御コード情報」を一時記憶する。
【０５６４】
中央制御部１２は、メール受信表示管理テーブルから共通アドレス「ｗｘｙｚ」に対応して設定されている表示部の点灯駆動情報が「ＯＮ」であるか否かを判定する（Ｓ４１２）。
【０５６５】
中央制御部１２は、ステップＳ４１２における判定結果が「ＯＦＦ」であるとき、表示部を起動させることなくステップＳ４１５へ移行する。
【０５６６】
中央制御部１２は、ステップＳ４１２における判定結果が「ＯＮ」であるとき、着信を通知するための所定の表示文字や表示記号をメモリ１３から検出し（Ｓ４１３）、表示制御部１４へ送出する。
【０５６７】
表示制御部１４は、受け取った表示文字や表示記号を一時記憶する。
【０５６８】
中央制御部１２は、メール受信表示管理テーブルから共通アドレス「ｗｘｙｚ」に対応して設定されているキー操作規制情報が「ＯＮ」であるか否かを判定する（Ｓ４１４）。
【０５６９】
中央制御部１２は、ステップＳ４１４における判定結果が「無効（ＯＦＦ）」であるとき、図１２のステップＳ４２１へ移行する。
【０５７０】
中央制御部１２は、ステップＳ４１２の判定結果が「ＯＦＦ」、ステップＳ４１４の判定結果が「ＯＮ」のとき、着信音設定部１８、バイブレーター制御部２０、表示制御部１４に対し着信報知を指示する。
【０５７１】
着信報知の指示を受けた着信音設定部１８は、スピーカの音量（音量９の制御コード情報）と音色（メロディー９の制御コード情報）に基づくスピーカ駆動制御情報を生成する。
【０５７２】
着信音設定部１８は、生成したスピーカ駆動制御情報をスピーカ駆動部２１へ出力し、スピーカ１０を鳴動させる（Ｓ４１５）。
【０５７３】
また、着信報知の指示を受けたバイブレーター制御部２０は、バイブレーターの振動強度（振動強度９の制御コード情報）と振動パターン（振動パターン９の制御コード情報）に基づくバイブレーター駆動制御情報を生成する。
【０５７４】
バイブレーター制御部２０は、生成したバイブレーター駆動制御情報をバイブレーター駆動部２１へ出力し、バイブレーター２２を振動させる（Ｓ４１５）。
【０５７５】
また、着信報知の指示を受けた表示制御部１４は、着信した旨の文字情報、記号情報に基づく表示部駆動情報を生成して表示駆動部１５へ出力し、表示部３を起動させる（Ｓ４１５）。
【０５７６】
中央制御部１２は、呼出開始（Ｓ４１５）と同時に、タイマ２４を起動し（図１２のステップＳ４１６）ユーザのキー操作を監視する（Ｓ４１７）。
【０５７７】
中央制御部１２は、タイマ２４がタイムアウトする前にユーザのキー操作を検出すると、イルミネーションＬＥＤ８を消灯する（Ｓ４１８）。
【０５７８】
中央制御部１２は、タイマ２４がタイムアウトする前にユーザのキー操作を検出すると、スピーカ１０の鳴音およびバイブレーター２２の振動を停止する（Ｓ４１８）。
【０５７９】
中央制御部１２は、タイマ２４がタイムアウトする前にユーザのキー操作を検出すると、表示部３の表示を停止する（Ｓ４１８）。
【０５８０】
中央制御部１２は、キー操作の終了を検出すると（Ｓ４１９）、待ち受け状態へ移行する（Ｓ４２３）。
【０５８１】
中央制御部１２は、タイマ２４を監視し、タイマ２４のタイムアウト前にキー操作を検出できなかったとき（Ｓ４２０）、イルミネーションＬＥＤ８を消灯する（Ｓ４２１）。  中央制御部１２は、タイマ２４のタイムアウト前にキー操作を検出できなかったとき、スピーカ１０の鳴音およびバイブレーター２２の振動を停止する（Ｓ４２１）。
【０５８２】
中央制御部１２は、イルミネーションＬＥＤ８の消灯、スピーカ１０の鳴音およびバイブレーター２２の振動を停止した後、表示部３に「新着メール有り」を表示し（Ｓ４２２）待ち受け状態に移行する（Ｓ４２３）。
【０５８３】
ステップＳ４１５における呼出状態（着信報知状態）では、様々な形態により着信報知を行うことができる。
【０５８４】
受信メールの発信者メールアドレスがメール受信表示管理テーブルに格納されているか否かで着信報知が異なる。
【０５８５】
また、イルミネーションＬＥＤの設定がＯＮかＯＦＦかでも着信報知が異なる。
【０５８６】
発信者メールアドレスがメール受信表示管理テーブルに格納され且つ、イルミネーションＬＥＤの設定がＯＮのときは、イルミネーションＬＥＤの点滅と表示部の表示による着信報知が可能である。
【０５８７】
このとき、イルミネーションＬＥＤは、発信者メールアドレス毎に異なる発光色と発光パターンでイルミネーション表示する。
【０５８８】
従って、発光色と発光パターンにより発信者を特定することができる。
【０５８９】
発信者メールアドレスがメール受信表示管理テーブルに格納されていないとき、およびイルミネーションＬＥＤの設定がＯＦＦのときは、スピーカの鳴音、バイブレーターの振動、表示部の表示による着信報知が可能である。
【０５９０】
このときスピーカは共通の音量と音色により鳴音報知し、バイブレータは共通の振動強度と振動パターンにより振動報知する。
【０５９１】
従って、共通の音量と音色による鳴音および共通の振動強度と振動パターンによる振動で特定の発信者以外からの着信であることがわかる。
【０５９２】
例えば、イルミネーションＬＥＤを消灯して、スピーカの鳴音およびバイブレーターの振動により着信表示することにより、望まない相手からの執拗な迷惑メールに対してＬＥＤの点灯による無駄な電力消費を回避することができる。
【０５９３】
また、イルミネーションＬＥＤの点灯による周囲の人々に対する迷惑を回避することができ、使用者のプライバシーが損なわれることも無くなる。
【０５９４】
例えば、イルミネーションＬＥＤを消灯して、表示部（この場合背面表示部６）の表示による着信報知により、発信者を特定できるため、無駄な開閉によるヒンジ部の磨耗を回避することもできる。
【０５９５】
また、イルミネーションＬＥＤを消灯して、スピーカの鳴音やバイブレーターの振動による着信報知を設定することにより、イルミネーションＬＥＤの延命を図ることができる。
【０５９６】
次に図１３に図２、図３を併せて参照し第５の実施の形態のオリジナルマナーモードの設定処理について説明する。
【０５９７】
中央制御部１２は、ユーザの所定の操作を検出しオリジナルマナーモードの設定モードを設定し（図１３のステップＳ５０１）、表示部３に音声着信かメール受信かの選択画面を表示する（Ｓ５０２）。
【０５９８】
中央制御部１２は、ユーザによる音声着信の指定を検出し、表示部３に着信報知方法の選択画面を表示する（Ｓ５０３）。
【０５９９】
この着信報知方法の選択は、ユーザが指定する相手先電話番号対応に着信報知するか、相手先を指定せずにすべての着信に対応して着信報知するかを選択するものである。
【０６００】
中央制御部１２は、ユーザによる相手先電話番号対応の指定を検出し、表示部３に電話帳画面を表示する（Ｓ５０４）。
【０６０１】
ユーザは、表示部に表示された電話帳画面から所望する電話番号（相手先電話番号）、例えば「１２３４」をカーソルにより選択し指定する（Ｓ５０５）。
【０６０２】
中央制御部１２は、ユーザが指定した相手先電話番号「１２３４」を検出し、音声着信表示管理テーブルに格納する。
【０６０３】
中央制御部１２は、ステップＳ５０４において、ユーザの指定が相手先電話番号対応でなかったとき、ステップＳ５２５へ移行する。
【０６０４】
中央制御部１２は、音声着信表示管理テーブルに対する、ステップＳ５０５において指定された相手先電話番号の音声着信表示管理テーブルへの格納が終了すると、表示部３にＬＥＤ点灯駆動情報の設定画面を表示する。
【０６０５】
ユーザは、表示されたＬＥＤ点灯設定画面にイルミネーションＬＥＤ８の点灯による着信報知を行うか否かを指定する（Ｓ５０７）。
【０６０６】
中央制御部１２は、ユーザのイルミネーションＬＥＤ８の点灯指定を検出したとき、音声着信表示管理テーブルに格納した相手先電話番号、「１２３４」に対応してＬＥＤ点灯駆動情報欄に「ＯＮ」を格納する。
【０６０７】
中央制御部１２は、ＬＥＤ点灯駆動情報欄に「ＯＮ」を設定すると、表示部３にＬＥＤ発光色テーブルを読み出し表示する。
【０６０８】
ＬＥＤ発光色テーブルは、図１５に示すように、複数の発光色と発光色制御コード情報が異なる符号に対応して格納されている。
【０６０９】
ユーザは、表示画面から任意の符号、例えば符号「４」を選択することにより、イルミネーションＬＥＤ８の発光色を橙色に指定することができる。
【０６１０】
中央制御部１２は、ユーザが選択した「橙色」をイルミネーションＬＥＤ８の発光色として音声着信表示管理テーブルの「発光色欄」に格納する（Ｓ５０８）。
【０６１１】
中央制御部１２は、発光色の格納が終了すると、表示部３にＬＥＤ発光パターンテーブルを読み出し表示する。
【０６１２】
ＬＥＤ発光パターンテーブルは、図１６に示すように、複数の発光パターンと発光パターンコード情報が異なる符号に対応して格納されている。
【０６１３】
ユーザは、表示画面から任意の符号、例えば符号「１」を選択することにより、イルミネーションＬＥＤ８の発光パターンをパターン１に指定することができる。
【０６１４】
中央制御部１２は、ユーザが選択した「発光パターン１」をイルミネーションＬＥＤ８の発光パターンとして音声着信表示管理テーブルの「発光パターン欄」に格納する（Ｓ５０８）。
【０６１５】
中央制御部１２は、ステップＳ５０７において、ユーザのイルミネーションＬＥＤ８の消灯指定を検出したとき、音声着信表示管理テーブルに格納した相手先電話番号、「１２３４」に対応してＬＥＤ点灯駆動情報欄に「ＯＦＦ」を格納する（Ｓ５０９）。
【０６１６】
中央制御部１２は、ステップＳ５０９において音声着信表示管理テーブルのスピーカ鳴動駆動情報欄に「ＯＦＦ」を格納した後、ステップＳ５１０へ移行する。
【０６１７】
中央制御部１２は、ステップＳ５０８における発光色および発光パターンの設定またはステップＳ５０９におけるＬＥＤ消灯設定後、表示部３にスピーカの鳴動設定画面を表示する。
【０６１８】
ユーザは、表示されたＬＥＤ点灯設定画面にスピーカ１０の鳴動による着信報知を行うか否かを指定する（Ｓ５１０）。
【０６１９】
中央制御部１２は、ユーザのスピーカ１０の鳴動指定を検出したとき、音声着信表示管理テーブルに格納した相手先電話番号「１２３４」に対応してスピーカ鳴動駆動情報欄に「ＯＮ」を格納する。
【０６２０】
中央制御部１２は、ＬＥＤ点灯駆動情報欄に「ＯＮ」を設定すると、表示部３にスピーカ音量テーブルを読み出し表示する。
【０６２１】
スピーカ音量テーブルは、図１７に示すように、複数の音量と音量制御コード情報が異なる符号に対応して格納されている。
【０６２２】
ユーザは、表示画面から任意の符号、例えば符号「１」を選択することにより、スピーカ１０の音量を「音量１」に指定することができる。
【０６２３】
中央制御部１２は、ユーザが選択した「音量１」をスピーカの音量として音声着信表示管理テーブルの「音量欄」に格納する（Ｓ５１１）。
【０６２４】
中央制御部１２は、音量の格納が終了すると、表示部３にスピーカ音色テーブルを読み出し表示する。
【０６２５】
スピーカ音色テーブルは、図１８に示すように、複数の音色（メロディー）と音色（メロディー）制御コード情報が異なる符号に対応して格納されている。
【０６２６】
ユーザは、表示画面から任意の符号、例えば符号「１」を選択することにより、スピーカ１０の音色を「メロディー１」に指定することができる。
【０６２７】
中央制御部１２は、ユーザが選択した「メロディー１」をスピーカ１０の音色として音声着信表示管理テーブルの「音色欄」に格納する（Ｓ５１１）。
【０６２８】
中央制御部１２は、ステップＳ５１０において、ユーザのスピーカ１０の非鳴動指定を検出したとき、音声着信表示管理テーブルに格納した相手先電話番号、「１２３４」に対応してスピーカ鳴動駆動情報欄に「ＯＦＦ」を格納する（Ｓ５１２）。
【０６２９】
中央制御部１２は、ステップＳ５１２において音声着信表示管理テーブルのスピーカ鳴動駆動情報欄に「ＯＦＦ」を格納した後、ステップＳ５１３へ移行する。
【０６３０】
中央制御部１２は、ステップＳ５１１における音量および音色の設定またはステップＳ５１２におけるスピーカ非鳴動設定後、表示部３にバイブレーターの振動設定画面を表示する。
【０６３１】
ユーザは、表示されたバイブレーターの振動設定画面にバイブレーター２２の振動による着信報知を行うか否かを指定する（Ｓ５１３）。
【０６３２】
中央制御部１２は、ユーザのバイブレーター２２の振動指定を検出したとき、音声着信表示管理テーブルに格納した相手先電話番号、「１２３４」に対応してバイブレーター振動駆動情報欄に「ＯＮ」を格納する（Ｓ５１４）。
【０６３３】
中央制御部１２は、バイブレーター振動駆動情報欄に「ＯＮ」を格納すると、表示部３にバイブレーター振動強度テーブルを読み出し表示する。
【０６３４】
バイブレーター振動強度テーブルは、図１９に示すように、複数の振動強度と振動パターン制御コード情報が異なる符号に対応して格納されている。
【０６３５】
ユーザは、表示画面から任意の符号、例えば符号「１」を選択することにより、バイブレーター２２の振動強度を「振動１」に指定することができる。
【０６３６】
中央制御部１２は、ユーザが選択した「振動１」をバイブレーター２２の振動強度として音声着信表示管理テーブルの「振動強度欄」に格納する（Ｓ５１４）。
【０６３７】
中央制御部１２は、振動強度の格納が終了すると、表示部３にバイブレーター振動パターンテーブルを読み出し表示する。
【０６３８】
バイブレーター振動パターンテーブルは、図２０に示すように、複数の振動パターンと振動パターン制御コード情報が異なる符号に対応して格納されている。
【０６３９】
ユーザは、表示画面から任意の符号、例えば符号「１」を選択することにより、バイブレーター２２の「振動パターン１」に指定することができる。
【０６４０】
中央制御部１２は、ユーザが選択した「振動パターン１」をバイブレーター２２の振動パターンとして音声着信表示管理テーブルの「振動パターン欄」に格納する（Ｓ５１４）。
【０６４１】
中央制御部１２は、ステップＳ５１３において、ユーザのバイブレーター２２の非振動指定を検出したとき、音声着信表示管理テーブルに格納した相手先電話番号、「１２３４」に対応してバイブレーター振動駆動情報欄に「ＯＦＦ」を格納する（Ｓ５１５）。
【０６４２】
中央制御部１２は、ステップＳ５１４における振動強度および振動パターンの設定またはステップＳ５１５におけるバイブレーター非振動設定後、表示部３に表示部の起動設定画面を表示する。
【０６４３】
ユーザは、表示された表示部の起動設定画面に表示部３の表示による着信報知を行うか否かを指定する（Ｓ５１６）。
【０６４４】
中央制御部１２は、ユーザの表示部３の起動指定を検出したとき、音声着信表示管理テーブルに格納した相手先電話番号「１２３４」に対応して表示部点灯駆動情報欄に「ＯＮ」を格納する（Ｓ５１７）。
【０６４５】
中央制御部１２は、ステップＳ５１６において、ユーザの表示部の非起動指定を検出したとき、音声着信表示管理テーブルに格納した相手先電話番号、「１２３４」に対応して表示部点灯駆動情報欄に「ＯＦＦ」を格納する（Ｓ５１８）。
【０６４６】
中央制御部１２は、ステップＳ５１７において音声着信表示管理テーブルの表示部点灯駆動情報欄に「ＯＮ」または、ステップＳ５１８において「ＯＦＦ」を格納した後、ステップＳ５１９へ移行する。
【０６４７】
中央制御部１２は、ステップＳ５１７における表示部起動設定またはステップＳ５１８における表示部非起動設定後、表示部３にキー操作規制設定画面を表示する。
【０６４８】
ユーザは、表示されたキー操作規制設定画面に着信中のキー操作を許可（有効）するか否かを指定する（Ｓ５１９）。
【０６４９】
中央制御部１２は、ユーザのキー操作有効指定を検出したとき、音声着信表示管理テーブルに格納した相手先電話番号「１２３４」に対応して着信中キー操作規制情報欄にキー操作が有効である旨を示す「ＯＮ」を格納する（Ｓ５２０）。
【０６５０】
中央制御部１２は、ステップＳ５１９において、ユーザのキー操作無効を検出したとき、音声着信表示管理テーブルに格納した相手先電話番号「１２３４」に対応して着信中キー操作規制情報欄にキー操作が無効である旨を示す「ＯＦＦ」を格納する（Ｓ５２１）。
【０６５１】
中央制御部１２は、ステップＳ５２０においてキー操作有効（ＯＮ）、またはステップＳ５２１においてキー操作無効（ＯＦＦ）を格納した後、ステップＳ５２２へ移行する。
【０６５２】
中央制御部１２は、ステップＳ５２０におけるキー操作有効設定またはステップＳ５２１におけるキー操作無効設定後、表示部３に通信中ＬＥＤ点灯設定画面を表示する。
【０６５３】
ユーザは、表示された通信中ＬＥＤ点灯設定画面にイルミネーションＬＥＤ８を点灯するか否かを指定する（Ｓ５２２）。
【０６５４】
中央制御部１２は、ユーザの通信中ＬＥＤ点灯指定を検出したとき、音声着信表示管理テーブルに格納した相手先電話番号「１２３４」に対応して通信中ＬＥＤ点灯駆動情報欄に「ＯＮ」を格納する（Ｓ５２３）。
【０６５５】
中央制御部１２は、ステップＳ５２２において、ユーザの通信中ＬＥＤ消灯指定を検出したとき、音声着信表示管理テーブルに格納した相手先電話番号「１２３４」に対応して通信中ＬＥＤ点灯駆動情報欄に「ＯＦＦ」を格納する（Ｓ５２４）。
【０６５６】
中制御部１２は、ステップＳ５２３におけるＬＥＤの点灯設定（ＯＮ）またはステップＳ５２４におけるＬＥＤ消灯設定（ＯＦＦ）後、ステップＳ５４４へ移行する。
【０６５７】
中央制御部１２は、ステップＳ５０３におけるユーザの指定が相手先電話番号対応以外のすべての着信に対応する着信報知の指定であることを検出したとき（Ｓ５２５）、音声着信表示管理テーブルに共通番号として例えば、「００００」を格納する。
【０６５８】
また、ステップＳ５０４において電話帳に発信者番号が登録されていなかったときも、音声着信表示管理テーブルに共通番号として例えば、「００００」を格納する。
【０６５９】
中央制御部１２は、共通番号「００００」を格納後、表示部３にＬＥＤ点灯駆動情報の設定画面を表示する。
【０６６０】
ユーザは、表示されたＬＥＤ点灯設定画面にイルミネーションＬＥＤ８の点灯による着信報知を行うか否かを指定する（Ｓ５２６）。
【０６６１】
中央制御部１２は、ユーザのイルミネーションＬＥＤ８の点灯指定を検出したとき、音声着信表示管理テーブルに格納した共通番号、「００００」に対応してＬＥＤ点灯駆動情報欄に「ＯＮ」を格納する。
【０６６２】
中央制御部１２は、ＬＥＤ点灯駆動情報欄に「ＯＮ」を設定すると、表示部３にＬＥＤ発光色テーブルを読み出し表示する。
【０６６３】
ＬＥＤ発光色テーブルは、図１５に示すように、複数の発光色と発光色制御コード情報が異なる符号に対応して格納されている。
【０６６４】
ユーザは、表示画面から任意の符号、例えば符号「１」を選択することにより、イルミネーションＬＥＤ８の発光色を赤色に指定することができる。
【０６６５】
中央制御部１２は、ユーザが選択した「赤色」をイルミネーションＬＥＤ８の発光色として音声着信表示管理テーブルの「発光色欄」に格納する（Ｓ５２７）。
【０６６６】
中央制御部１２は、発光色の格納が終了すると、表示部３にＬＥＤ発光パターンテーブルを読み出し表示する。
【０６６７】
ＬＥＤ発光パターンテーブルは、図１６に示すように、複数の発光パターンと発光パターンコード情報が異なる符号に対応して格納されている。
【０６６８】
ユーザは、表示画面から任意の符号、例えば符号「４」を選択することにより、イルミネーションＬＥＤ８の発光パターンをパターン４に指定することができる。
【０６６９】
中央制御部１２は、ユーザが選択した「発光パターン４」をイルミネーションＬＥＤ８の発光パターンとして音声着信表示管理テーブルの共通番号「００００」に対応する「発光パターン欄」に格納する（Ｓ５２７）。
【０６７０】
中央制御部１２は、ステップＳ５２６においてユーザが指定した、イルミネーションＬＥＤ８の消灯指定を検出したとき、音声着信表示管理テーブルに格納した共通番号「００００」に対応してＬＥＤ点灯駆動情報欄に「ＯＦＦ」を格納する（Ｓ５２８）。
【０６７１】
中央制御部１２は、ステップＳ５２７における発光色および発光パターンの設定またはステップＳ５２８におけるＬＥＤ消灯設定後、表示部３にスピーカの鳴動設定画面を表示する。
【０６７２】
ユーザは、表示されたスピーカ鳴動設定画面にスピーカ１０の鳴動による着信報知を行うか否かを指定する（Ｓ５２９）。
【０６７３】
中央制御部１２は、ユーザが指定したスピーカ１０の鳴動指定を検出したとき、音声着信表示管理テーブルに格納した共通番号「００００」に対応してスピーカ鳴動駆動情報欄に「ＯＮ」を格納する。
【０６７４】
中央制御部１２は、スピーカ鳴動駆動情報欄に「ＯＮ」を格納すると、表示部３にスピーカ音量テーブルを読み出し表示する。
【０６７５】
スピーカ音量テーブルは、図１７に示すように、複数の音量と音量制御コード情報が異なる符号に対応して格納されている。
【０６７６】
ユーザは、表示画面から任意の符号、例えば符号「４」を選択することにより、スピーカ１０の音量を「音量４」に指定することができる。
【０６７７】
中央制御部１２は、ユーザが選択した「音量４」をスピーカの音量として音声着信表示管理テーブルの共通番号「００００」に対応する「音量欄」に格納する（Ｓ５３０）。
【０６７８】
中央制御部１２は、音量の格納が終了すると、表示部３にスピーカ音色テーブルを読み出し表示する。
【０６７９】
スピーカ音色テーブルは、図１８に示すように、複数の音色（メロディー）と音色制御コード情報が異なる符号に対応して格納されている。
【０６８０】
ユーザは、表示画面から任意の符号、例えば符号「４」を選択することにより、スピーカ１０の音色を「メロディー４」に指定することができる。
【０６８１】
中央制御部１２は、ユーザが選択した「メロディー４」をスピーカ１０の音色として音声着信表示管理テーブルの共通番号「００００」に対応する「音色欄」に格納する（Ｓ５３０）。
【０６８２】
中央制御部１２は、ステップＳ５２９において、ユーザのスピーカ１０の消灯指定を検出したとき、音声着信表示管理テーブルに格納した共通番号「００００」に対応するスピーカ鳴動駆動情報欄に「ＯＦＦ」を格納する（Ｓ５３１）。
【０６８３】
中央制御部１２は、ステップＳ５３１において音声着信表示管理テーブルのスピーカ鳴動駆動情報欄に「ＯＦＦ」を格納した後、ステップＳ５２３へ移行する。
【０６８４】
中央制御部１２は、ステップＳ５３０における音量および音色の設定またはステップＳ５３１におけるスピーカ非鳴動設定後、表示部３にバイブレーターの振動設定画面を表示する。
【０６８５】
ユーザは、表示されたバイブレーターの振動設定画面にバイブレーター２２の振動による着信報知を行うか否かを指定する（Ｓ５３２）。
【０６８６】
中央制御部１２は、ユーザが指定したバイブレーター２２の振動指定を検出したとき、音声着信表示管理テーブルに格納した共通暗号「００００」に対応するバイブレーター振動駆動情報欄に「ＯＮ」を格納する（Ｓ５３３）。
【０６８７】
中央制御部１２は、バイブレーター振動駆動情報欄に「ＯＮ」を格納すると、表示部３にバイブレーター振動強度テーブルを読み出し表示する。
【０６８８】
バイブレーター振動強度テーブルは、図１９に示すように、複数の振動強度と振動パターン制御コード情報が異なる符号に対応して格納されている。
【０６８９】
ユーザは、表示画面から任意の符号、例えば符号「４」を選択することにより、バイブレーター２２の振動強度を「振動４」に指定することができる。
【０６９０】
中央制御部１２は、ユーザが選択した「振動４」をバイブレーター２２の振動強度として音声着信表示管理テーブルの共通番号「００００」に対応する「振動強度欄」に格納する（Ｓ５３３）。
【０６９１】
中央制御部１２は、振動強度の格納が終了すると、表示部３にバイブレーター振動パターンテーブルを読み出し表示する。
【０６９２】
バイブレーター振動パターンテーブルは、図２０に示すように、複数の振動パターンと振動パターン制御コード情報が異なる符号に対応して格納されている。
【０６９３】
ユーザは、表示画面から任意の符号、例えば符号「４」を選択することにより、バイブレーター２２の「振動パターン４」に指定することができる。
【０６９４】
中央制御部１２は、ユーザが選択した「振動パターン４」をバイブレーター２２の振動パターンとして音声着信表示管理テーブルの「振動パターン欄」に格納する（Ｓ５３３）。
【０６９５】
中央制御部１２は、ステップＳ５３２において、ユーザが指定したバイブレーター２２の非振動指定を検出したとき、音声着信表示管理テーブルに格納した共通番号「００００」に対応するバイブレーター振動駆動情報欄に「ＯＦＦ」を格納する（Ｓ５３４）。
【０６９６】
中央制御部１２は、ステップＳ５３４において音声着信表示管理テーブルのバイブレーター振動駆動情報欄に「ＯＦＦ」を格納した後、ステップＳ５３５へ移行する。
【０６９７】
中央制御部１２は、ステップＳ５３３におけるバイブレーターの振動強度および振動パターンの設定終了後、表示部３に表示部の起動設定画面を表示する。
【０６９８】
ユーザは、表示された表示部の起動設定画面に表示部３の表示による着信報知を行うか否かを指定する（Ｓ５３５）。
【０６９９】
中央制御部１２は、ユーザの表示部３の起動指定を検出したとき、音声着信表示管理テーブルに格納した共通番号「００００」に対応して表示部点灯駆動情報欄に「ＯＮ」を格納する（Ｓ５３６）。
【０７００】
中央制御部１２は、ステップＳ５３５において、ユーザの表示部の非起動指定を検出したとき、音声着信表示管理テーブルに格納した共通番号「００００」に対応して表示部点灯駆動情報欄に「ＯＦＦ」を格納する（Ｓ５３７）。
【０７０１】
中央制御部１２は、ステップＳ５３７において音声着信表示管理テーブルの表示部点灯駆動情報欄に「ＯＦＦ」を格納した後、ステップＳ５３８へ移行する。
【０７０２】
中央制御部１２は、ステップＳ５３６における表示部起動設定またはステップＳ５３７における表示部非起動設定後、表示部３にキー操作規制設定画面を表示する。
【０７０３】
ユーザは、表示されたキー操作規制設定画面に着信中のキー操作を許可（有効）するか否かを指定する（Ｓ５３８）。
【０７０４】
中央制御部１２は、ユーザのキー操作有効指定を検出したとき、音声着信表示管理テーブルに格納した共通番号「００００」に対応して着信中キー操作規制情報欄にキー操作が有効である旨を示す「ＯＮ」を格納する（Ｓ５３９）。
【０７０５】
中央制御部１２は、ステップＳ５３８において、ユーザのキー操作無効を検出したとき、音声着信表示管理テーブルに格納した共通番号「００００」に対応して着信中キー操作規制情報欄にキー操作が無効である旨を示す「ＯＦＦ」を格納する（Ｓ５４０）。
【０７０６】
中央制御部１２は、ステップＳ５３９においてキー操作有効（ＯＮ）、またはステップＳ５４０においてキー操作無効（ＯＦＦ）を格納した後、ステップＳ５４１へ移行する。
【０７０７】
中央制御部１２は、ステップＳ５３９におけるキー操作有効設定またはステップＳ５４０におけるキー操作無効設定後、表示部３に通信中ＬＥＤ点灯設定画面を表示する。
【０７０８】
ユーザは、表示された通信中ＬＥＤ点灯設定画面にイルミネーションＬＥＤ８を点灯するか否かを指定する（Ｓ５４１）。
【０７０９】
中央制御部１２は、ユーザの通信中ＬＥＤ点灯指定を検出したとき、音声着信表示管理テーブルに格納した共通番号「００００」に対応して通信中ＬＥＤ点灯駆動情報欄に「ＯＮ」を格納する（Ｓ５４２）。
【０７１０】
中央制御部１２は、ステップＳ５４１において、ユーザの通信中ＬＥＤ消灯指定を検出したとき、音声着信表示管理テーブルに格納した共通番号「００００」に対応して通信中ＬＥＤ点灯駆動情報欄に「ＯＦＦ」を格納する（Ｓ５４３）。
【０７１１】
中制御部１２は、ステップＳ５４２におけるＬＥＤの点灯設定またはステップＳ５４３におけるＬＥＤ消灯設定後、ステップＳ５４４へ移行する。
【０７１２】
中制御部１２は、ステップＳ５２３、またはステップＳ５２４、またはステップＳ５４２、またはステップＳ５４３の処理が終了すると、表示部３に設定確定画面を表示する（Ｓ５４４）。
【０７１３】
ユーザは、表示された設定確定画面にステップＳ５０１からステップＳ５４３までに設定した各種設定情報を確定するか否かを指定する（Ｓ５４４）。
【０７１４】
中制御部１２は、ユーザの非確定設定を検出したとき、ステップＳ５０３へ移行し、ユーザの確定設定を検出したとき、ユーザによるキー操作が終了したか否かを監視する（Ｓ５４５）。
【０７１５】
中制御部１２は、キー操作の終了を検出すると（Ｓ５４５）、待ち受け状態（Ｓ５４６）へ移行し、音声着信におけるオリジナルマナーモードの設定処理を終了する。
【０７１６】
次に図１４に図２、図４を併せて参照し第６の実施の形態のオリジナルマナーモードの設定処理について説明する。
【０７１７】
中央制御部１２は、ユーザの所定の操作を検出しオリジナルマナーモードの設定モードを設定し、表示部３に音声着信かメール受信かの選択画面を表示する。
【０７１８】
ユーザは、表示部３に表示された選択画面からメール受信を指定する（図１４のステップＳ６０１）。
【０７１９】
中央制御部１２は、ユーザによるメール受信の指定を検出し、表示部３に着信報知方法の選択画面を表示する（Ｓ６０２）。
【０７２０】
この着信報知方法の選択は、ユーザが指定する相手先メールアドレス対応に着信報知するか、相手先を指定せずにすべてのメール着信に対応して着信報知するかを選択するものである。
【０７２１】
中央制御部１２は、ユーザの指定が相手先メールアドレス対応でないことを検出したときは、メール着信対応と判定しステップＳ６１８へ移行する。
【０７２２】
中央制御部１２は、ユーザによる相手先メールアドレス対応の指定を検出したとき、表示部３に電話帳画面を表示する（Ｓ６０３）。
【０７２３】
ユーザは、表示部に表示された電話帳画面から所望するメールアドレス（相手先メールアドレス、例えば「ａｂｃｄ」をカーソルにより選択し指定する（Ｓ６０４）。
【０７２４】
中央制御部１２は、ユーザが指定した相手先メールアドレス「ａｂｃｄ」を検出し、メール受信表示管理テーブルに格納する。
【０７２５】
中央制御部１２は、ステップＳ６０３において、ユーザの指定した相手先メールアドレスが電話帳に格納されていなかったとき、ステップＳ６１８へ移行する。
【０７２６】
中央制御部１２は、ステップＳ６０４において指定された相手先メールアドレスのメール受信表示管理テーブルへの格納が終了すると、表示部３にＬＥＤ点灯駆動情報の設定画面を表示する。
【０７２７】
ユーザは、表示されたＬＥＤ点灯設定画面にイルミネーションＬＥＤ８の点灯による着信報知を行うか否かを指定する（Ｓ６０６）。
【０７２８】
中央制御部１２は、ユーザのイルミネーションＬＥＤ８の点灯指定を検出したとき、メール受信表示管理テーブルに格納した相手先電話番号「ａｂｃｄ」に対応してＬＥＤ点灯駆動情報欄に「ＯＮ」を格納する。
【０７２９】
中央制御部１２は、ＬＥＤ点灯駆動情報欄に「ＯＮ」を設定すると、表示部３にＬＥＤ発光色テーブルを読み出し表示する。
【０７３０】
ＬＥＤ発光色テーブルは、図１５に示すように、複数の発光色と発光色制御コード情報が異なる符号に対応して格納されている。
【０７３１】
ユーザは、表示画面から任意の符号、例えば符号「９」を選択することにより、イルミネーションＬＥＤ８の発光色を紫色に指定することができる。
【０７３２】
中央制御部１２は、ユーザが選択した「紫色」をイルミネーションＬＥＤ８の発光色としてメール受信表示管理テーブルの「発光色欄」に格納する（Ｓ６０７）。
【０７３３】
中央制御部１２は、発光色の格納が終了すると、表示部３にＬＥＤ発光パターンテーブルを読み出し表示する。
【０７３４】
ＬＥＤ発光パターンテーブルは、図１６に示すように、複数の発光パターンと発光パターンコード情報が異なる符号に対応して格納されている。
【０７３５】
ユーザは、表示画面から任意の符号、例えば符号「６」を選択することにより、イルミネーションＬＥＤ８の発光パターンをパターン６に指定することができる。
【０７３６】
中央制御部１２は、ユーザが選択した「発光パターン６」をイルミネーションＬＥＤ８の発光パターンとしてメール受信表示管理テーブルの「発光パターン欄」に格納する（Ｓ６０７）。
【０７３７】
中央制御部１２は、ステップＳ６０６において、ユーザのイルミネーションＬＥＤ８の消灯指定を検出したとき、メール受信表示管理テーブルに格納した相手先メールアドレス「ａｂｃｄ」に対応してＬＥＤ点灯駆動情報欄に「ＯＦＦ」を格納する（Ｓ６０８）。
【０７３８】
中央制御部１２は、ステップＳ６０８においてメール受信表示管理テーブルのＬＥＤ点灯駆動情報欄に「ＯＦＦ」を格納した後、ステップＳ６０９へ移行する。
【０７３９】
中央制御部１２は、ステップＳ６０７における発光色および発光パターンの設定またはステップＳ６０８におけるＬＥＤ消灯設定後、表示部３にスピーカの鳴動設定画面を表示する。
【０７４０】
ユーザは、表示されたスピーカの鳴動設定画面にスピーカ１０の鳴動による着信報知を行うか否かを指定する（Ｓ６０９）。
【０７４１】
中央制御部１２は、ユーザのスピーカ１０の鳴動指定を検出したとき、メール受信表示管理テーブルに格納した相手先メールアドレス「ａｂｃｄ」に対応してスピーカ鳴動駆動情報欄に「ＯＮ」を格納する。
【０７４２】
中央制御部１２は、スピーカ鳴動駆動情報欄に「ＯＮ」を設定すると、表示部３にスピーカ音量テーブルを読み出し表示する。
【０７４３】
スピーカ音量テーブルは、図１７に示すように、複数の音量と音量制御コード情報が異なる符号に対応して格納されている。
【０７４４】
ユーザは、表示画面から任意の符号、例えば符号「６」を選択することにより、スピーカ１０の音量を「音量６」に指定することができる。
【０７４５】
中央制御部１２は、ユーザが選択した「音量６」をスピーカの音量としてメール受信表示管理テーブルの「音量欄」に格納する（Ｓ６１０）。
【０７４６】
中央制御部１２は、音量の格納が終了すると、表示部３にスピーカ音色テーブルを読み出し表示する。
【０７４７】
スピーカ音色テーブルは、図１８に示すように、複数の音色（メロディー）と音色（メロディー）制御コード情報が異なる符号に対応して格納されている。
【０７４８】
ユーザは、表示画面から任意の符号、例えば符号「６」を選択することにより、スピーカ１０の音色を「メロディー６」に指定することができる。
【０７４９】
中央制御部１２は、ユーザが選択した「メロディー６」をスピーカ１０の音色としてメール受信表示管理テーブルの「音色欄」に格納する（Ｓ６１０）。
【０７５０】
中央制御部１２は、ステップＳ６０９において、ユーザのスピーカ１０の非鳴動指定を検出したとき、メール受信表示管理テーブルに格納した相手先メールアドレス「ａｂｃｄ」に対応してスピーカ鳴動駆動情報欄に「ＯＦＦ」を格納する（Ｓ６１１）。
【０７５１】
中央制御部１２は、ステップＳ６１１においてメール受信表示管理テーブルのスピーカ鳴動駆動情報欄に「ＯＦＦ」を格納した後、ステップＳ６１２へ移行する。
【０７５２】
中央制御部１２は、ステップＳ６１０における音量および音色の設定またはステップＳ６１１におけるスピーカ非鳴動設定後、表示部３にバイブレーターの振動設定画面を表示する。
【０７５３】
ユーザは、表示されたバイブレーターの振動設定画面にバイブレーター２２の振動による着信報知を行うか否かを指定する（Ｓ６１２）。
【０７５４】
中央制御部１２は、ユーザのバイブレーター２２の振動指定を検出したとき、メール受信表示管理テーブルに格納した相手先メールアドレス「ａｂｃｄ」に対応してバイブレーター振動駆動情報欄に「ＯＮ」を格納する（Ｓ６１３）。
【０７５５】
中央制御部１２は、バイブレーター振動駆動情報欄に「ＯＮ」を格納すると、表示部３にバイブレーター振動強度テーブルを読み出し表示する。
【０７５６】
バイブレーター振動強度テーブルは、図１９に示すように、複数の振動強度と振動パターン制御コード情報が異なる符号に対応して格納されている。
【０７５７】
ユーザは、表示画面から任意の符号、例えば符号「６」を選択することにより、バイブレーター２２の振動強度を「振動６」に指定することができる。
【０７５８】
中央制御部１２は、ユーザが選択した「振動６」をバイブレーター２２の振動強度としてメール受信表示管理テーブルの「振動強度欄」に格納する（Ｓ６１３）。
【０７５９】
中央制御部１２は、振動強度の格納が終了すると、表示部３にバイブレーター振動パターンテーブルを読み出し表示する。
【０７６０】
バイブレーター振動パターンテーブルは、図２０に示すように、複数の振動パターンと振動パターン制御コード情報が異なる符号に対応して格納されている。
【０７６１】
ユーザは、表示画面から任意の符号、例えば「６」を選択することにより、バイブレーター２２の「振動パターン６」に指定することができる。
【０７６２】
中央制御部１２は、ユーザが選択した「振動パターン６」をバイブレーター２２の振動パターンとしてメール受信表示管理テーブルの「振動パターン欄」に格納する（Ｓ６１３）。
【０７６３】
中央制御部１２は、ステップＳ６１２において、ユーザのバイブレーター２２の非振動指定を検出したとき、メール受信表示管理テーブルに格納した相手先メールアドレス「ａｂｃｄ」に対応してバイブレーター振動駆動情報欄に「ＯＦＦ」を格納する（Ｓ６１４）。
【０７６４】
中央制御部１２は、ステップＳ６１３における振動強度および振動パターンの設定またはステップＳ６１４におけるバイブレーター非振動設定後、表示部３に表示部の起動設定画面を表示する。
【０７６５】
ユーザは、表示された表示部の起動設定画面に表示部３の表示による着信報知を行うか否かを指定する（Ｓ６１５）。
【０７６６】
中央制御部１２は、ユーザの表示部３の起動指定を検出したとき、メール受信表示管理テーブルに格納した相手先メールアドレス「ａｂｃｄ」に対応して表示部点灯駆動情報欄に「ＯＮ」を格納する（Ｓ６１６）。
【０７６７】
中央制御部１２は、ステップＳ６１５において、ユーザの表示部の非表示指定を検出したとき、メール受信表示管理テーブルに格納した相手先メールアドレス「ａｂｃｄ」に対応して表示部点灯駆動情報欄に「ＯＦＦ」を格納する（Ｓ６１７）。
【０７６８】
中央制御部１２は、ステップＳ６１７においてメール受信表示管理テーブルの表示部点灯駆動情報欄に「ＯＦＦ」を格納した後、ステップＳ６３１へ移行する。
【０７６９】
中央制御部１２は、ステップＳ６０２におけるユーザの指定が相手先メールアドレス対応の着信報知でなく、すべてのメール着信に対応する着信報知の指定であることを検出したとき（Ｓ６１８）、メール受信表示管理テーブルに共通アドレスとして例えば、「ｗｘｙｚ」を格納する。
【０７７０】
中央制御部１２は、共通アドレス「ｗｘｙｚ」を格納後、表示部３にＬＥＤ点灯駆動情報の設定画面を表示する。
【０７７１】
ユーザは、表示されたＬＥＤ点灯設定画面にイルミネーションＬＥＤ８の点灯による着信報知を行うか否かを指定する（Ｓ６１９）。
【０７７２】
中央制御部１２は、ユーザのイルミネーションＬＥＤ８の点灯指定を検出したとき、メール受信表示管理テーブルに格納した共通アドレス「ｗｘｙｚ」に対応してＬＥＤ点灯駆動情報欄に「ＯＮ」を格納する。
【０７７３】
中央制御部１２は、ＬＥＤ点灯駆動情報欄に「ＯＮ」を設定すると、表示部３にＬＥＤ発光色テーブルを読み出し表示する。
【０７７４】
ＬＥＤ発光色テーブルは、図１５に示すように、複数の発光色と発光色制御コード情報が異なる符号に対応して格納されている。
【０７７５】
ユーザは、表示画面から任意の符号、例えば符号「３」を選択することにより、イルミネーションＬＥＤ８の発光色を緑色に指定することができる。
【０７７６】
中央制御部１２は、ユーザが選択した「緑色」をイルミネーションＬＥＤ８の発光色としてメール受信表示管理テーブルの「発光色欄」に格納する（Ｓ６２０）。
【０７７７】
中央制御部１２は、発光色の格納が終了すると、表示部３にＬＥＤ発光パターンテーブルを読み出し表示する。
【０７７８】
ＬＥＤ発光パターンテーブルは、図１６に示すように、複数の発光パターンと発光パターンコード情報が異なる符号に対応して格納されている。
【０７７９】
ユーザは、表示画面から任意の符号、例えば符号「９」を選択することにより、イルミネーションＬＥＤ８の発光パターンをパターン９に指定することができる。
【０７８０】
中央制御部１２は、ユーザが選択した「発光パターン９」をイルミネーションＬＥＤ８の発光パターンとしてメール受信表示管理テーブルの共通アドレス「ｗｘｙｚ」に対応する「発光パターン欄」に格納する（Ｓ６２０）。
【０７８１】
中央制御部１２は、ステップＳ６１９においてユーザが指定した、イルミネーションＬＥＤ８の消灯指定を検出したとき、メール受信表示管理テーブルに格納した共通アドレス「ｗｘｙｚ」に対応してＬＥＤ点灯駆動情報欄に「ＯＦＦ」を格納する（Ｓ６２１）。
【０７８２】
中央制御部１２は、ステップＳ６２１においてメール受信表示管理テーブルの共通アドレス「ｗｘｙｚ」に対応するＬＥＤ点灯駆動情報欄に「ＯＦＦ」を格納した後、ステップＳ６２２へ移行する。
【０７８３】
中央制御部１２は、ステップＳ６２０における発光色および発光パターンの設定またはステップＳ６２１におけるＬＥＤ消灯設定後、表示部３にスピーカの鳴動設定画面を表示する。
【０７８４】
ユーザは、表示されたスピーカ鳴動設定画面にスピーカ１０の鳴動による着信報知を行うか否かを指定する（Ｓ６２２）。
【０７８５】
中央制御部１２は、ユーザが指定したスピーカ１０の鳴動指定を検出したとき、メール受信表示管理テーブルに格納した共通アドレス「ｗｘｙｚ」に対応してスピーカ鳴動駆動情報欄に「ＯＮ」を格納する。
【０７８６】
中央制御部１２は、スピーカ鳴動駆動情報欄に「ＯＮ」を格納すると、表示部３にスピーカ音量テーブルを読み出し表示する。
【０７８７】
スピーカ音量テーブルは、図１７に示すように、複数の音量と音量制御コード情報が異なる符号に対応して格納されている。
【０７８８】
ユーザは、表示画面から任意の符号、例えば符号「９」を選択することにより、スピーカ１０の音量を「音量９」に指定することができる。
【０７８９】
中央制御部１２は、ユーザが選択した「音量９」をスピーカの音量としてメール受信表示管理テーブルの共通アドレス「ｗｘｙｚ」に対応する「音量欄」に格納する（Ｓ６２３）。
【０７９０】
中央制御部１２は、音量の格納が終了すると、表示部３にスピーカ音色テーブルを読み出し表示する。
【０７９１】
スピーカ音色テーブルは、図１８に示すように、複数の音色（メロディー）と音色制御コード情報が異なる符号に対応して格納されている。
【０７９２】
ユーザは、表示画面から任意の符号、例えば符号「９」を選択することにより、スピーカ１０の音色を「メロディー９」に指定することができる。
【０７９３】
中央制御部１２は、ユーザが選択した「メロディー９」をスピーカ１０の音色としてメール受信表示管理テーブルの共通アドレス「ｗｘｙｚ」に対応する「音色欄」に格納する（Ｓ６２３）。
【０７９４】
中央制御部１２は、ステップＳ６２２において、ユーザのスピーカ１０の消灯指定を検出したとき、メール受信表示管理テーブルに格納した共通アドレス「ｗｘｙｚ」に対応するスピーカ鳴動駆動情報欄に「ＯＦＦ」を格納する（Ｓ６２４）。
【０７９５】
中央制御部１２は、ステップＳ６２４においてメール受信表示管理テーブルのスピーカ鳴動駆動情報欄に「ＯＦＦ」を格納した後、ステップＳ６２５へ移行する。
【０７９６】
中央制御部１２は、ステップＳ６２３における音量および音色の設定またはステップＳ６２４におけるスピーカ非鳴動設定後、表示部３にバイブレーターの振動設定画面を表示する。
【０７９７】
ユーザは、表示されたバイブレーターの振動設定画面にバイブレーター２２の振動による着信報知を行うか否かを指定する（Ｓ６２５）。
【０７９８】
中央制御部１２は、ユーザが指定したバイブレーター２２の振動指定を検出したとき、メール受信表示管理テーブルに格納した共通アドレス「ｗｘｙｚ」に対応するバイブレーター振動駆動情報欄に「ＯＮ」を格納する（Ｓ６２６）。
【０７９９】
中央制御部１２は、バイブレーター振動駆動情報欄に「ＯＮ」を格納すると、表示部３にバイブレーター振動強度テーブルを読み出し表示する。
【０８００】
バイブレーター振動強度テーブルは、図１９に示すように、複数の振動強度と振動制御コード情報が異なる符号に対応して格納されている。
【０８０１】
ユーザは、表示画面から任意の符号、例えば符号「９」を選択することにより、バイブレーター２２の振動強度を「振動９」に指定することができる。
【０８０２】
中央制御部１２は、ユーザが選択した「振動９」をバイブレーター２２の振動強度としてメール受信表示管理テーブルの共通アドレス「ｗｘｙｚ」に対応する「振動強度欄」に格納する（Ｓ６２６）。
【０８０３】
中央制御部１２は、振動強度の格納が終了すると、表示部３にバイブレーター振動パターンテーブルを読み出し表示する。
【０８０４】
バイブレーター振動パターンテーブルは、図２０に示すように、複数の振動パターンと振動パターン制御コード情報が異なる符号に対応して格納されている。
【０８０５】
ユーザは、表示画面から任意の符号、例えば符号「９」を選択することにより、バイブレーター２２の「振動パターン９」に指定することができる。
【０８０６】
中央制御部１２は、ユーザが選択した「振動パターン９」をバイブレーター２２の振動パターンとしてメール受信表示管理テーブルの「振動パターン欄」に格納する（Ｓ６２６）。
【０８０７】
中央制御部１２は、ステップＳ６２５において、ユーザが指定したバイブレーター２２の非振動指定を検出したとき、メール受信表示管理テーブルに格納した共通アドレス「ｗｘｙｚ」に対応するバイブレーター振動駆動情報欄に「ＯＦＦ」を格納する（Ｓ６２７）。
【０８０８】
中央制御部１２は、ステップＳ６２７において音声着信表示管理テーブルのバイブレーター振動駆動情報欄に「ＯＦＦ」を格納した後、ステップＳ６２８へ移行する。
【０８０９】
中央制御部１２は、ステップＳ５２６におけるバイブレーターの振動強度および振動パターンの設定終了後、表示部３に表示部の起動設定画面を表示する。
【０８１０】
ユーザは、表示された表示部の起動設定画面に表示部３の表示による着信報知を行うか否かを指定する（Ｓ６２８）。
【０８１１】
中央制御部１２は、ユーザの表示部３の起動指定を検出したとき、メール受信表示管理テーブルに格納した共通アドレス「ｗｘｙｚ」に対応して表示部点灯駆動情報欄に「ＯＮ」を格納する（Ｓ６２９）。
【０８１２】
中央制御部１２は、ステップＳ６２８において、ユーザの表示部の非表示指定を検出したとき、メール受信表示管理テーブルに格納した共通アドレス「ｗｘｙｚ」に対応して表示部点灯駆動情報欄に「ＯＦＦ」を格納する（Ｓ６３０）。
【０８１３】
中央制御部１２は、ステップＳ６３０においてメール受信表示管理テーブルのスピーカ鳴動駆動情報欄に「ＯＦＦ」を格納した後、ステップＳ６３１へ移行する。
【０８１４】
中央制御部１２は、ステップＳ６１６、またはステップＳ６１７、またはステップＳ６２９、またはステップＳ６３０の処理が終了すると、表示部３に設定確定画面を表示する。
【０８１５】
ユーザは、表示された設定確定画面に、ステップＳ６０２からステップＳ６３０までに設定した各種設定情報を確定するか否かを設定する（Ｓ６３１）。
【０８１６】
中制御部１２は、ユーザの非確定設定を検出したとき、ステップＳ６０２へ移行し、ユーザの確定設定を検出したとき、ユーザによるキー操作が終了したか否かを監視する（Ｓ６３２）。
【０８１７】
中制御部１２は、キー操作の終了を検出すると（Ｓ６３３）、待ち受け状態へ移行し、音声着信におけるオリジナルマナーモードの設定処理を終了する。
【０８１８】
第１の実施の形態から第６の実施の形態の説明において、着信報知をイルミネーションＬＥＤを使用する例について説明したが、イルミネーションＬＥＤに限定するものではない。
【０８１９】
例えば、イルミネーションＬＥＤの代わりに、折り畳み式携帯電話装置を充電する際に点灯する充電中ランプを使用してもよい。
【０８２０】
また、第１の実施の形態から第６の実施の形態の説明において、折り畳み式携帯電話装置を例に説明したが、折り畳み式携帯電話装置に限定するものではなく、折り畳み式でない携帯電話装置でもよい。
【０８２１】
この場合、イルミネーションＬＥＤの代わりに通常の着信報知用のＬＥＤを使用してもよい。
【図面の簡単な説明】
【０８２２】
【図１】本発明の折り畳み式携帯電話装置の概観図であり、（Ａ）は開いた状態の正面図、（Ｂ）は折り畳んだ状態の背面図である。
【図２】本発明の折り畳み式携帯電話装置の主要構成を示す回路ブロック図である。
【図３】本発明の折り畳み式携帯電話装置が備える音声着信表示管理テーブルの構成例を示す図である。
【図４】本発明の折り畳み式携帯電話装置が備えるメール受信表示管理テーブルの構成例を示す図である。
【図５】第１の実施の形態の音声着信時の着信制御処理を説明するためのフローチャートである。
【図６】第１の実施の形態の音声着信時の着信制御処理を説明するためのフローチャートである。
【図７】第２の実施の形態のメール受信時の着信制御処理を説明するためのフローチャートである。
【図８】第２の実施の形態のメール受信時の着信制御処理を説明するためのフローチャートである。
【図９】第３の実施の形態の音声着信時の着信制御処理を説明するためのフローチャートである。
【図１０】第３の実施の形態の音声着信時の着信制御処理を説明するためのフローチャートである。
【図１１】第４の実施の形態のメール受信時の着信制御処理を説明するフローチャートである。
【図１２】第４の実施の形態のメール受信時の着信制御処理を説明するフローチャートである。
【図１３】第５の実施の形態の音声着信時のオリジナルマナーモードの設定処理を説明するためのフローチャートである。
【図１４】第６の実施の形態のメール受信時のオリジナルマナーモードの設定処理を説明するためのフローチャートである。
【図１５】ＬＥＤ発光色テーブルの構成例を示す図である。
【図１６】ＬＥＤ発光パターンテーブルの構成例を示す図である。
【図１７】スピーカ音量テーブルの構成例を示す図である。
【図１８】スピーカ音色テーブルの構成例を示す図である。
【図１９】バイブレーター振動強度テーブルの構成例を示す図である。
【図２０】バイブレーター振動パターンテーブルの構成例を示す図である
【符号の説明】
【０８２３】
１    携帯電話装置
２    レシーバ部
３    表示部
４    キー操作部
５    マイク部
６    背面表示部
７    ランプ
８    ＬＥＤ
９    アンテナ
１０    スピーカ
１１    無線部
１２    中央制御部
１３    メモリ
１４    表示制御部
１５    表示駆動部
１６    ＬＥＤ制御部
１７    ＬＥＤ駆動部
１８    着信音設定部
１９    スピーカ駆動部
２０    バイブレーター制御部
２１    バイブレーター駆動部
２２    バイブレーター
２３    マナーモード切替部
２４    タイマ
【図１】
2005269255.tif 000003
【図２】
2005269255.tif 000004
【図３】
2005269255.tif 000005
【図４】
2005269255.tif 000006
【図５】
2005269255.tif 000007
【図６】
2005269255.tif 000008
【図７】
2005269255.tif 000009
【図８】
2005269255.tif 000010
【図９】
2005269255.tif 000011
【図１０】
2005269255.tif 000012
【図１１】
2005269255.tif 000013
【図１２】
2005269255.tif 000014
【図１３】
2005269255.tif 000015
【図１４】
2005269255.tif 000016
【図１５】
2005269255.tif 000017
【図１６】
2005269255.tif 000018
【図１７】
2005269255.tif 000019
【図１８】
2005269255.tif 000020
【図１９】
2005269255.tif 000021
【図２０】
2005269255.tif 000022